(57)【要約】本発明に係る認証システムは、運転免許情報を記憶した免許証側記憶部と、車両と通信する免許証側通信部とを備える電子運転免許証（以下免許証）と、免許証と通信する装置側通信部と、免許情報を認証する認証部と、車両の機能の作動を許可する機能許可部とを備える認証装置とを含む認証システムであって、免許証側記憶部が作動を要求する車両の機能を示す機能情報を記憶し、免許証側通信部が車両に運転免許情報および機能情報を通知し、装置側通信部が免許情報および機能情報を免許証から取得し、認証部が運転免許情報を正しく認証したときに、機能許可部が機能情報で示された機能の作動を許可する。
2004050437.tif 000002
【特許請求の範囲】
【請求項１】
運転者識別情報を含む運転免許情報を記憶した電子運転免許証と通信する装置側通信部と、前記運転免許情報を認証する認証部と、車両の機能の作動を許可する機能許可部とを備える認証装置であって、
前記装置側通信部が、前記運転免許情報、および作動を要求する前記車両の機能を示す機能情報を前記電子運転免許証から取得し、
前記認証部が、前記運転免許情報を正しく認証したときに、
前記機能許可部が、前記機能情報で示された機能の作動を許可することを特徴とする認証装置。
【請求項２】
前記装置側通信部が、前記運転免情報および前記機能情報を取得した前記車両の位置を示す位置情報を送出し、
前記機能許可部が、前記位置情報に基づいて前記電子運転免許証から送信された前記機能情報が示す機能の作動を許可することを特徴とする請求項１に記載の認証装置。
【請求項３】
前記装置側通信部は、前記電子運転免許証が前記装置側通信部の近傍にあるときに前記位置情報を送出し、
前記認証部は、前記電子運転免許証から認証要求があったときに、前記運転免許情報を認証することを特徴とする請求項２に記載の認証装置。
【請求項４】
運転者識別情報を含む運転免許情報を記憶した電子運転免許証と通信する装置側通信部と、前記運転免許情報を認証する認証部と、車両の機能の作動を許可する機能許可部と、許可すべき車両の機能を運転者毎に前記運転免許情報に関連付けて記憶する記憶部とを備える認証装置であって、
前記装置側通信部が、前記運転免許情報を前記電子運転免許証から取得し、
前記認証部が、前記運転免許情報を正しく認証したときに、
前記機能許可部が、前記記憶部に記憶されている前記運転免許情報に関連付けされた前記車両の機能の作動を許可することを特徴とする認証装置。
【請求項５】
前記機能許可部が、前記車両のエンジンを始動するエンジン制御装置に接続され、前記運転免許情報が正しく認証された場合、前記エンジンの始動を許可することを特徴とする請求項１ないし請求項４のいずれかに記載の認証装置。
【請求項６】
前記機能許可部が、前記車両のドアを解錠するドア制御装置に接続され、前記運転免許情報が正しく認証された場合、前記ドアの解錠を許可するようにしたことを特徴とする請求項１ないし請求項５のいずれかに記載の認証装置。
【請求項７】
前記機能許可部が、前記車両に搭載される車載電話装置に接続され、前記運転免許情報が正しく認証された場合、前記車載電話装置の使用を許可するようにしたことを特徴とする請求項１ないし請求項５のいずれかに記載の認証装置。
【請求項８】
前記機能許可部が、前記車両に搭載される車載オーディオ装置に接続され、前記運転免許情報が正しく認証された場合、前記車載オーディオ装置の使用を許可するようにしたことを特徴とする請求項１ないし請求項５のいずれかに記載の認証装置。
【請求項９】
前記機能許可部が、前記車両に搭載されるコンビネーション・メータ装置に接続され、前記運転免許情報が正しく認証された場合、前記コンビネーション・メータ装置の使用を許可するようにしたことを特徴とする請求項１ないし請求項５のいずれかに記載の認証装置。
【請求項１０】
前記機能許可部が、前記車両に搭載される緊急通信装置に接続され、前記運転免許情報が正しく認証された場合、前記緊急通信装置の使用を許可するようにしたことを特徴とする請求項１ないし請求項５のいずれかに記載の認証装置。
【請求項１１】
前記機能許可部が、前記車両に搭載される路車間通信装置に接続され、前記運転免許情報が正しく認証された場合、前記路車間通信装置の使用を許可するようにしたことを特徴とする請求項１ないし請求項５のいずれかに記載の認証装置。
【請求項１２】
電子運転免許証側通信部と通信するための装置側通信部と、暗証番号および個人情報を記憶する装置側記憶部と、車載機器の使用を許可する暗証番号をユーザー入力するための暗証番号入力部と、前記暗証番号入力部で入力した暗証番号に対応する個人情報を前記電子運転免許証から読み出して暗証番号および個人情報を前記装置側記憶部に登録したり前記装置側記憶部に登録されている暗証番号および個人情報を削除したりする情報登録削除部と、前記装置側通信部との通信開始の際に、前記装置側記憶部に記憶された前記暗証番号を前記装置側通信部から前記免許証側通信部へ前記電子運転免許証で暗証番号による認証が得られるまで順次送信する暗証番号送信部と、前記装置側通信部で受信した個人情報と前記装置側記憶部に記憶された個人情報とを照合して個人認証が得られた場合に前記車載機器の使用を許可する個人認証部とを備えたことを特徴とする認証装置。
【請求項１３】
前記電子運転免許証を利用した前記車載機器の使用頻度をユーザーごとに取得して前記装置側記憶部に記憶させる使用頻度取得部を備え、前記暗証番号送信部が前記装置側記憶部に記憶された使用頻度に基づき、前記使用頻度の高いユーザー順に前記暗証番号を送信する請求項１２に記載の認証装置。
【請求項１４】
前記電子運転免許証を利用した前記車載機器の使用履歴をユーザーごとに取得して前記装置側記憶部に記憶させる使用履歴取得部を備え、前記暗証番号送信部が前記装置側記憶部に記憶された使用履歴に基づき、新たに使用したユーザーから過去に使用したユーザーの方へ順に遡って前記暗証番号を送信する請求項１２に記載の認証装置。
【請求項１５】
前記装置側通信部から前記免許証側通信部に連続して送信された前記暗証番号が所定数を超え、暗証番号の前記免許証側通信部への再入力を拒否する旨の情報を前記電子運転免許証から前記装置側通信部が受信した場合に、再入力拒否の前に入力を制限するための報知を行う報知部を備る請求項１２から請求項１４のいずれかに記載の認証装置。
【請求項１６】
運転者識別情報を含む運転免許情報を記憶した記憶部と、車両または車両に載置された車載装置と通信する免許証側通信部とを備える電子運転免許証であって、
前記記憶部が、作動を要求する前記車両の機能を示す機能情報を記憶し、
前記免許証側通信部が、前記車両または前記車載装置に、前記運転免許情報、および前記機能情報を通知することを特徴とする電子運転免許証。
【請求項１７】
前記免許証側通信部が、前記車両または車載装置に対する位置を示す位置情報を受信し、前記位置情報に対応する機能を前記車両または前記車載装置に通知することを特徴とする請求項１６に記載の電子運転免許証。
【請求項１８】
運転者識別情報を含む運転免許情報を記憶した記憶部と、車両または車両に載置された車載装置と通信する免許証側通信部とを備える電子運転免許証と、
前記電子運転免許証と通信する装置側通信部と、前記運転免許情報を認証する認証部と、車両の機能の作動を許可する機能許可部とを備える認証装置とを含む認証システムであって、
前記免許証側記憶部が、作動を要求する前記車両の機能を示す機能情報を記憶し、
前記免許証側通信部が、前記車両または前記車載装置に、前記運転免許情報、および前記機能情報を通知し、
前記装置側通信部が、前記運転免許情報、および作動を要求する前記車両の機能を示す機能情報を前記電子運転免許証から取得し、
前記認証部が、前記運転免許情報を正しく認証したときに、
前記機能許可部が、前記機能情報で示された機能の作動を許可することを特徴とする認証システム。
【請求項１９】
前記認証装置は、前記認証の結果を前記車載装置の使用予約認証結果として前記電子運転免許証に送信する請求項１８に記載の認証システム。
【請求項２０】
前記認証装置は、認証後に前記車載装置の使用許可が開始されたか否かを示す使用開始情報を前記電子運転免許証に送信する請求項１８に記載の認証システム。
【請求項２１】
前記認証装置は、前記車載装置が使用可能か否かを示す使用可能車載装置情報を電子運転免許証ごとに設定可能であり、電子運転免許証に応じて車載装置の使用を制限または許可する請求項１８から請求項２０のいずれかに記載の認証システム。
【請求項２２】
前記電子運転免許証が、非接触ＩＣカード型運転免許証である請求項１８から請求項２１のいずれかに記載の認証システム。
【請求項２３】
運転者識別情報を含む運転免許情報および前記運転免許情報を読み出すための暗証番号を記憶した免許証側記憶部と、車両または車両に載置された車載装置と通信する免許証側通信部と、前記運転免許情報の前記免許証側通信部からの送信を制御する暗証番号認証部とを備える電子運転免許証と、
前記電子運転免許証と通信する装置側通信部と、前記暗証番号を入力する暗証番号入力部と、前記暗証番号入力部から入力された前記暗証番号を記憶する装置側記憶部と、前記装置側記憶部に記憶された前記暗証番号を前記装置側通信部に送信する暗証番号送信部と、前記運転免許情報を認証して車両の機能の作動を許可する個人認証部とを備える認証装置とを含む認証システムであって、
前記免許証側記憶部が、作動を要求する前記車両の機能を示す機能情報を記憶し、
前記装置側通信部が、前記暗証番号送信部から送信された前記暗証番号を前記電子運転免許証に送信し、
前記暗証番号認証部が、前記認証装置から送信された暗証番号が前記免許証側記憶部に記憶されている暗証番号と一致しているか否かを判定して、一致していると判定したときには前記運転免許情報および前記機能情報を前記免許証側通信部から通知し、
前記装置側通信部が、前記運転免許情報、および作動を要求する前記車両の機能を示す機能情報を前記電子運転免許証から取得し、
前記個人認証部が、前記電子運転免許情報を正しく認証したときに、前記機能情報で示された機能の作動を許可することを特徴とする認証システム。
【請求項２４】
前記電子運転免許証を利用した前記車載機器の使用頻度をユーザーごとに取得して前記装置側記憶部に記憶させる使用頻度取得部を備え、前記暗証番号送信部が前記装置側記憶部に記憶された使用頻度に基づき、前記使用頻度の高いユーザー順に前記暗証番号を送信する請求項２３に記載の認証システム。
【請求項２５】
前記電子運転免許証を利用した前記車載機器の使用履歴をユーザーごとに取得して前記装置側記憶部に記憶させる使用履歴取得部を備え、前記暗証番号送信部が前記装置側記憶部に記憶された使用履歴に基づき、新たに使用したユーザーから過去に使用したユーザーの方へ順に遡って前記暗証番号を送信する請求項２３に記載の認証システム。
【請求項２６】
前記電子運転免許証が、前記装置側通信部から前記免許証側通信部に連続して送信された暗証番号が所定数を超えると暗証番号の前記免許証側通信部への再入力を拒否する再入力禁止部と、前記個人認証部が前記再入力禁止部による再入力拒否前に入力を制限するための報知を行う報知部を備える請求項２３から請求項２５のいずれかに記載の認証システム。
【請求項２７】
運転者識別情報を含む運転免許情報を記憶した電子運転免許証と、車両または車両に載置された車載装置とが通信して前記運転免許情報を認証する認証方法であって、
前記電子運転免許証が、前記車両または前記車載装置に、前記運転免許情報の認証を要求するステップと、
前記車両または前記車載装置が、前記運転免許情報を認証するステップと、
前記電子運転免許証が、前記車両または前記車載装置に、許可すべき前記車両の機能を通知するステップと、
前記運転免許情報が正しく認証されたとき、前記車両または前記車載装置が、前記機能の作動を許可するステップとを含むことを特徴とする認証方法。
【請求項２８】
前記車両または前記車載装置が、前記電子運転免許証に、前記電子運転免許証の前記車両または前記車載装置に対する位置を示す位置情報を送出するステップを含み、
前記電子運転免許証が、前記位置情報に対応した前記機能を前記車両または前記車載装置に通知することを特徴とする請求項２８に記載の認証方法。
【請求項２９】
運転者識別情報を含む運転免許情報および前記運転免許情報を読み出すための暗証番号を記憶した電子運転免許証と、車両または車両に載置された車載装置とが通信して前記運転免許情報を認証する認証方法であって、
前記車両または車載装置が前記暗証番号を前記電子運転免許証に送信するステップと、
前記電子運転免許証が、前記車両または車載装置から送信された暗証番号が前記電子運転免許証が記憶している暗証番号と一致しているか否かを判定し、一致していると判定したときには前記運転免許情報および前記機能情報を前記車両または車載装置に通知するステップと、
前記車両または車載装置が、前記運転免許情報、および作動を要求する前記車両の機能を示す機能情報を前記電子運転免許証から取得するステップと、
前記車両または車載装置が、前記電子運転免許情報を正しく認証したときに、前記機能情報で示された機能の作動を許可することを特徴とする認証方法。
【発明の詳細な説明】
【技術分野】  本発明は、認証装置、電子運転免許証および認証システムに関する。
【背景技術】  従来、電子運転免許証から取得した運転免許情報と装置内部に予め記憶した運転免許情報とを比較して、一致した場合には、車両のドアの解錠や、エンジンの始動をするものが開示されていた。
しかしながら、このような従来の認証装置では、電子運転免許証から取得した運転免許情報と装置内部に予め記憶した運転免許情報とが一致すればドア解錠やエンジン始動が許可されるようになっていたため、認証装置内部に運転免許情報が記憶されていれば、車両の機能が全て許可されてしまうという問題があった。例えば、特定の者については、ドアの解錠のみを許可し、運転はさせないようにしたい場合がある。また、車両の所有者以外の者には車両後部のトランク（荷室）を開けさせないようにしたい場合がある。また、ドア解錠とエンジン始動とを両方ともしてよい者であれば、ドアを解錠するときとエンジンを始動するときとで、２度も認証をするのは無駄がある。しかしながら、従来の認証装置では、車両の機能が全て許可されてしまっていた。
さらに、電子運転免許証は、その表面に印刷された運転者の氏名や住所等の他に、本籍等のプライベートな個人情報を記憶部に記憶している。
第三者がこの個人情報を容易にみることができないようにするため、ユーザー自身で設定した暗証番号を電子運転免許証に入力しないと個人情報が出力されないようにする場合もある。
その結果、車載機器使用の許可を個人情報に基づく認証で行うことによりセキュリティを高めようとしても、車載機器の使用を許可する電子運転免許証に記憶されている個人情報を自動車装置へ登録したり、自動車装置で読み取ったりすることができないという問題があった。
本発明はこのような問題を解決するためになされたもので、車両の機能の作動をその運転者が必要なものあるいは許されるもののみ許可することができる認証装置、電子運転免許証および認証システムを提供することを第１の目的とする。
さらに、本発明は、暗証番号を入力しないと内部に記憶している個人情報を出力できない電子運転免許証であっても、車両側で電子運転免許証から個人情報を取得して照合用の個人情報として登録し、登録後に電子運転免許証から取得した個人情報と照合用の個人情報とに基づき個人認証が得られた場合に車載機器の使用を許可することができるようにした認証装置、電子運転免許証および認証システムを提供することを第２の目的とする。
【発明の開示】
（クレーム１）
本発明に係る認証装置は、識別情報を含む運転免許情報を記憶した電子運転免許証と通信する装置側通信部と、前記運転免許情報を認証する認証部と、車両の機能の作動を許可する機能許可部とを備える認証装置であって、前記装置側通信部が、前記運転免許情報、および作動を要求する前記車両の機能を示す機能情報を前記電子運転免許証から取得し、前記認証部が、前記運転免許情報を正しく認証したときに前記機能許可部が、前記機能情報で示された機能の作動を許可する。
この構成により、電子運転免許証毎に予め記憶された機能情報が示す機能の作動のみが許可されることになり、車両の機能の作動をその運転者が必要なものあるいは許されるもののみ許可することができる。
（クレーム２）
また、本発明に係る認証装置は、前記装置側通信部が、前記運転免情報および前記機能情報を取得した前記車両の位置を示す位置情報を送出し、前記機能許可部が、前記位置情報に基づいて前記電子運転免許証から送信された前記機能情報が示す機能の作動を許可する。
この構成により、通信部から送出された位置情報に基づいて機能の作動が許可されることになり、位置毎に適切な機能の作動を許可することができる。
（クレーム３）
さらに、本発明に係る認証装置は、装置側通信部が、前記電子運転免許証が前記装置側通信部の近傍にあるときに前記位置情報を送出し、前記認証部は、前記電子運転免許証から認証要求があったときに、前記運転免許情報を認証する。
この構成により、電子運転免許証が近傍にあるときのみ電子運転免許証と通信することになり、認証装置における電力の消費を抑えることができる。
（クレーム４）
さらに、本発明に係る認証装置は、運転者識別情報を含む運転免許情報を記憶した電子運転免許証と通信する装置側通信部と、前記運転免許情報を認証する認証部と、車両の機能の作動を許可する機能許可部と、許可すべき車両の機能を運転者毎に前記運転免許情報に関連付けて記憶する記憶部とを備える認証装置であって、前記装置側通信部が前記運転免許情報を前記電子運転免許証から取得し、前記認証部が前記運転免許情報を正しく認証したときに、前記機能許可部が前記記憶部に記憶されている前記運転免許情報に関連付けされた前記車両の機能の作動を許可する。
この構成により、認証装置の記憶部に予め記憶された運転者毎の機能のみの作動が許可されることになり、車両の機能の作動をその運転者が必要なものあるいは許されるもののみ許可することができる。
（クレーム５）
さらに、本発明に係る認証装置は、前記機能許可部が、前記車両のエンジンを始動するエンジン制御装置に接続され、前記運転免許情報が正しく認証された場合、前記エンジンの始動を許可する。
この構成により、正規の電子運転免許証を携帯していないとエンジンを始動されないことになり、無免許運転や免許証不携帯運転を防止することができる。
（クレーム６）
さらに、本発明に係る認証装置は、前記機能許可部が、前記車両のドアを解錠するドア制御装置に接続され、前記運転免許情報が正しく認証された場合、前記ドアの解錠を許可する。
この構成により、正規の電子運転免許証を携帯していないとドアが解錠されないことになり、無免許運転や免許証不携帯運転を防止することができる。
（クレーム７）
さらに、本発明に係る認証装置は、前記機能許可部が、前記車両に搭載される車載電話装置に接続され、前記運転免許情報が正しく認証された場合、前記車載電話装置の使用を許可する。
この構成により、車載電話装置の使用権利を、電子運転免許証の持ち主に合わせて自在に設定することができる。また、車載電話装置を使用した情報について、電子運転免許証ごとに記録を残すことが可能となる。
（クレーム８）
さらに、本発明に係る認証装置は、前記機能許可部が、前記車両に搭載される車載オーディオ装置に接続され、前記運転免許情報が正しく認証された場合、前記車載オーディオ装置の使用を許可する。
この構成により、車載オーディオ装置の車載オーディオ機能の使用権利を、電子運転免許証の持ち主に合わせて自在に設定することができる。また、運転免許証の持ち主が使用したオーディオ使用情報（選曲、選択ラジオ局等）について、電子運転免許証ごとに記録を個別に残し、次回の使用の参考とすることが可能となって、カスタマイズすることができる。
（クレーム９）
さらに、本発明に係る認証装置は、前記機能許可部が、前記車両に搭載されるコンビネーション・メータ装置に接続され、前記運転免許情報が正しく認証された場合、前記コンビネーション・メータ装置の使用を許可する。
この構成により、コンビネーション・メータ装置の使用権利を、電子運転免許証の持ち主に合わせて自在に設定することができる。また、使用した情報について、電子運転免許証ごとに記録を個別に残すことが可能となる。そして、これらの記録した情報は、次回の運転の参考に使用することが可能となる。
（クレーム１０）
さらに、本発明に係る認証装置は、前記機能許可部が、前記車両に搭載される緊急通信装置に接続され、前記運転免許情報が正しく認証された場合、前記緊急通信装置の使用を許可する。
この構成により、電子運転免許証の持ち主に健康上等の緊急事態が発生したとき、このときの車両位置と緊急事態および電子運転免許証の持ち主の健康上情報を緊急通報センター等へ発信することができるとともに、緊急車両を緊急現場に向かわせる際に、電子運転免許証の持ち主の健康状態に即した対応を取ることが可能となって、より適切な処置を行うことができる。
（クレーム１１）
さらに、本発明に係る認証装置は、前記機能許可部が、前記車両に搭載される路車間通信装置に接続され、前記運転免許情報が正しく認証された場合、前記路車間通信装置の使用を許可する。
この構成により、路車間通信機能を電子運転免許証の持ち主の情報に基づいて適切に使用させることを実現できる。またドライブスルーの店舗での物品の購入情報、車検情報、車両の故障履歴情報、ディーラーでの車両整備情報などの情報を、電子運転免許証に記憶することができ、その情報を路車間通信機能によって、車室内の情報を車室外へ容易に、しかもセキュリティを確保しながら入出力することが可能となる。
（クレーム１２）
さらに、本発明に係る認証装置は、電子運転免許証側通信部と通信するための装置側通信部と、暗証番号および個人情報を記憶する装置側記憶部と、車載機器の使用を許可する暗証番号をユーザー入力するための暗証番号入力部と、前記暗証番号入力部で入力した暗証番号に対応する個人情報を前記電子運転免許証から読み出して暗証番号および個人情報を前記装置側記憶部に登録したり前記装置側記憶部に登録されている暗証番号および個人情報を削除したりする情報登録削除部と、前記装置側通信部との通信開始の際に、前記装置側記憶部に記憶された前記暗証番号を前記装置側通信部から前記免許証側通信部へ前記電子運転免許証で暗証番号による認証が得られるまで順次送信する暗証番号送信部と、前記装置側通信部で受信した個人情報と前記装置側記憶部に記憶された個人情報とを照合して個人認証が得られた場合に前記車載機器の使用を許可する個人認証部とを備える。
この構成により、暗証番号を入力しないと内部に記憶している個人情報を出力できない電子運転免許証であっても、車両側で暗証番号を入力して電子運転免許証に送信することにより電子運転免許証から個人情報を取得して照合用の個人情報として登録し、登録後に暗証番号を送信して電子運転免許証から取得した個人情報と照合用の個人情報に基づき個人認証が得られた場合に車載機器の使用を許可することができるようにした認証装置を提供することが可能となる。
（クレーム１３）
さらに、本発明に係る認証装置は、前記電子運転免許証を利用した前記車載機器の使用頻度をユーザーごとに取得して前記装置側記憶部に記憶させる使用頻度取得部を備え、前記暗証番号送信部が前記装置側記憶部に記憶された使用頻度に基づき、前記使用頻度の高いユーザー順に前記暗証番号を送信する。
この構成により、電子運転免許証への暗証番号の送信開始から暗証番号認証手段での認証にかかる時間の短縮を図ることが可能となる。
（クレーム１４）
さらに、本発明に係る認証装置は、前記電子運転免許証を利用した前記車載機器の使用履歴をユーザーごとに取得して前記装置側記憶部に記憶させる使用履歴取得部を備え、前記暗証番号送信部が前記装置側記憶部に記憶された使用履歴に基づき、新たに使用したユーザーから過去に使用したユーザーの方へ順に遡って前記暗証番号を送信する。
この構成により、電子運転免許証への暗証番号の送信開始から暗証番号認証手段での認証にかかる時間の短縮を図ることが可能となる。
（クレーム１５）
さらに、本発明に係る認証装置は、前記装置側通信部から前記免許証側通信部に連続して送信された前記暗証番号が所定数を超え、暗証番号の前記免許証側通信部への再入力を拒否する旨の情報を前記電子運転免許証から前記装置側通信部が受信した場合に、再入力拒否の前に入力を制限するための報知を行う報知部を備える。
この構成により、電子運転免許証への認証が得られない暗証番号の連続した入力を禁止してセキュリティを高めることができるとともに、再入力拒否となる前に入力制限の報知を行うことで暗証番号を確認して入力したり、確実に認証を得ることができる人に依頼してその人の電子運転免許証を用いて認証を得るようにしたりするなどして、セキュリティを確保しながらより確実に車載機器の使用許可が得られるようにすることができる。
（クレーム１６）
本発明に係る電子運転免許証は、運転者識別情報を含む運転免許情報を記憶した記憶部と、車両または車両に載置された車載装置と通信する免許証側通信部とを備える電子運転免許証であって、前記記憶部が作動を要求する前記車両の機能を示す機能情報を記憶し、前記免許証側通信部が前記車両または前記車載装置に前記運転免許情報および前記機能情報を通知する。
この構成により、電子運転免許証毎に予め記憶された機能情報が示す機能の作動のみが許可されることになり、車両の機能の作動をその運転者が必要なものあるいは許されるもののみ許可することができる。
（クレーム１７）
また、本発明に係る電子運転免許証は、前記免許証側通信部が、前記車両または車載装置に対する位置を示す位置情報を受信し、前記位置情報に対応する機能を前記車両または前記車載装置に通知する。
この構成により、受信した位置情報に基づいた機能の作動が許可されることになり、位置毎に適切な機能の作動を許可することができる。
（クレーム１８）
本発明に係る認証システムは、運転者識別情報を含む運転免許情報を記憶した記憶部と、車両または車両に載置された車載装置と通信する免許証側通信部とを備える電子運転免許証と、前記電子運転免許証と通信する装置側通信部と、前記運転免許情報を認証する認証部と、車両の機能の作動を許可する機能許可部とを備える認証装置とを含む認証システムであって、前記免許証側記憶部が作動を要求する前記車両の機能を示す機能情報を記憶し、前記免許証側通信部が前記車両または前記車載装置に前記運転免許情報および前記機能情報を通知し、前記装置側通信部が前記運転免許情報および作動を要求する前記車両の機能を示す機能情報を前記電子運転免許証から取得し、前記認証部が前記運転免許情報を正しく認証したときに、前記機能許可部が前記機能情報で示された機能の作動を許可する。
この構成により、電子運転免許証毎に予め記憶された機能情報が示す機能の作動のみが許可されることになり、車両の機能の作動をその運転者が必要なものあるいは許されるもののみ許可することができる。
（クレーム１９）
また、本発明に係る認証システムは、前記認証装置が、前記認証の結果を前記車載装置の使用予約認証結果として前記電子運転免許証に送信する。
この構成により、車載装置の使用が許可されたか否かを電子運転免許証により使用希望者ごとに通知することができるとともに、使用希望者に認証装置の認証結果を通知することができる。
（クレーム２０）
さらに、本発明に係る認証システムは、前記認証装置が、認証後に前記車載装置の使用許可が開始されたか否かを示す使用開始情報を前記電子運転免許証に送信する。
この構成により、車載装置の使用が許可されたか否かを電子運転免許証により使用希望者ごとに通知することができるとともに、使用希望者に認証装置の使用が開始されたか否かを通知することができる。
（クレーム２１）
さらに、本発明に係る認証システムは、前記認証装置が、前記車載装置が使用可能か否かを示す使用可能車載装置情報を電子運転免許証ごとに設定可能であり、電子運転免許証に応じて車載装置の使用を制限または許可する。
この構成により、電子運転免許証ごとに使用可能な車載機器に関する使用許可情報を個別に記憶することが可能となり、車載装置の使用許可設定を電子運転免許証ごとに行うことができ、カスタマイズが可能となる。
（クレーム２２）
さらに、本発明に係る認証システムは、電子運転免許証がＩＣカード型運転免許証である。
この構成により、外部機器と接続するための端子が不要となって完全非接触型の電子運転免許証とすることが可能となり、また情報の入出力をすべて非接触で通信することができるだけでなく、駆動電力を高周波電波で供給することが可能となる。
（クレーム２３）
また、本発明に係る認証システムは、運転者識別情報を含む運転免許情報および前記運転免許情報を読み出すための暗証番号を記憶した免許証側記憶部と、車両または車両に載置された車載装置と通信する免許証側通信部と、前記運転免許情報の前記免許証側通信部からの送信を制御する暗証番号認証部とを備える電子運転免許証と、前記電子運転免許証と通信する装置側通信部と、前記暗証番号を入力する暗証番号入力部と、前記暗証番号入力部から入力された前記暗証番号を記憶する装置側記憶部と、前記装置側記憶部に記憶された前記暗証番号を前記装置側通信部に送信する暗証番号送信部と、前記運転免許情報を認証して車両の機能の作動を許可する個人認証部とを備える認証装置とを含む認証システムであって、前記免許証側記憶部が作動を要求する前記車両の機能を示す機能情報を記憶し、前記装置側通信部が前記暗証番号送信部から送信された前記暗証番号を前記電子運転免許証に送信し、前記暗証番号認証部が前記認証装置から送信された暗証番号が前記免許証側記憶部に記憶されている暗証番号と一致しているか否かを判定して一致していると判定したときには前記運転免許情報および前記機能情報を前記免許証側通信部から通知し、前記装置側通信部が前記運転免許情報および作動を要求する前記車両の機能を示す機能情報を前記電子運転免許証から取得し、前記個人認証部が前記電子運転免許情報を正しく認証したときに前記機能情報で示された機能の作動を許可する。
この構成により、暗証番号を入力しないと内部に記憶している個人情報を出力できない電子運転免許証であっても、車両側で暗証番号を入力して電子運転免許証に送信することにより電子運転免許証から個人情報を取得して照合用の個人情報として登録し、登録後に暗証番号を送信して電子運転免許証から取得した個人情報と照合用の個人情報に基づき個人認証が得られた場合に車載機器の使用を許可することができるようにした車載機器使用許可システムを提供することが可能となる。
（クレーム２４）
さらに、本発明に係る認証システムは、前記電子運転免許証を利用した前記車載機器の使用頻度をユーザーごとに取得して前記装置側記憶部に記憶させる使用頻度取得部を備え、前記暗証番号送信部が前記装置側記憶部に記憶された使用頻度に基づき、前記使用頻度の高いユーザー順に前記暗証番号を送信する。
この構成により、電子運転免許証への暗証番号の送信開始から暗証番号認証手段での認証にかかる時間の短縮を図ることが可能となる。
（クレーム２５）
さらに、本発明に係る認証システムは、前記電子運転免許証を利用した前記車載機器の使用履歴をユーザーごとに取得して前記装置側記憶部に記憶させる使用履歴取得部を備え、前記暗証番号送信部が前記装置側記憶部に記憶された使用履歴に基づき、新たに使用したユーザーから過去に使用したユ」ーザーの方へ順に遡って前記暗証番号を送信する。
この構成により、電子運転免許証への暗証番号の送信開始から暗証番号認証手段での認証にかかる時間の短縮を図ることが可能となる。
（クレーム２６）
さらに、本発明に係る認証システムは、前記電子運転免許証が、前記装置側通信部から前記免許証側通信部に連続して送信された暗証番号が所定数を超えると暗証番号の前記免許証側通信部への再入力を拒否する再入力禁止部と、前記個人認証部が前記再入力禁止部による再入力拒否前に入力を制限するための報知を行う報知部を備える。
この構成により、電子運転免許証への認証が得られない暗証番号の連続した入力を禁止してセキュリティを高めることができるとともに、再入力拒否となる前に入力制限の報知を行うことで暗証番号を確認して入力したり、確実に認証を得ることができる人に依頼してその人の電子運転免許証を用いて認証を得るようにしたりするなどして、セキュリティを確保しながらより確実に車載機器の使用許可が得られるようにすることができる。
【図面の簡単な説明】  第１図は、本発明に係る第１の実施形態の認証装置を示すブロック図である。
第２図は、第１の実施形態で使用される電子運転免許証を示すブロック図である。
第３図は、第１の実施形態における電子運転免許証および認証装置の動作を示すシーケンス図である。
第４図は、本発明に係る第２の実施形態の電子運転免許証および認証装置の動作を示すシーケンス図である。
第５図は、本発明に係る第４および第５の実施形態の電子運転免許システムの構成を示すブロック図である。
第６図は、本発明に係る第４の実施形態の電子運転免許システムの動作を説明するタイムチャートである。
第７図は、本発明に係る第５の実施形態の電子運転免許システムの動作を説明するタイムチャートである。
第８図は、本発明に係る第６の実施形態の電子運転免許システムの構成を示すブロック図である。
第９図は、本発明に係る第６の実施形態の電子運転免許システムの動作を説明するタイムチャートである。
第１０図は、本発明に係る第７の実施形態の電子運転免許システムの構成を示すブロック図である。
第１１図は、本発明に係る第７の実施形態の電子運転免許システムの動作を説明するタイムチャートである。
第１２図は、本発明に係る第８の実施形態の電子運転免許システムの構成を示すブロック図である。
第１３図は、本発明に係る第８の実施形態の電子運転免許システムの動作を説明するタイムチャートである。
第１４図は、本発明に係る第９の実施形態の電子運転免許システムの構成を示すブロック図である。
第１５図は、本発明に係る第９の実施形態の電子運転免許システムの動作を説明するタイムチャートである。
第１６図は、本発明に係る第１０の実施形態の電子運転免許システムの構成を示すブロック図である。
第１７図は、本発明に係る第１０の実施形態の電子運転免許システムの動作を説明するタイムチャートである。
第１８図は、本発明に係る第１１の実施形態の電子運転免許システムの構成を示すブロック図である。
第１９図は、本発明に係る第１１の実施形態の電子運転免許システムの動作を説明するタイムチャートである。
第２０図は、非接触ＩＣカード型電子運転免許証の構成を示すブロック図である。
第２１図は、第１２に係る実施形態の車載機器使用許可システムの構成を示すブロック図である。
第２２図は、第１２に係る実施形態の車載機器使用許可システムの動作を示すタイムチャートである。
第２３図は、第１３に係る実施形態の車載機器使用許可システムの構成を示すブロック図である。
第２４図は、第１３に係る実施形態の車載機器使用許可システムの動作を示すタイムチャートである。
第２５図は、第１４に係る実施形態の車載機器使用許可システムの構成を示すブロック図である。
第２６図は、第１４に係る実施形態の車載機器使用許可システムの動作を示すタイムチャートである。
【発明を実施するための最良の形態】  以下、本発明の実施形態について、図面を用いて説明する。
（第１の実施形態）
第１の実施形態において、第１の通信部１１１１、第２の通信部１１１２、および第３の通信部１１１３は、装置側通信部と同意である。
第１図は、本発明に係る第１の実施形態の認証装置（車載装置）を示すブロック図である。第１図において、認証装置１１００は、車両に載置され、運転者毎の運転免許情報を記憶した電子運転免許証１０１０と非接触で通信し、運転免許情報を認証するようになっている。
認証装置１１００は、電子運転免許証１０１０と通信する複数の通信部（第１の通信部１１１１、第２の通信部１１１２、第３の通信部１１１３）と、電子運転免許証１０１０から受信された運転免許情報、機能情報、その他の情報を復号化する暗号処理部１１２１と、車両の機能を利用することができる運転者の運転免許情報を予め記憶する記憶部１１２２と、電子運転免許証１０１０の運転免許情報を認証する認証部１１２３と、運転免許情報が正しく認証された場合に電子運転免許証１０１０から受信された機能情報が示す機能の作動を許可する機能許可部１１２４と、現在日時を計時する時計部１１２５と、記憶部１１２２に情報を設定操作するための操作部１１２６とを備える。
電子運転免許証１０１０は、第２図に示すように、運転者毎の運転免許情報、機能情報、その他の情報を記憶する記憶部１０１１と、記憶部１０１１に記憶された運転免許情報、機能情報、その他の情報を暗号化する暗号処理部１０１２と、暗号化された運転免許情報、機能情報、その他の情報を認証装置１１００に送信する通信部１０１３とを備える。
また、通信部１０１３が、認証装置１１００から位置情報、その他の情報を受信し、暗号処理部１０１２が、認証装置１１００から受信した情報を復号化するようになっている。
なお、運転免許情報は、運転者氏名、運転者生年月日、運転者住所、運転免許有効期限、運転免許番号、運転免許車種、運転者の写真データ、運転者の交通違反点数、などの運転者識別情報を含む。
また、機能情報は、車両の許可すべき機能を示す情報であり、車両の居室のドアを解錠する機能、エンジンを始動する機能、車両後部の荷室を解錠する機能、などを含む。
また、位置情報は、電子運転免許証１０１０の車両に対する位置を示す情報であり、電子運転免許証１０１０が、居室のドアの近傍、運転席の近傍、荷室の近傍などにあることを示す。
認証装置１１００の第１の通信部１１１１は、車両の運転席近傍のドアに配置され、電子運転免許証１０１０が車両外で運転席ドア近傍にあるとき、電子運転免許証１０１０の位置が車両外であって運転席のドア近傍であることを示す位置情報を送出するようになっている。この位置情報は、例えば、運転者が車両のドアまたはドアのノブに接触したときに送出されるようになっていてもよく、運転者が車両のドアもしくはドア近傍の所定の位置に近づいたことを検知したときに送出されるようになっていてもよく、電子運転免許証１０１０が車両のドアもしくはドア近傍の所定の位置に接触したことを検知したときに送出されるようになっていてもよい。
認証装置１１００の第２の通信部１１１２は、車両の運転席の前方に配置され、電子運転免許証１０１０が車両内で運転席近傍にあるとき、電子運転免許証１０１０の位置が車両内であって運転席近傍であることを示す位置情報を送出するようになっている。この位置情報は、例えば、電子運転免許証１０１０が運転席の前方に配置された所定のホルダに装着されたときに送出されるようになっていてもよく、運転者が運転席にいることを検知したときに送出されるようになっていてもよい。
認証装置１１００の第３の通信部１１１３は、車両後部の荷室に配置され、電子運転免許証１０１０が車両外で荷室の近傍にあるとき、電子運転免許証１０１０の位置が車両外であって荷室近傍であることを示す位置情報を送出するようになっている。この位置情報は、例えば、運転者が荷室を開くためのノブに接触したときに送出されるようになっていてもよく、運転者が荷室もしくは荷室近傍の所定の位置に近づいたことを検知したときに送出されるようになっていてもよく、電子運転免許証１０１０が荷室もしくは荷室近傍の所定の位置に接触したことを検知したときに送出されるようになっていてもよい。
認証装置１１００の暗号処理部１１２１は、電子運転免許証１０１０に送信する情報を暗号化するとともに、電子運転免許証１０１０から受信した情報を復号化するようになっている。
認証装置１１００の記憶部１１２２は、運転免許情報が運転者毎に記憶されている。ここで、運転者には、ドア解錠のみが許可される運転者、居室ドアの解錠とエンジンの始動とが許可される運転者、居室ドアの解錠とエンジン始動と荷室解錠の全てが許可される運転者がある。なお、本実施形態においては、車両の機能として、居室ドアの解錠とエンジンの始動と荷室の解錠とを例として示したが、その他の機能、例えば車載の移動電話による通信など、が含まれていてもよい。
認証装置１１００の認証部１１２３は、電子運転免許証１０１０から受信された運転免許情報と認証装置１１００の記憶部１１２２に予め記憶された運転免許情報とを比較することにより、電子運転免許証１０１０の運転免許情報を認証するようになっている。なお、認証は、運転免許情報の全ての項目について電子運転免許証１０１０から受信された情報と認証装置１１００の記憶部１１２２に記憶された情報とを比較してもよいが、運転者氏名のみで認証するようになっていてもよく、運転免許番号のみで認証するようになっていてもよく、複数の項目の組み合わせであってもよい。
また、認証装置１１００の認証部１１２３は、さらに、電子運転免許証１０１０から受信した交通違反点数が予め決められた点数以下であるか否かを判定してもよい。さらに、電子運転免許証１０１０から受信した運転免許車種が車両に適合するか否かを判定してもよい。さらに、電子運転免許証１０１０から受信した運転免許有効期限と運転者生年月日とに基づいて現在年月日が運転免許有効期限内であるか否かを判定するようになっていてもよい。
認証装置１１００の機能許可部１１２４は、電子運転免許証１０１０から受信した機能情報が示す機能の作動を許可するようになっている。具体的には、電子運転免許証１０１０からドア解錠を示す機能情報を受信した場合には、ドア制御装置１０２１にドア解錠許可信号を出力する。また、電子運転免許証１０１０からエンジン始動を示す機能情報を受信した場合には、エンジン制御装置１０２２にエンジン始動許可信号を出力する。また、電子運転免許証１０１０から荷室解錠を示す機能情報を受信した場合には、ドア制御装置１０２１に荷室解錠許可信号を出力する。
以下、第１の実施形態の電子運転免許証１０１０および認証装置１１００の動作について、第３図を用いて説明する。
電子運転免許証１０１０を携帯した運転者が車両の運転席のドアに近づいたとき、電子運転免許証１０１０の位置が車両外であって運転席のドア近傍であることを示す位置情報が、車両のドアに配置された第１の通信部１１１１から送出される（Ｓ１３１１）。電子運転免許証１０１０は、位置情報を受信すると、認証装置１１００に認証要求を送信する（Ｓ１３１２）。この認証要求は、本実施形態において、暗号化された運転免許情報を含む。そして、電子運転免許証１０１０からの運転免許情報は、認証装置１１００の第１の通信部１１１１によって受信され、認証装置１１００の暗号処理部１１２１によって復号化され、認証装置１１００の認証部１１２３によって認証される。ここで認証は、認証装置１１００の第１の通信部１１１１から受信された運転免許情報と認証装置１１００の記憶部１１２２に予め記憶された運転免許情報とが比較されることによって行なわれる。運転免許情報が正しく認証された場合には、認証装置１１００の第１の通信部１１１１から正しく認証されたことを示す認証完了が送信される（Ｓ１３１３）。電子運転免許証１０１０は、認証完了を受信すると、位置が車両外であって運転席のドア近傍なので、ドア解錠を示す機能通知を送信する（Ｓ１３１４）。機能通知は、認証装置１１００の第１の通信部１１１１によって受信され、認証装置１１００の暗号処理部１１２１によって復号化され、認証装置１１００の機能許可部１１２４によってドア解錠許可信号がドア制御装置１０２１に出力される（Ｓ１３１５）。そして、ドア解錠許可信号を受け取ったドア制御装置１０２１においてドアの解錠がされ、応答が、認証装置１１００を介して、電子運転免許証１０１０に到達する（Ｓ１３１６、Ｓ１３１７）。したがって、運転者が車両のドアを開けることができるようになる。
また、電子運転免許証１０１０を携帯した運転者が運転席に位置したとき、電子運転免許証１０１０の位置が車両内であって運転席近傍であることを示す位置情報が、車両の運転席前に配置された第２の通信部１１１２から送出される（Ｓ１３２１）。電子運転免許証１０１０は、位置情報を受信すると、認証装置１１００に認証要求を送信する（Ｓ１３２２）。電子運転免許証１０１０からの運転免許情報は、認証装置１１００の第２の通信部１１１２によって受信され、認証装置１１００の暗号処理部１１２１によって復号化され、認証装置１１００の認証部１１２３によって認証される。運転免許情報が正しく認証された場合には、認証装置１１００の第２の通信部１１１２から正しく認証されたことを示す認証完了が送信される（Ｓ１３２３）。電子運転免許証１０１０は、認証完了を受信すると、位置が車両内であって運転席近傍なので、エンジン始動を示す機能通知を送信する（Ｓ１３２４）。機能通知は、認証装置１１００の第２の通信部１１１２によって受信され、認証装置１１００の暗号処理部１１２１によって復号化され、認証装置１１００の機能許可部１１２４によってエンジン始動許可信号がエンジン制御装置１０２２に出力される（Ｓ１３２５）。そして、エンジン始動許可信号を受け取ったエンジン制御装置１０２２においてエンジン始動が許可され、応答が、認証装置１１００を介して、電子運転免許証１０１０に到達する（Ｓ１３２６、Ｓ１３２７）。したがって、運転者がエンジンを始動させることができるようになる。
以上説明したように、第１の実施形態の認証装置１１００は、複数の通信部１１１１、１１１２、１１１３が、車両の許可すべき機能を示す機能情報を電子運転免許証１０１０から取得し、運転免許情報が正しく認証されたとき、機能許可部１１２４が、前記機能情報で示された機能の作動を許可するようになっているので、電子運転免許証１０１０毎に予め記憶された機能情報が示す機能の作動のみが許可されることになり、車両の機能をその運転者が必要なものあるいは許されるもののみ許可することができる。
また、第１の実施形態の認証装置１１００は、複数の通信部１１１１、１１１２、１１１３が、電子運転免許証の車両に対する位置を示す位置情報をそれぞれ送出し、機能許可部１１２４が、前記位置情報に基づいて電子運転免許証１０１０から送信された機能情報が示す機能の作動を許可するようになっているので、通信部１１１１、１１１２、１１１３から送出された位置情報に基づいた機能の作動が許可されることになり、運転者が持つ電子運転免許証の位置毎に適切な機能を許可することができる。
また、第１の実施形態の認証装置１１００は、複数の通信部１１１１、１１１２、１１１３が、位置情報を電子運転免許証１０１０が通信部１１１１、１１１２、１１１３いずれかの近傍にあるときに送出し、電子運転免許証１０１０から認証要求が送信されたとき、認証部１１２３が、前記運転免許情報を認証するようになっているので、電子運転免許証１０１０が近傍にあるときのみ電子運転免許証１０１０と通信することになり、認証装置１１００における電力の消費を抑えることができる。
また、第１の実施形態においては、電子運転免許証１０１０がアクティブに機能を選択するようになっているため、スムースな認証および機能許可をすることができる。例えば、２度目に運転席に近づいたとき、電子運転免許証１０１０が前回認証を受け再び機能許可がされることを電子運転免許証１０１０が認識することができるので、認証が簡単に済む。運転者が様々なカードを複数所持し、複数のカードの中から対象カードを探す必要もない。
（第２の実施形態）
次に、本発明の第２の実施形態の電子運転免許証および認証装置について説明する。
本実施形態において、第１の通信部１１１１、第２の通信部１１１２、および第３の通信部１１１３は、装置側通信部と同意である。
第２の実施形態において、第２図に示す電子運転免許証１０１０は、認証された運転免許情報に複数の機能が関連付けされていたとき、関連付けされた全ての機能の作動が示される機能情報を認証装置１１００に送信するようになっている。また、第２の実施形態において、第１図に示す認証装置１１００は、電子運転免許証１０１０から複数の機能が通知されたとき、通知された複数の機能の作動を同時に許可するようになっている。
以下、第２の実施形態の電子運転免許証１０１０および認証装置１１００の動作について、第４図を用いて説明する。
電子運転免許証１０１０を携帯した運転者が車両の運転席のドアに近づいたとき、電子運転免許証１０１０の位置が車両外であって運転席のドア近傍であることを示す位置情報が、車両のドアに配置された認証装置１１００の第１の通信部１１１１から送出される（Ｓ１４１１）。電子運転免許証１０１０は、位置情報を受信すると、認証装置１１００に認証要求を送信する（Ｓ１４１２）。この認証要求は、本実施形態において、暗号化された運転免許情報を含む。そして、電子運転免許証１０１０からの運転免許情報は、認証装置１１００の第１の通信部１１１１によって受信され、認証装置１１００の暗号処理部１１２１によって復号化され、認証装置１１００の認証部１１２３によって認証され、運転免許情報が正しく認証された場合には、認証装置１１００の第１の通信部１１１１から正しく認証されたことを示す認証完了が送信される（Ｓ１４１３）。電子運転免許証１０１０は、電子運転免許証１０１０の記憶部１０１１にドア解錠機能とエンジン始動機能とが予め登録されていた場合、ドア解錠およびエンジン始動の両方の機能を示す機能通知を送信する（Ｓ１４１４）。機能通知は、認証装置１１００の第１の通信部１１１１によって受信され、認証装置１１００の暗号処理部１１２１によって復号化され、認証装置１１００の機能許可部１１２４によってドア解錠許可信号がドア制御装置１０２１に出力される（Ｓ１４１５）とともにエンジン始動許可信号がエンジン制御装置１０２２に出力される（Ｓ１４１６）。ドア解錠許可信号を受け取ったドア制御装置１０２１においてドアの解錠がされて、応答がドア制御装置１０２１から出力される（Ｓ１４１７）。また、エンジン始動許可信号を受け取ったエンジン制御装置１０２２においてエンジン始動が許可されて、応答がエンジン制御装置１０２２から出力される（Ｓ１４１８）。応答は、認証装置１１００を介して、電子運転免許証１０１０に到達する（Ｓ１４１９）。したがって、運転者が車両のドアを開けることができるようになるとともに、運転者がエンジンを始動させることができるようになる。
（第３の実施形態）
本実施形態において、第１の通信部１１１１、第２の通信部１１１２、第３の通信部１１１３は、装置側通信部と同意である。
次に、本発明の第３の実施形態の電子運転免許証および認証装置について説明する。
第３の実施形態において、第２図に示す電子運転免許証１０１０は、認証装置１１００から所定の電磁波を受信したとき、応答を認証装置１１００に送信するようになっている。また、第１図に示す認証装置１１００は、記憶部１１２２が、車両の許可すべき機能を示す機能情報を運転者毎に記憶するようになっており、運転免許情報が正しく認証された場合、機能許可部１１２４が、機能情報に基づいて複数の機能の作動を同時に許可するようになっている。
以下、第３の実施形態の電子運転免許証１０１０および認証装置１１００の動作について、第１図および第２図を用いて説明する。
電子運転免許証１０１０を携帯した運転者が車両のドアに近づいたとき、所定の電磁波が、車両のドアに配置された第１の通信部１１１１から送出される。ここで電磁波は、例えば、運転者が車両のドアまたはドアのノブに接触したときに送出されるようになっていてもよく、運転者が車両のドアもしくはドア近傍の所定の位置に近づいたことを検知したときに送出されるようになっていてもよく、電子運転免許証１０１０が車両のドアもしくはドア近傍の所定の位置に接触したことを検知したときに送出されるようになっていてもよい。電子運転免許証１０１０は、認証装置１１００から電磁波を受信すると、認証装置１１００からの電磁波に対する応答を認証装置１１００に送信する。そして、認証装置１１００の第１の通信部１１１１によって、電子運転免許証１０１０に運転免許情報要求が送信され、電子運転免許証１０１０からの運転免許情報が受信される。電子運転免許証１０１０からの運転免許情報は、認証装置１１００の暗号処理部１１２１によって復号化され、認証装置１１００の認証部１１２３によって認証される。運転免許情報が正しく認証された場合には、機能許可部１１２４によって、認証装置１１００の記憶部１１２２に予め記憶された運転者毎の機能情報が参照され、どの機能の作動を許可するかが判定される。正しく認証された運転免許情報に対してドア解錠とエンジン始動とが関連付けて記憶されていた場合には、認証装置１１００の機能許可部１１２４によってドア解錠許可信号がドア制御装置１０２１に出力されるとともに、エンジン始動許可信号がエンジン制御装置１０２２に出力され、ドア解錠許可信号を受け取ったドア制御装置１０２１においてドアの解錠がされ、エンジン始動許可信号を受け取ったエンジン制御装置１０２２においてエンジン始動が許可される。
以上説明したように、第３の実施形態の認証装置１１００は、運転者識別情報を含む運転免許情報を記憶した電子運転免許証１０１０と通信する複数の通信部１１１１、１１１２、１１１３と、前記運転免許情報を認証する認証部１１２３と、車両の機能の作動を許可する機能許可部１１２４と、車両の許可すべき機能を運転者毎に運転免許情報に関連付けて記憶する記憶部１１２２とを備え、機能許可部１１２４が、正しく認証された前記運転免許情報に関連付けされた機能の作動を許可するようになっている。これにより、認証装置１１００の記憶部１１２２に予め記憶された運転者毎の機能のみが許可されることになり、車両の機能をその運転者が必要なものあるいは許されるもののみ許可することができる。
なお、前述の第１から第３までの実施形態において、車両の機能として、居室のドア解錠と、エンジンの始動と、荷室の解錠とを例に説明したが、本発明はこれらの機能に限定されるものではなく、その他の機能が車両の機能に含まれていてもよい。例えば、車両に移動電話が実装され、移動通信網を介した通信の提供が可能である場合、運転者毎に通信機能を許可するようになっていてもよい。また、例えば、車両にナビゲーション装置が実装され、ナビゲーションの提供が可能である場合、運転者毎にナビゲーション機能を許可するようになっていてもよい。また、運転免許情報の認証を行うことによって、緊急通報をするための認証を併せて行ってもよい。
また、第１および第２の実施形態において、複数の通信部１１１１、１１１２、１１１３がそれぞれ配置された位置に対応して位置情報を送出する例を説明したが、本発明はこれに限るものではない。例えば、単純に車内であるか車外であるかを示す位置情報を送出するようになっていてもよい。
また、各実施形態において、認証装置１１００を車両に載置した場合について説明したが、車両自体が各実施形態で説明した構成要素を備えるようにしても、同様な効果が得られる。
さらに、前述の実施形態においては、様々な効果を奏するようになっており、電子運転免許証を携帯していないと車両の運転をすることができないので、運転免許証不携帯や無免許運転を防ぐことができる。また、運転者を制限することができるので、事故が多い運転者や運転を殆どしない運転者を排除することもでき、事故を抑制することができる。また、運転免許情報や機能情報は暗号化して通信されるので、セキュリティ性が高い。
（第４の実施形態）
本実施形態において、記憶装置（記憶手段）２１３０は、免許証側記憶部と同意である。
本実施形態において、通信装置（通信手段）２１１０は、免許証側通信部と同意である。
本実施形態において、通信部２２１０は、装置側通信部と同意である。
本実施形態において、記憶装置２２３０は、記憶部と同意である。
第５図に示すように、本発明の第４の実施形態の電子運転免許システム２００１は、少なくとも運転免許に関する情報を記憶した携帯可能な電子運転免許証２１００と、車両２０１０に搭載された車体側制御装置２２００およびオーディオ装置などの車載装置２３００とを有する。
電子運転免許証２１００は、少なくとも運転免許に関する情報等を記憶する記憶装置（記憶手段）２１３０と、外部へ運転免許に関する情報等を送信可能な片方向通信の通信装置（通信手段）２１１０と、通信装置２１１０や記憶装置２１３０などの電子運転免許証２１００の内部にあるものの制御を行う電子運転免許証内部制御装置２１２０とを有する。
車体側制御装置２２００は、電子運転免許証２１００の通信装置２１１０から送信された信号を受信可能な通信装置（通信手段）２２１０と、読み書きが可能な記憶装置（記憶手段）２２３０と、通信装置２２１０や記憶装置２２３０などを制御し、かつ車載装置２３００と情報入出力装置（図示せず）を介して情報のやりとりを制御するシステム制御部２２２０とを有する。
車載装置２３００は、例えば車載オーディオ装置、車載電話装置等の複数の異なる車載装置２３１０、車載装置２３２０などからなり、車体側制御装置２２００に接続されている。なお、これらの車載装置２３００は、すべて電子運転免許証２１００の情報で認証されたときだけ動作するように設計されている。
上記第４の実施形態の電子運転免許システム２００１の動作を、第６図に基づき説明する。
最初に、電子運転免許証２１００にて車両２０１０と通信を行う。この通信の起動は、車両乗車解錠動作時、または電子運転免許証２１００を車両側に設けた所定のホルダに置いた時などに実行されるようになっている。そして、その通信により、電子運転免許証２１００が有している自身のＩＤ情報とあらかじめ登録している各種車載装置２３００の使用許可情報とが合わせて、電子運転免許証２１００がその通信装置２１１０から車体側制御装置２２００の通信装置２２１０へ送信される（Ｓ２１００）。
車体側制御装置２２００は、その通信部２２１０で受信した上記ＩＤ情報や各種車載装置２３００の使用許可情報を記憶装置２２３０に記憶する。このようにして記憶装置２２３０に記憶されたＩＤ情報や各種車載装置２３００の使用許可情報は、当該電子運転免許証２１００が車両内部に存在しなくなるまで記憶し続けられる。
その後、車載装置２３００を使用する際には、まず車載装置２３００から車体側制御装置２２００へ使用許可要求を発する（Ｓ２１０１）。この使用許可要求を受けてシステム制御装置（システム制御手段）２２２０が記憶装置２２３０に記憶しているデータ情報をチェックして電子運転免許証２１００からの情報が存在するか否かを確認する。
上記確認の結果、電子運転免許証２１００からの情報が存在していなければ、システム制御装置２２２０は、電子運転免許証２１００からの情報を得るために、車載装置２３００の使用者に対して電子運転免許証２１００の情報の送信を促す。この送信の催促は、車両２０１０に存在する、例えば車載オーディオ装置による音声などを利用して車載装置使用者へ伝達することにより行われる。
一方、電子運転免許証２１００からの情報が車体側制御装置２２００の記憶装置２２３０内に存在する場合は、システム制御装置２２２０が電子運転免許証２１００からの車載装置使用許可情報と使用許可要求の出ている車載装置２３００の情報とを確認して、該当車載装置２３００が使用可能か否かを判断し、認証のための確認を行う（Ｓ２１０２）。
そして、その結果を、使用許可または使用拒否の情報として当該車載装置２３００に送信し（Ｓ２１０３）、車載装置２３００でその結果に基づいて動作を開始する（Ｓ２１０４）。すなわち、判断結果が使用許可するものであれば、当該車載装置２３００が使用可能な状態となってその各種のコントロール等が可能なるが、判断結果が使用拒否されたものであれば、当該車載装置２３００を使用することができなくなる。
以上説明したように、本発明の第４の実施形態の電子運転免許システム２００１によれば、電子運転免許証２１００に記憶された車載装置２３００の使用許可情報により、車載装置２３００を使用する権利を持つ人のみが使用することができるようになり、また車載装置２３００の中に存在する個人情報を保護するとともに、車載装置２３００等の盗難防止に貢献することができるようになる。
（第５の実施形態）
本実施形態において、通信装置２１１０は、免許証側通信部と同意である。
本実施形態において、通信部２２１０は、装置側通信部と同意である。
本実施形態において、記憶装置２１３０は、免許証側記憶部と同意である。
以下第５の実施形態の電子運転免許システムにつき、説明する。この電子運転免許システムは、基本的には第５図の電子運転免許システム２００１と同じであり、第４の実施形態の電子運転免許システム２００１では、電子運転免許証２１００の通信装置２１１０が送信のみで片方向通信であったのに対し、本電子運転免許システムでは、通信装置２１１０と通信装置２２１０とが双方向通信対応型となるようにした点が相違するだけである。
上記第５の実施形態の電子運転免許システムの動作を図面に基づき説明する。
まず、車載装置２３００の使用を希望する場合につき、第７図のタイムチャートにより説明する。
車載装置２３００の使用を希望する際は、はじめに車載装置２３００から車体側制御装置２２００へ使用許可要求を出す（Ｓ２２００）。車体側制御装置２２００は、電子運転免許証２１００の存在を確認し、電子運転免許証２１００が存在していたら、電子運転免許証２１００に対して当該車載装置２３００の使用許可要求（ＩＤ要求）を送信する（Ｓ２２０１）。これに対し、電子運転免許証２１００が存在しない場合は、車載装置２３００の使用者に対して電子運転免許証２１００が存在しない旨を、車載オーディオ装置による音声などを利用してその車載装置２３００の使用希望者へ伝達する。
ＩＤ要求を受けた電子運転免許証２１００は、電子運転免許証内部制御装置２１２０が上記ＩＤ要求にこたえて記憶装置２１３０内の該当車載装置２３００に対する使用許可情報を認証情報として車体側制御装置２２００へ返信する（Ｓ２２０２）。車体側制御装置２２００は、この返信情報など、収集した情報をもとに認証動作を行う（Ｓ２２０３）。そしてその認証結果をもとに当該車載装置２３００に使用許可情報または使用拒否情報を返信する（Ｓ２２０４）。車載装置２３００はその返信情報に基づいて動作を開始する（Ｓ２２０５）。すなわち、判断結果が使用許可するものであれば、当該車載装置２３００が使用可能な状態となってその各種のコントロール等が可能なるが、判断結果が使用拒否するものであれば、当該車載装置２３００を使用することができなくなる。
以上説明したように、第５の実施形態の電子運転免許システム２００１によれば、車載装置２３００の使用要求が発生したときに、電子運転免許証２１００に記憶された情報に基づいて使用許可を決定し、車載装置２３００の使用を許可することができるようになる。また、本発明の第４の実施形態の電子運転免許システム２００１よりもさらに高度に車両の中に存在する個人情報を保護することが可能となるほか、常時自動認証により利便性が向上するとともに、車載装置２３００の盗難防止に貢献することが可能となる。
次に、上記第５の実施形態の電子運転免許システム２００１において、車載装置２３００の使用を予約した場合に、その使用の認証結果が使用希望者に分かるようにするための動作を説明する。
車載装置２３００の使用要求があったとき、車体側制御装置２２００は、電子運転免許証２１００と双方向通信を行い、上記使用許可を得る場合で説明したのと同様な使用許可認証の動作をする。このとき、認証後、当該車載装置２３００の使用が許可されたときに、車体側制御装置２２００から電子運転免許証２１００に対して、当該車載装置２３００の使用予約がなされた旨を通信により通知する。この通知によって、電子運転免許証２１００は、電子運転免許証２１００の持ち主に対して、例えばアラーム音とか、ランプの点滅等の情報伝達手段を用いて、車載装置２３００の使用が予約されたことを伝えることが可能となる。
次に、上記第５の実施形態の電子運転免許システム２００１において、車載装置２３００の使用を予約した場合に、その使用開始が使用希望者に分かるようにするための動作を説明する。
車載装置２３００の使用要求があったとき、車体側制御装置２２００は、電子運転免許証２１００と双方向通信を行い、使用許可認証の動作をする。このとき、認証後、使用が許可されたときに、車体側制御装置２２００は、当該車載装置２３００に対して使用許可を与える。この後、車載装置２３００の使用が開始されたとき、その情報を車体側制御装置２２００が受け取り、電子運転免許証２１００に対して、車載装置２３００の使用が開始された旨を通知する。この通知は、例えばアラーム音とか、ランプの明滅等の情報伝達手段によって行う。これにより、使用希望者は、希望した車載装置２３００が使用開始状態になったことが理解でき、ただちに使用を開始することが可能となる。
（第６の実施形態）
次に、第６の実施形態の電子運転免許システムにつき説明する。
この電子運転免許システムは、車載電話装置の使用権利の許可または使用拒否を行うようにした電子運転免許システムである。
第８図に示すように、電子運転免許システム２００２は、車載装置としてマン・マシン・インターフェイスを有する車載電話制御装置２３１１と外部と通話が可能な車載電話装置２３１２とが用いられている点が、第５図の双方向型の電子運転免許システム２００１と相違する。
上記電子運転免許システム２００２の動作を第９図に基づき説明する。
電子運転免許証２１００の持ち主が車両２０１０に搭載されている車載電話装置２３１２の使用を希望したときは、はじめに電話使用要求を車載電話制御装置２３１１に対して行う（Ｓ２３００）。車載電話制御装置２３１１は、車載電話装置２３１２の使用許可の有無につき車体側制御装置２２００に対して確認する（Ｓ２３０１）。
この確認の問い合わせを受けると、車体側制御装置２２００は、電子運転免許証２１００に対して車載電話使用許可情報（ＩＤ情報）を要求し（Ｓ２３０２）、電子運転免許証２１００から記憶されているＩＤ情報を受け取る（Ｓ２３０３）。車体側制御装置２２００は、この受け取ったＩＤ情報をもとに認証動作を行う（Ｓ２３０４）。
認証動作により得た結果は、車載電話装置２３１２の使用許可又は使用拒否の情報として車載電話制御装置２３１１へ返信する（Ｓ２３０５）。そして、許可されたときだけ車載電話装置２３１２の使用を許可し（Ｓ２３０６）、はじめてユーザーが車載電話装置２３１２を使用することができるようになる。
車載電話装置２３１２の使用後は、車載電話制御装置２３１１が、車載電話装置２３１２を使用した際の使用情報（例えば、通信時間や通信先等の情報）を車体側制御装置２２００に送信する（Ｓ２３０７）。車体側制御装置２２００は、さらにその車載電話使用情報を電子運転免許証２１００に送信し（Ｓ２３０８）、電子運転免許証２１００に記録する（Ｓ２３０９）。この情報の記録が終了したら、電子運転免許証２１００が情報記録終了通知を車体側制御装置２２００に送信して（Ｓ２３１０）、一連の処理が完了する。
以上説明したように、第６の実施形態の電子運転免許システム２００２によれば、車載電話装置２３１２の使用権利を、電子運転免許証２１００の持ち主に合わせて自在に設定することが可能となり、また、車載電話装置２３１２を使用した情報について、電子運転免許証２１００ごとに記録を残すことが可能となる。
（第７の実施形態）
次に、第７の実施形態の電子運転免許システムにつき説明する。
この電子運転免許システムは、車載オーディオ装置の車載オーディオ機能（いずれかの他の車載装置の使用が拒否されたときや電子運転免許証２１００の存在を確認するときに、ユーザーへ車載オーディオ装置により音声で報知する機能を除く）の使用権利の許可又は拒否を行うことができるようにした電子運転免許システムである。
第１０図に示すように、電子運転免許システム２００３は、車載装置として車載オーディオ装置２３１３が用いられている点が第５図の双方向型の電子運転免許システム２００１と相違する。なお、車載装置としては、上記車載オーディオ装置２３１３とは別に他の車載装置２３２０も搭載されている。
上記電子運転免許システム２００３の動作を第１１図のタイムチャートに基づき説明する。
電子運転免許証２１００の持ち主が車両に搭載されている車載オーディオ装置２３１３の車載オーディオ機能の使用を希望するときは、はじめに電子運転免許証２１００の持ち主が車載オーディオ機能の使用要求を車載オーディオ装置２３１３に対して行う（Ｓ２４００）。車載オーディオ装置２３１３は、車載オーディオ機能の使用許可の有無につき車体側制御装置２２００に対して確認する（Ｓ２４０１）。
この確認の問い合わせがあると、車体側制御装置２２００は、電子運転免許証２１００に対して車載オーディオ機能使用許可情報（ＩＤ情報）を要求し（Ｓ２４０２）、電子運転免許証２１００からＩＤ情報の返信を受ける（Ｓ２４０３）。車体側制御装置２２００は、受け取ったＩＤ情報をもとに認証動作を行う（Ｓ２４０４）。この認証動作で得た結果を車載オーディオ装置２３１３に対して車載オーディオ機能の使用許可または拒否の情報として返信し（Ｓ２４０５）、許可されたときだけ車載オーディオ装置２３１３の車載オーディオ機能の使用を許可する。これにより、はじめてユーザーは車載オーディオ装置２３１３の車載オーディオ機能を使用することができるようになる。
車載オーディオ装置２３１３の使用後は、車載オーディオ装置２３１３は、車載オーディオ機能を使用した際の使用情報（例えば、電子運転免許証２１００の持ち主がドライブ時によく聞いていたラジオ局の周波数や、音楽のジャンル等の情報、あるいは、よく聞くＣＤやＭＤなどの種別や曲順などの情報）を電子運転免許証２１００に記録するために、車体側制御装置２２００に上記使用情報を送信する（Ｓ２４０６）。
車体側制御装置２２００は、この使用情報を電子運転免許証２１００に送信して（Ｓ２４０７）、電子運転免許証２１００に記録する（Ｓ２４０８）。電子運転免許証２１００での記録が終了すると、この情報記録終了通知が車体側制御装置２２００に送信され（Ｓ２４０９）、一連の処理が完了する。
以上説明したように、本発明の第７の実施形態の電子運転免許システム２００３によれば、車載オーディオ装置２３１３の車載オーディオ機能の使用権利を、電子運転免許証２１００の持ち主に合わせて自在に設定することができる。また、電子運転免許証２１００の持ち主が使用したオーディオ使用情報について、電子運転免許証２１００ごとに記録を個別に残すことができ、カスタマイズが可能となる。
（第８の実施形態）
次に、第８の実施形態の電子運転免許システムにつき説明する。
この電子運転免許システムは、車載のコンビネーション・メータ装置および運転走行制御装置の使用権利の許可または拒否を行うことができるようにした電子運転免許システムである。
第１２図に示すように、電子運転免許システム２００４は、車載装置としてコンビネーション・メータ装置２３１４と運転走行制御装置２３１５とが用いられている点が第５図の双方向型の電子運転免許システム２００１と相違する。
上記第８の実施形態の電子運転免許システム２００４の動作を第１３図のタイムチャートに基づき説明する。
電子運転免許証２１００の持ち主が車両に搭乗し、車両のエンジンをスタートさせると、コンビネーション・メータ装置２３１４は、そのエンジンスタート情報を掴み（Ｓ２５００）、車体側制御装置２２００に対してコンビネーション・メータ装置２３１４および運転走行制御装置２３１５の使用許可の有無を確認する（Ｓ２５０１）。
この確認の問い合わせがあると、車体側制御装置２２００は、電子運転免許証２１００に対してコンビネーション・メータ装置２３１４および運転走行制御装置２３１５の使用許可情報及び運転情報等（ＩＤ情報）を要求し（Ｓ２５０２）、電子運転免許証２１００からＩＤ情報等の返信を受ける（Ｓ２５０３）。車体側制御装置２２００は、電子運転免許証２１００から受け取った情報をもとに認証動作を行う（Ｓ２５０４）。
車体側制御装置２２００は、コンビネーション・メータ装置２３１４および運転走行制御装置２３１５に対して、上記認証動作で得た結果をコンビネーション・メータ装置２３１４および運転走行制御装置２３１５の許可または拒否の情報として返信し（Ｓ２５０５）、許可されたときだけコンビネーション・メータ装置２３１４および運転走行制御装置２３１５を使用することが可能となる。これに対し、拒否された場合はコンビネーション・メータ装置２３１４および運転走行制御装置２３１５を使用できない。これらの許可または拒否の情報は、コンビネーション・メータ装置２３１４と運転走行制御装置２３１５とで共有され（Ｓ２５０６）、運転情報（例えば、走行距離とか加速・ブレーキ制御タイミング情報など）とともにそれぞれに記憶される。
車両の運転を終了したとき、すなわちエンジンを切ったときに、運転走行制御装置２３１５からコンビネーション・メータ装置２３１４へそれまで蓄積した運転情報を送信し（Ｓ２５０７）、次いで、コンビネーション・メータ装置２３１４が、上記運転情報と自身がそれまで蓄積していた運転情報とを、電子運転免許証２１００に記録するために車体側制御装置２２００に送信する（Ｓ２５０８）。そして、車体側制御装置２２００は、この運転情報を電子運転免許証２１００に送信して（Ｓ２５０９）、電子運転免許証２１００に記録する（Ｓ２５１０）。電子運転免許証２１００は、情報記録終了通知を車体側制御装置２２００に送信して（Ｓ２５１１）、一連の処理が完了する。
以上説明したように、第８の実施形態の電子運転免許システム２００４によれば、コンビネーション・メータ装置２３１４および運転走行制御装置２３１５の使用権利を、電子運転免許証２１００の持ち主に合わせて自在に設定することが可能となる。また、本電子運転免許システム２００４では、コンビネーション・メータ装置２３１４から走行記録等の運転情報を受けて、車体側制御装置２２００を経由し、電子運転免許証２１００ごとに個別に記憶することが可能となる。これによって、従来使用されていた走行記録計を廃止し、電子運転免許証２１００の内部に運転情報を蓄え、次回の運転等の参考情報として利用することも可能となる。
また、電子運転免許証２１００からは、別途読取装置を準備することによって、走行情報を収集することが可能となって、業務車両等の運行管理が容易に行えるようになる。さらに、運転走行制御装置２３１５と連携することによって、ドライバーの運転の癖を情報として蓄積し、この情報に合わせて、運転走行制御装置２３１５がドライバーをアシストすることによって、より安全な走行を実現することができるようになる。また、この運転情報を他の車両に展開することによって、あまり乗車することがない、言い換えれば慣れていない車両の運転に対しても、その車両の運転走行制御装置２３１５と、電子運転免許証２１００に記録された情報が連携されることによって、より安全な運転を実現することが可能となる。
（第９の実施形態）
本実施形態において、緊急通報装置２３１６は、緊急通信装置と同意である。
次に、本発明の第９の実施形態の電子運転免許システムにつき説明する。
この電子運転免許システムは、緊急通報装置の使用権利の許可または拒否を行うことができるようにした電子運転免許システムである。
第１４図に示すように、電子運転免許システム２００５は、車載装置として緊急通報装置２３１６が用いられている点、および電子運転免許証２１００の記憶装置２１３０に、あらかじめ電子運転免許証２１００の持ち主の健康情報（例えば既往歴、現在かかっている病気、通院している病院情報、血液型など）を記憶させてある点が、第５図の双方向型の電子運転免許システム２００１と相違する。
上記第９の実施形態の電子運転免許システム２００５の動作を第１５図のタイムチャートに基づき説明する。
はじめに車両に運転者が搭乗すると（Ｓ２６００）、緊急通報装置２３１６は、車体側制御装置２２００に対して緊急通報装置２３１６の使用許可確認を行う（Ｓ２６０１）。車体側制御装置２２００は、電子運転免許証２１００に対して緊急通報装置２３１６の使用許可情報（ＩＤ情報）を問い合わせ（Ｓ２６０２）、電子運転免許証２１００からＩＤ情報と持ち主の健康情報とを合わせて受け取り（Ｓ２６０３）、その情報をもとに認証動作を行う（Ｓ２６０４）。
車体側制御装置２２００は、認証動作で得た結果と電子運転免許証２１００から受け取った電子運転免許証２１００の持ち主の健康情報とを、緊急通報装置２３１６に対して緊急通報装置２３１６の使用許可または拒否の情報として返信し（Ｓ２６０５）、許可されたときだけ、緊急通報装置２３１６を使用することができるようになる。
そして、緊急時、例えば衝突事故とか、体の具合が悪くなったとき等において、緊急通報装置２３１６から緊急通報を緊急通報センターへ発信する際、その緊急時の地点と電子運転免許証２１００の持ち主の健康情報とを合わせて送信する（Ｓ２６０６）。この送信に際しては、例えば、電子運転免許証２１００より読み出した電子運転免許証２１００の持ち主の健康情報中、特定の情報（例えば、病院の既往歴とか、現在治療中の病気とか、血液型とか、服用中の薬の一覧とかなど）を、車両位置情報などと合わせて、緊急通報センターに通報できるようにする。
以上説明したように、第９の実施形態の電子運転免許システム２００５によれば、電子運転免許証２１００の持ち主に健康上等の緊急事態が発生したとき、このときの車両位置と緊急事態および電子運転免許証２１００の持ち主の健康上情報を緊急通報センター等へ発信することができる。また、緊急車両をその緊急現場へ向かわせる際に、上記電子運転免許証２１００の持ち主の健康上情報を参照することで電子運転免許証の持ち主の健康状態に即した対応を取ることができ、より適切な処置を行うことが可能となる。
（第１０の実施形態）
本実施形態において、車両側路車間通信装置２３１７は、車両に搭載される路車間通信装置と同意である。
次に、第１０の実施形態の電子運転免許システムにつき説明する。
この電子運転免許システムは、路車間通信機能の使用許可または拒否を行うことができるようにした電子運転免許証である。
第１６図に示すように、電子運転免許システム２００６は、車載装置として車両側路車間通信装置２３１７が用いられている点、この車両側路車間通信装置２３１７が路側路車間通信装置２６００を介して店舗２４００に設置された路側端末装置２５００と通信可能である点が、第５図の双方向型の電子運転免許システム２００１と相違する。
上記第１０の実施形態の電子運転免許システム２００６の動作を第１７図のタイムチャートに基づき説明する。
はじめに運転者が車両に搭乗すると（Ｓ２７００）、車両側路車間通信装置２３１７は、路車間通信機能の使用確認のために、車体側制御装置２２００に対して路車間通信機能の使用許可確認を行う（Ｓ２７０１）。車体側制御装置２２００は、電子運転免許証２１００に対して路車間通信機能の使用許可情報（ＩＤ情報）および個人情報を問い合わせ（Ｓ２７０２）、電子運転免許証２１００からＩＤ情報及び個人情報を受け取り（Ｓ２７０３）、その情報をもとに認証動作を行う（Ｓ２７０４）。
認証動作で得た結果を、車両側路車間通信装置２３１７に対して路車間通信機能の使用許可または拒否の情報および個人情報として返信し（Ｓ２７０５）、許可されたときだけ、路車間通信機能を使用することができるようになる（Ｓ２７０６）。また、この個人情報によって、ドライブスルーの店舗２４００に行って買い物をする際に、過去に購入したリストを電子運転免許証２１００に記憶しておくことによって、店舗２４００側でこの情報を利用して顧客の購買履歴の参照が可能となり、より細かいサービスを本電子運転免許証２１００の持ち主に提供することが可能となる。
以上説明したように、第１０の実施形態の電子運転免許システム２００６によれば、路車間通信機能を電子運転免許証２１００の所持者の情報に基づいて適切に使用させることができる。また、ドライブスルーの店舗での物品の購入情報に限らず、車検情報や、車両の故障履歴情報、ディーラーでの車両整備情報などの情報を、電子運転免許証２１００に記憶することができ、その情報を路車間通信機能によって、車室内の情報を車室外へ容易に、しかもセキュリティを確保しながら入出力することが可能となる。
（第１１の実施形態）
次に、第１１の実施形態の電子運転免許システムにつき、説明する。
この電子運転免許システムは、使用可能車載装置情報を異なる電子運転免許証ごとに設定することができるようにした電子運転免許システムである。
第１８図に示すように、電子運転免許システム２００７は、電子運転免許証２１００として第１電子運転免許証２１０１、第２電子運転免許証２１０２といった異なる複数の電子運転免許証がある点、車体側制御装置２２００に第１電子運転免許証２１０１に対して使用許諾された第１車載装置群２３３０と、第２電子運転免許証２１０２に対して使用許諾された第２車載装置群２３４０とがある点が、第５図の双方向型の電子運転免許システム２００１と相違する。なお、第１電子運転免許証２１０１と第２電子運転免許証２１０２とは、通信装置２１１１（通信手段）と通信装置２１１２（通信手段）とをそれぞれ有するが、その他の記憶装置等は図示を省略している。
なお、電子運転免許証２１０１と電子運転免許証２１０２とは、その内部の各記憶装置（図示せず）に車載装置の使用許可情報を個別に記憶しており、この例では第１車載装置群２３３０と第２車載装置群２３４０との一部が共通した車載装置２３００となっている。また、電子運転免許証２１０１と電子運転免許証２１０２との各電子運転免許証内部制御装置も図を省略してある。
上記第１１の実施形態の電子運転免許システム２００７の動作を、第１９図のタイムチャートに基づき説明する。
まず第１電子運転免許証２１００を所持する運転者が、第１車載装置群２３３０のうちのいずれかの車載装置の使用を希望した場合（Ｓ２８００）、第１車載装置群２３３０は、車体側制御装置２２００に対して、第１車載装置群２３３０の使用許可確認を行う（Ｓ２８０１）。この確認要求を受けて、車体側制御装置２２００は、第１電子運転免許証２１０１に対して、第１車載装置群２３３０の使用許可情報（ＩＤ情報）の有無につき確認を行う（Ｓ２８０２）。
この確認の問い合わせに応じて、第１電子運転免許証２１０１は、第１電子運転免許証２１０１に登録されているＩＤ情報を車体側制御装置２２００へ返信する（Ｓ２８０３）。車体側制御装置２２００は、この返信された情報をもとに認証動作を行い（Ｓ２８０４）、第１車載装置群２３３０に対して、第１電子運転免許証２１０１に許可されている内容に基づいた許可情報を第１車載装置群２３３０の使用許可の情報として返信する（Ｓ２８０５）。この許可情報を受け取った第１車載装置群２３３０は、第１車載装置群２３３０の情報に登録された車載装置のみ使用の許可を行う。
その後、第２電子運転免許証２１０２を所持する別の運転者が第２車載装置群２３４０のうちのいずれかの車載装置の使用を要求したとき（Ｓ２８１０）、第２車載装置群２３４０は、先ほどの第１車載装置群２３３０の場合と同様に、車体側制御装置２２００に対して第２車載装置群２３４０の使用許可確認を行い（Ｓ２８１１）、車体側制御装置２２００が再び第２電子運転免許証２１０２に対して第２車載装置群２３４０の使用許可情報（ＩＤ情報）の有無につき確認を行う（Ｓ２８１２）。
この確認の問い合わせがあると、第２電子運転免許証２１０２は、第２電子運転免許証２１０２に登録されているＩＤ情報を車体側制御装置２２００へ返信する（Ｓ２８１３）。車体側制御装置２２００は、この情報をもとに認証動作を行い（Ｓ２８１４）、第２車載装置群２３４０に対して、今度は第２電子運転免許証２１０２に許可されている内容に基づいた許可情報を第２車載装置群２３４０の使用許可の情報として返信する（Ｓ２８１５）。この許可情報を受け取った第２車載装置群２３４０は、第２車載装置群２３４０の情報に登録された車載装置のみ使用の許可を行う。
以上説明したように、第１１の実施形態の電子運転免許システム２００７によれば、各電子運転免許証（第１電子運転免許証２１０１、第２電子運転免許証２１０２など）に車載装置２３００（第１車載装置群２３３０、第２車載装置群２３４０など）の使用許可情報を個別に記憶できる。これにより、車載装置２３００の使用許可設定を電子運転免許証２１００ごとに個別に行うことが実現され、カスタマイズが可能となる。
次に、上記各実施形態の電子運転免許システムで使用する電子運転免許証２１００を非接触ＩＣカード型電子運転免許証とした場合につき第２０図に基づき説明する。
第２０図に示すように、この非接触ＩＣカード型電子運転免許証２１５０は、内部の各装置の制御を行う制御回路２１２２と、読み書き可能な記憶装置（記憶手段）２１２３と、外部と情報の入出力する際のセキュリティを確保するための暗号化装置２１２１と、外部と情報を通信にて入出力するための通信装置２１１０と、通信装置２１１０の通信用アンテナ２１６０と、本非接触ＩＣカード型電子運転免許証２１５０の動作を確保するための電源回路２１３０と、データバックアップ用の１次電池２１４０と、通常動作用の２次電池２１５０と、本非接触ＩＣカード型電子運転免許証２１５０の動作電源を外部より供給するための電力供給用アンテナ２１７０とから構成され、外部機器と接続するための端子を持たないＩＣカード型の形状のケース２１５１に入れられている。
上記構成によって、本非接触ＩＣカード型電子運転免許証２１５０と外部装置（車体側制御装置２２００など）との間での情報の入出力をすべて無線通信にて実現し、動作電源の供給についても、無線にて高周波電力を供給し、電源回路２１３０にて平滑安定化し、２次電池２１５０を用いることによって安定的に動作させることができ、制御回路２１２２、記憶装置２１２３、暗号化装置２１２１、通信装置２１１０等を含む電子運転免許証部分２１２０へ電力供給することが可能となる。このような非接触ＩＣカード型電子運転免許証２１５０によれば、電子運転免許証２１００から外部機器接続用の端子を廃止し、完全非接触型のＩＣカードとすることが可能となる。
（第１２の実施形態）
第１２の実施形態の車載機器使用許可システムを第２１図に示す。
本実施形態において、車載機器３００４は、車両に載置された車載装置と同意である。
本実施形態において、第１通信手段３０２１は、免許証側通信部と同意である。
本実施形態において、暗証番号認証手段３０２２は、暗証番号認証部と同意である。
本実施形態において、第１記憶手段３０２３は、免許証側記憶部と同意である。
本実施形態において、第２通信手段３０３１は、装置側通信部と同意である。
本実施形態において、個人認証手段３０３２は、個人認証部と同意である。
本実施形態において、第２記憶手段３０３３は、装置側記憶部と同意である。
本実施形態において、暗証番号入力手段３０３５は、暗証番号入力部と同意である。
本実施形態において、暗証番号送信手段３０３６は、暗証番号送信部と同意である。
本発明の実施形態に係る車載機器使用許可システムは、外部から入力された暗証番号が認証された場合のみ記憶している個人情報を出力する電子運転免許証と、電子運転免許証との間で通信可能でありユーザーによる暗証番号の入力で電子運転免許証に記憶されている個人情報をその暗証番号とともに登録し、登録した暗証番号を電子運転免許証での認証が得られるまで順次電子運転免許証へ送信し、電子運転免許証から個人情報が送られてきたら登録している照合用の個人情報と照合して認証が得られた場合にのみ車載機器の使用を許容する車載機器使用許可装置とを有する。
第２１図において、車載機器使用許可システム３００１は、暗証番号が入力されると内部に記憶されている運転者の個人情報を出力可能な電子運転免許証３００２と、内部に記憶されている車載機器の使用が予め許可された暗証番号を電子運転免許証３００２に順次送信して電子運転免許証３００２で暗証番号の認証が得られた場合に電子運転免許証３００２から送信してきた個人情報を内部に記憶している個人情報と照合して認証が得られたら車載機器３００４の使用を許可する車載機器使用許可装置３００３とを有する。
電子運転免許証３００２は、車載機器使用許可装置３００３との間で通信するための第１通信手段３０２１と、運転者の個人情報および当該個人情報を読み出すための暗証番号を記憶する第１記憶手段３０２３と、第１記憶手段３０２３に記憶された暗証番号と第１通信手段３０２１で受信した暗証番号とを照合して暗証番号が合致するとの認証を得た場合には第１通信手段３０２１から第１記憶手段３０２３に記憶した個人情報を送信するのを許容し、暗証番号の認証が得られない場合には第１通信手段３０２１からの個人情報の送信を禁止する暗証番号認証手段３０２２とを有する。
車載機器使用許可装置３００３は、電子運転免許証３００２の第１通信手段３０２１と通信するための第２通信手段３０３１と、暗証番号および個人情報を記憶する第２記憶手段３０３３と、暗証番号をユーザー入力するための暗証番号入力手段３０３５と、暗証番号入力手段３０３５で入力された暗証番号に対応する個人情報を電子運転免許証３００２から読み出してその暗証番号と個人情報とを第２記憶手段３０３３に登録したり第２記憶手段３０３３に登録されている暗証番号と個人情報とを削除したりする情報登録削除手段３０３４と、電子運転免許証３００２の第１通信手段３０２１との通信開始の際に、第２記憶手段３０３３に蓄積記憶された暗証番号を第２通信手段３０３１から第１通信手段３０２１へ電子運転免許証３００２の暗証番号認識手段３０２２で認証が得られるまで順次送信する暗証番号送信手段３０３６と、第２通信手段３０３１で受信した第１通信手段３０２１からの個人情報と第２記憶手段３０３３に記憶された個人情報とを照合して認証が得られた場合に車載機器３００４の使用を許可する個人認証手段３０３２とを備えている。
なお、車載機器使用許可装置３００３の第２通信手段３０３１は、たとえば車両のインストメントパネルの運転者側部分に設けられ、電子運転免許証３００２が近づけられると第１通信手段３０２１との間で通信が実行されるようにしてある。
以上のように構成された車載機器使用許可システム３００１について、第２２図のタイムチャートを用いてその動作を説明する。
まず、ユーザーが車載機器３００４の使用を許可する暗証番号を車載機器使用許可装置３００３の第２記憶手段３０３３に登録をする（Ｓ３００１）。すなわち、この登録にあっては、ユーザーが暗証番号入力手段３０３５に車載機器３００４の使用を許可する暗証番号を入力することにより、第２記憶手段３０３３に暗証番号を入力して記憶させる。この暗証番号が登録されると、第２通信手段３０３１から電子運転免許証３００２へ暗証番号が送信され、電子運転免許証３００２で認証を得て第１通信手段３０２１から送られてきた第１記憶手段３０２３に記憶された個人情報を情報登録削除手段３０３４で取得し、情報登録削除手段３０３４がこの受信した個人情報を照合用の個人情報として対応する暗証番号とリンクさせて第２記憶手段３０３３に記憶する。
この登録は、当該車両の車載機器３００４の使用を許可する者ごとにその人数分行われる。なお、この場合、使用を許可する車載機器３００４の種類をユーザーごとに異ならせて登録するようにしてもよい。
登録後は、車載機器３００４の使用を希望してユーザーが電子運転免許証３００２を第２通信手段３０３１に近づけると、個人認証手段３０３２がこれを感知して電子運転免許証３００２へ第２記憶手段３０３３に記憶してある暗証番号の送信開始を決定し（Ｓ３００２）、暗証番号送信手段３０３６に送信開始を指示する（Ｓ３００３）。暗証番号送信手段３０３６は、第２記憶手段３０３３に記憶された暗証番号を読み出し、読み出した暗証番号を第２通信手段３０３１から電子運転免許証３００２の第１通信手段３０２１へ送信する（Ｓ３００４）。
電子運転免許証３００２では、第１通信手段３０２１で受信した暗証番号と第１記憶手段３０２３から読み出した暗証番号とを基に暗証番号認証手段３０２２が暗証番号の照合を行う（Ｓ３００５）。
この照合で認証が得られない場合は、その旨の情報を第１通信手段３０２１から第２通信手段３０３１に送信する。この情報を受けた暗証番号送信手段３０３６は、第２記憶手段３０３３から次の暗証番号を読み出して、第２通信手段３０３１から第１通信手段３０２１へ送信する。この暗証番号送信手段３０３６による暗証番号の送信は、電子運転免許証３００２の暗証番号認証手段３０２２で暗証番号の認証が得られるまで別の暗証番号を順次送信していく（Ｓ３００６）。電子運転免許証３００２では、その都度、暗証番号送信手段３０３６で暗証番号の照合が行われる（Ｓ３００７）。
暗証番号送信手段３０３６で暗証番号を照合して（Ｓ３００５、Ｓ３００７）暗証番号の認証が得られると、認証情報が第１通信手段３０２１から第２通信手段３０３１に送信される。この認証情報の受信により、暗証番号送信手段３０３６による以降の暗証番号の送信が停止されるとともに、個人認証手段３０３２が第２記憶手段３０３３からその暗証番号に相当する照合用の個人情報を読み出し個人認証手段３０３２に転送させる（Ｓ３００８）。
一方、電子運転免許証３００２は、第１記憶手段３０２３に記憶されている個人情報を第２通信手段３０３１に第１通信手段３０２１から送信して個人認証手段３０３２に入力する（Ｓ３００９）。
なお、上記Ｓ３００７からＳ３００９にあっては、上記認証情報を受信したら第２記憶手段３０３３から照合用の個人情報を読み出し第１通信手段３０２１から個人情報が送信されるようにしているが、これに代え、暗証番号認証手段３０２２で認証が得られたら、第１通信手段３０２１が第２通信手段３０３１に最初から個人情報を送信するようにし、個人認証手段３０３２は個人情報を受信したら認証を得たと判断して、第２記憶手段３０３３から照合用の個人情報を転送させるようにしてもよい。
個人認証手段３０３２は、電子運転免許証３００２から送信されてきた個人情報と第２記憶手段３０３３から読み出した照合用の個人情報とを照合し、個人認証が得られた場合（Ｓ３０１０）は車載機器３００４の使用許可を指示する使用許可信号を車載機器３００４に入力する（Ｓ３０１１）。使用許可信号を入力された車載機器３００４は、使用許可動作可能な状態となる（Ｓ３０１２）。
なお、第２２図のタイムチャートでは省略したが、Ｓ３０１０で個人認証が得られなかった場合は、個人認証手段３０３２が車載機器３００４の使用許可信号を出力しないので、車載機器３００４を使用することはできない。
以上のように構成した本発明の第１２の実施形態の車載機器使用許可システム３００１によれば、暗証番号を入力しないと内部に記憶している個人情報を出力できない電子運転免許証であっても、車両側で電子運転免許証から個人情報を取得し、照合用の個人情報を登録して、電子運転免許証から取得した個人情報に基づき個人認証が得られた場合に車載機器の使用を許可することができるようになる。
（第１３の実施形態）
本発明の第１３の実施形態の車載機器使用許可システム３００５を第２３図に示す。
本実施形態において、第１通信手段３０２１は、免許証側通信部と同意である。
本実施形態において、暗証番号認証手段３０２２は、暗証番号認証部と同意である。
本実施形態において、第１記憶手段３０２３は、免許証側記憶部と同意である。
本実施形態において、第２通信手段３０３１は、装置側通信部と同意である。
本実施形態において、個人認証手段３０３２は、個人認証部と同意である。
本実施形態において、第２記憶手段３０３３は、装置側記憶部と同意である。
本実施形態において、暗証番号送信手段３０３６は、暗証番号送信部と同意である。
本実施形態において、使用頻度取得手段３０３７は、使用頻度取得部と同意である。
第２３図において、車載機器使用許可システム３００５は、第２１図に示した第１２の実施形態の車載機器使用許可システム３００１の構成に、電子運転免許証３００２を利用した車載機器３００４の使用頻度をユーザーごとに取得して第２記憶手段３０３３に記憶させる使用頻度取得手段３０３７と、第２記憶手段３０３３に記憶されたユーザーごとの使用頻度に基づき使用頻度の高い順から小さい順に暗証番号をソートし、使用頻度順位を決定し第２記憶手段３０３３に暗証番号とその使用頻度順位とをリンクさせて記憶するソート手段３０３８とをさらに追加した構成を備え、暗証番号送信手段３０３６がソート手段３０３８でソートした使用頻度の高い順の暗証番号を第２記憶手段３０３３から読み出し第２通信手段３０３１から電子運転免許証３００２へ送信するように構成した点が第１２の実施形態の車載機器使用許可システム３００１と異なる。なお、その他の構成は、第１２の実施形態の車載機器使用許可システム３００１と実質的に同じであるので、同じ番号を付してその説明を省略する。
以上のように構成した車載機器使用許可システム３００５について、第２４図のタイムチャートを用いてその動作を説明する。
車載機器３００４の使用を許可する者の車両機器使用許可装置３００３への登録は、第２２図のタイムチャートのＳ３００１と同様に実行される（Ｓ３０２１）。
この登録後、ユーザーが電子運転免許証３００２を車両機器使用許可装置３００３の第２通信手段３０３１に近づけると、個人認証手段３０３２が暗証番号送信手段３０３６に対して電子運転免許証３００２へ暗証番号を送信するように通信開始を決定し（Ｓ３０２２）、暗証番号送信手段３０３６へ暗証番号送信開始の指示を行う（Ｓ３０２３）。
暗証番号送信手段３０３６は、第２記憶手段３０３３に記憶された暗証番号のうち使用頻度に応じて、使用頻度が最も高い暗証番号を読み出し第２通信手段３０３１から電子運転免許証３００２へ送信する（Ｓ３０２４）。なお、暗証番号の第２記憶手段３０３３への登録が行われ車載機器３００４が一度も使用されたことがない場合には、まだ使用頻度がまったく決まっていないので、たとえばユーザー名のアイウエオ順あるいは登録順等にしたがって暗証番号を出力するようにしてある。
電子運転免許証３００２では、第１通信手段３０２１で受信した暗証番号と第１記憶手段３０２３に記憶されている暗証番号とを暗証番号認証手段３０２２が照合する（Ｓ３０２５）。この照合により暗証番号の認証が得られない場合、第１通信手段３０２１から車両機器使用許可装置３００３の第２通信手段３０３１へ認証不可情報を送信する。
第２通信手段３０３１が認証不可情報を受信すると、暗証番号送信手段３０３６は、第２記憶手段３０３３に記憶された暗証番号のうち使用頻度の高い順にユーザーの暗証番号を読み出して第２通信手段３０３１から電子運転免許証３００２へと順次送信していく（Ｓ３０２６）。
電子運転免許証３００２では、暗証番号認証手段３０２２が、第１通信手段３０２１で新たに受信した暗証番号と第１記憶手段３０２３に記憶されている暗証番号とを照合する（Ｓ３０２７）。この照合の結果、認証することができない場合は、認証不可情報を第１通信手段３０２１から送信し、車載機器使用許可装置３００３でその都度新たな暗証番号を使用頻度順に送信する動作を暗証番号認証手段３０２２で認証が得られた旨の認証情報を電子運転免許証３００２から受信するまで繰り返す（Ｓ３０２６）。
一方、電子運転免許証３００２の暗証番号認証手段３０２２で認証が得られると、認証情報が第１通信手段３０２１から第２通信手段３０３１に送信される。この結果、暗証番号送信手段３０３６による以降の暗証番号の送信が停止されるとともに、第２記憶手段３０３３から個人認証手段３０３２に照合用の個人情報が転送される（Ｓ３０２８）。また、電子運転免許証３００２の第１通信手段３０２１から第１記憶手段３０２３に記憶してある個人情報が車載機器使用許可装置３００３へ送信される（Ｓ３０２９）。
車載機器使用許可装置３００３では、第２２図のタイムチャートと同様に個人認証手段３０３２で個人認証を実行し、認証が得られれば（Ｓ３０３０）、車載機器使用許可の指示を車載機器３００４に入力し（Ｓ３０３０）、車載機器３００４を使用許可動作状態にして当該ユーザーによる使用を許容する（Ｓ３０３６）。
なお、個人認証手段３０３２で個人認証が得られた場合（Ｓ３０３０）、使用頻度取得手段３０３７が車載機器３００４を使用したユーザー名および使用日時といった内容の使用履歴情報を個人認証手段３０３２から送信させて（Ｓ３０３１）、第２記憶手段３０３３に入力して記憶させ、第２記憶手段３０３３内のそのユーザーの使用頻度を書き換える。
この使用履歴の入力がなされたら、個人認証手段３０３２により動作させられたソート手段３０３８が第２記憶手段３０３３に記憶された暗証番号とその使用頻度とを読み出し（Ｓ３０３２）、暗証番号を使用頻度の高い順にソート動作を行って順位を決定し（Ｓ３０３３）、暗証番号とその使用頻度の順位を第２記憶手段３０３３に入力して記憶させる（Ｓ３０３４）。
その後、ユーザーが車載機器３００４の使用を希望して、電子運転免許証３００２を第２通信手段３０３１に近づけた場合に、車載機器使用許可装置３００３から電子運転免許証３００２へ暗証番号を送信するが、この暗証番号の送信は、上記ソート手段３０３８で決定した使用頻度の高い順から順に実行されることになる。以後、車載機器３００４の使用があるごとに、上記使用頻度が変更され変更された使用頻度にしたがって暗証番号の送信が実行される。
以上のように構成した第１３の実施形態の車載機器使用許可システム３００５によれば、電子運転免許証３００２で暗証番号の認証を行うにあたって、車載機器使用許可装置３００３からユーザーの使用頻度順に電子運転免許証３００２へ暗証番号が送信されるようにしたので、第１２の実施形態の車載機器使用許可システム３００１の効果に加え、車載機器使用許可装置３００３からの暗証番号の送信回数を少なくして、車載機器使用許可装置３００３から暗証番号の送信が開始されてから電子運転免許証３００２が暗証番号を認証するまでの時間の短縮を図ることができるという効果が得られる。
なお、第１３の実施形態の車載機器使用許可システム３００５では、使用頻度取得手段３０３７を設け、ソート手段３０３８にて使用頻度順に暗証番号をソートする構成としたが、使用頻度取得手段３０３７に代えて電子運転免許証３００２を使用した日時の使用履歴をユーザーごとに取得して第２記憶手段３０３３に記憶させる使用履歴取得部を設け、ソート手段３０３８が第２記憶手段３０３３に記憶された使用履歴に基づき新たに（例えば最も直近）使用したユーザーから過去に使用したユーザーの方へ順に遡って暗証番号をソートし、この順に第２通信手段３０３１から送信するようにしてもよい。
この場合にも、車載機器使用許可装置３００３からの暗証番号の送信回数を少なくして、車載機器使用許可装置３００３から暗証番号の送信が開始されてから電子運転免許証３００２が暗証番号を認証するまでの時間の短縮を図ることができる効果が得られる。
（第１４の実施形態）
第１４の実施形態の車載機器使用許可システム３００６を第２５図に示す。
本実施形態において、第１通信手段３０２１は、免許証側通信部と同意である。
本実施形態において、暗証番号認証手段３０２２は、暗証番号認証部と同意である。
本実施形態において、再入力禁止手段３０２４は、再入力禁止部と同意である。
本実施形態において、第２通信手段３０３１は、装置側通信部と同意である。
本実施形態において、個人認証手段３０３２は、個人認証部と同意である。
本実施形態において、第２記憶手段３０３３は、装置側記憶部と同意である。
本実施形態において、暗証番号送信手段３０３６は、暗証番号送信部と同意である。
本実施形態において、報知手段３０３９は、報知部と同意である。
第２５図において、車載機器使用許可システム３００６は、第２１図に示した第１２の実施形態の車載機器使用許可システム３００１の構成に、車載機器使用許可装置３００３の第２通信手段３０３１から送信され第１通信手段３０２１で受信した暗証番号が暗証番号認証手段３０２２で連続して認証されない入力回数が所定数を超えると続く暗証番号の第１通信手段３０２１への再入力を拒否する再入力禁止手段３０２４を電子運転免許証３００２がさらに備え、電子運転免許証３００２での再入力拒否前、すなわち暗証番号の認証が得られない連続した入力回数が上記所定数より少ない設定数になったときに入力を制限するための報知を行う報知手段３０３９を車載機器使用許可装置３００３がさらに備えた構成を有する。その他の構成は、第２１図に示した第１２の実施形態の車載機器使用許可システム３００１の構成と同様なので同じ番号を付し、それらの説明を省略する。
以上のように構成した車載機器使用許可システム３００６について、第２６図のタイムチャートを用いてその動作を説明する。
暗証番号の登録（Ｓ３０４１）、個人認証手段３０３２による電子運転免許証３００２への通信の決定（Ｓ３０４２）や送信開始の指示（Ｓ３０４３）、暗証番号送信手段３０３６による電子運転免許証３００２への暗証番号の送信（Ｓ３０４４）、暗証番号認証手段３０２２による暗証番号の照合（Ｓ３０４５）、および暗証番号認証手段３０２２で暗証番号の認証が得られない場合における暗証番号送信手段３０３６による暗証番号の順次送信（Ｓ３０４６）の各動作は、第２２図のタイムチャートのＳ３００１、Ｓ３００２、Ｓ３００３、Ｓ３００４、Ｓ３００５、およびＳ３００６の場合と同様に行われるので、ここではそれらの説明は省略する。
暗証番号認証手段３０２２で暗証番号の認証が得られず暗証番号送信手段３０３６から順次暗証番号が送信されていくと（Ｓ３０４６）、暗証番号認証手段３０２２がその都度暗証番号の照合を行うとともに、再入力禁止手段３０２４にて暗証番号送信手段３０３６から電子運転免許証３００２へ入力された暗証番号の入力回数をカウントしており、このカウントした入力回数が電子運転免許証３００２の再入力禁止手段３０２４で再入力拒否となる入力回数（所定数であり、ここではたとえば３とする）より少ない入力回数（設定数であり、ここではたとえば２とする）となるか否かを判定する（Ｓ３０４７）。
上記Ｓ３０４５あるいはＳ３０４７で電子運転免許証３００２の暗証番号認証手段３０２２が暗証番号を認証した場合は、第２記憶手段３０３３から個人認証手段３０３２への照合用の個人情報の転送（Ｓ３０５３）、個人認証手段３０３２での個人認証（Ｓ３０５５）、個人認証手段３０３２から車載機器３００４への車載機器使用許可の指示（Ｓ３０５６）、および車載機器３００４の車載機器使用許可動作（Ｓ３０５７）が、第２２図のタイムチャートのＳ３００８、Ｓ３００９、Ｓ３０１０、Ｓ３０１１、およびＳ３０１２の場合と同様に行われるので、ここではそれらの説明は省略する。
一方、電子運転免許証３００２の暗証番号認証手段３０２２が２回続けて暗証番号を認証しない場合は、再入力禁止手段が第１通信手段３０２１から第２通信手段３０３１への通信で入力制限の報知を指示する（Ｓ３０４８）。報知の指示を受けたら、報知手段３０３９が音声、光の点滅、文字や記号の表示等により入力を制限する旨の報知動作をユーザーに対して行う（Ｓ３０４９）とともに、ユーザーに対し暗証番号を暗証番号入力手段３０３５より入力するように指示する（Ｓ３０５０）。
この指示によりユーザーが暗証番号を暗証番号入力手段３０３５から入力すると（Ｓ３０５１）、その暗証番号が第２通信手段３０３１から第１通信手段３０２１へ送信され（Ｓ３０５２）、暗証番号認証手段３０２２で照合される。照合の結果、暗証番号の認証が得られると、電子運転免許証３００２の再入力禁止手段３０２４でカウントしていた入力回数をリセットしてゼロとするとともに、個人情報が車載機器使用許可装置３００３の第１通信手段３０３１へ送信され個人認証手段３０３２で第２記憶手段３０３３から読み出した認証用の個人情報と照合されて個人認証が得られれば、車載機器３００４の使用許可の指示が出力される。
一方、報知後に暗証番号を入力しても暗証番号の認証が得られないときは、車載機器３００４の使用はできなくなり、たとえば所定の機関（警察署等）へ行って対処してもらうことになる。
以上のように構成した第１４の実施形態の車載機器使用許可システム３００６によれば、電子運転免許証３００２への認証が得られない暗証番号の連続した入力を禁止してセキュリティを高めることができるとともに、電子運転免許証への再入力拒否となる確率を下げることができる。また再入力拒否となる前に入力制限の報知を行うことで暗証番号を確認して入力したり、確実に認証を得ることができる人に依頼してその人の電子運転免許証３００２を用いて認証を得るようにしたりするなどして、セキュリティを確保しながらより確実に車載機器３００４の使用許可が得られるようにすることができる。
なお、本実施形態では、報知手段３０３９を動作させるのに電子運転免許証３００２の再入力禁止手段３０２４が入力回数をカウントして報知信号を出力するようにしたが、これに限られることなく、たとえば暗証番号送信手段３０３６から暗証番号を送信する回数を車載使用許可装置３００３側でカウントして報知信号を報知手段３０３９に出力するようにしてもよい。
【図１】
2004050437.tif 000003
【図２】
2004050437.tif 000004
【図３】
2004050437.tif 000005
【図４】
2004050437.tif 000006
【図５】
2004050437.tif 000007
【図６】
2004050437.tif 000008
【図７】
2004050437.tif 000009
【図８】
2004050437.tif 000010
【図９】
2004050437.tif 000011
【図１０】
2004050437.tif 000012
【図１１】
2004050437.tif 000013
【図１２】
2004050437.tif 000014
【図１３】
2004050437.tif 000015
【図１４】
2004050437.tif 000016
【図１５】
2004050437.tif 000017
【図１６】
2004050437.tif 000018
【図１７】
2004050437.tif 000019
【図１８】
2004050437.tif 000020
【図１９】
2004050437.tif 000021
【図２０】
2004050437.tif 000022
【図２１】
2004050437.tif 000023
【図２２】
2004050437.tif 000024
【図２３】
2004050437.tif 000025
【図２４】
2004050437.tif 000026
【図２５】
2004050437.tif 000027
【図２６】
2004050437.tif 000028
【手続補正書】
【提出日】平成17年6月24日(2005.6.24)
【手続補正１】
【補正対象書類名】特許請求の範囲
【補正対象項目名】全文
【補正方法】変更
【補正の内容】
【特許請求の範囲】
【請求項１】
運転者識別情報を含む運転免許情報を記憶した電子運転免許証と通信する装置側通信部と、前記運転免許情報を認証する認証部と、車両の機能の作動を許可する機能許可部とを備える認証装置であって、
前記装置側通信部が、前記運転免許情報、および作動を要求する前記車両の機能を示す機能情報を前記電子運転免許証から取得し、
前記認証部が、前記運転免許情報を正しく認証したときに、
前記機能許可部が、前記機能情報で示された機能の作動を許可することを特徴とする認証装置。
【請求項２】
前記装置側通信部が、前記運転免情報および前記機能情報を取得した前記車両の位置を示す位置情報を送出し、
前記機能許可部が、前記位置情報に基づいて前記電子運転免許証から送信された前記機能情報が示す機能の作動を許可することを特徴とする請求項１に記載の認証装置。
【請求項３】
前記装置側通信部は、前記電子運転免許証が前記装置側通信部の近傍にあるときに前記位置情報を送出し、
前記認証部は、前記電子運転免許証から認証要求があったときに、前記運転免許情報を認証することを特徴とする請求項２に記載の認証装置。
【請求項４】
運転者識別情報を含む運転免許情報を記憶した電子運転免許証と通信する装置側通信部と、前記運転免許情報を認証する認証部と、車両の機能の作動を許可する機能許可部と、許可すべき車両の機能を運転者毎に前記運転免許情報に関連付けて記憶する記憶部とを備える認証装置であって、
前記装置側通信部が、前記運転免許情報を前記電子運転免許証から取得し、
前記認証部が、前記運転免許情報を正しく認証したときに、
前記機能許可部が、前記記憶部に記憶されている前記運転免許情報に関連付けされた前記車両の機能の作動を許可することを特徴とする認証装置。
【請求項５】
前記機能許可部が、前記車両のエンジンを始動するエンジン制御装置に接続され、前記運転免許情報が正しく認証された場合、前記エンジンの始動を許可することを特徴とする請求項１ないし請求項４のいずれかに記載の認証装置。
【請求項６】
前記機能許可部が、前記車両のドアを解錠するドア制御装置に接続され、前記運転免許情報が正しく認証された場合、前記ドアの解錠を許可するようにしたことを特徴とする請求項１ないし請求項５のいずれかに記載の認証装置。
【請求項７】
前記機能許可部が、前記車両に搭載される車載電話装置に接続され、前記運転免許情報が正しく認証された場合、前記車載電話装置の使用を許可するようにしたことを特徴とする請求項１ないし請求項５のいずれかに記載の認証装置。
【請求項８】
前記機能許可部が、前記車両に搭載される車載オーディオ装置に接続され、前記運転免許情報が正しく認証された場合、前記車載オーディオ装置の使用を許可するようにしたことを特徴とする請求項１ないし請求項５のいずれかに記載の認証装置。
【請求項９】
前記機能許可部が、前記車両に搭載されるコンビネーション・メータ装置に接続され、前記運転免許情報が正しく認証された場合、前記コンビネーション・メータ装置の使用を許可するようにしたことを特徴とする請求項１ないし請求項５のいずれかに記載の認証装置。
【請求項１０】
前記機能許可部が、前記車両に搭載される緊急通信装置に接続され、前記運転免許情報が正しく認証された場合、前記緊急通信装置の使用を許可するようにしたことを特徴とする請求項１ないし請求項５のいずれかに記載の認証装置。
【請求項１１】
前記機能許可部が、前記車両に搭載される路車間通信装置に接続され、前記運転免許情報が正しく認証された場合、前記路車間通信装置の使用を許可するようにしたことを特徴とする請求項１ないし請求項５のいずれかに記載の認証装置。
【請求項１２】
電子運転免許証側通信部と通信するための装置側通信部と、暗証番号および個人情報を記憶する装置側記憶部と、車載機器の使用を許可する暗証番号をユーザー入力するための暗証番号入力部と、前記暗証番号入力部で入力した暗証番号に対応する個人情報を前記電子運転免許証から読み出して暗証番号および個人情報を前記装置側記憶部に登録したり前記装置側記憶部に登録されている暗証番号および個人情報を削除したりする情報登録削除部と、前記装置側通信部との通信開始の際に、前記装置側記憶部に記憶された前記暗証番号を前記装置側通信部から前記免許証側通信部へ前記電子運転免許証で暗証番号による認証が得られるまで順次送信する暗証番号送信部と、前記装置側通信部で受信した個人情報と前記装置側記憶部に記憶された個人情報とを照合して個人認証が得られた場合に前記車載機器の使用を許可する個人認証部とを備えたことを特徴とする認証装置。
【請求項１３】
前記電子運転免許証を利用した前記車載機器の使用頻度をユーザーごとに取得して前記装置側記憶部に記憶させる使用頻度取得部を備え、前記暗証番号送信部が前記装置側記憶部に記憶された使用頻度に基づき、前記使用頻度の高いユーザー順に前記暗証番号を送信する請求項１２に記載の認証装置。
【請求項１４】
前記電子運転免許証を利用した前記車載機器の使用履歴をユーザーごとに取得して前記装置側記憶部に記憶させる使用履歴取得部を備え、前記暗証番号送信部が前記装置側記憶部に記憶された使用履歴に基づき、新たに使用したユーザーから過去に使用したユーザーの方へ順に遡って前記暗証番号を送信する請求項１２に記載の認証装置。
【請求項１５】
前記装置側通信部から前記免許証側通信部に連続して送信された前記暗証番号が所定数を超え、暗証番号の前記免許証側通信部への再入力を拒否する旨の情報を前記電子運転免許証から前記装置側通信部が受信した場合に、再入力拒否の前に入力を制限するための報知を行う報知部を備る請求項１２から請求項１４のいずれかに記載の認証装置。
【請求項１６】
運転者識別情報を含む運転免許情報を記憶した記憶部と、車両または車両に載置された車載装置と通信する免許証側通信部とを備える電子運転免許証であって、
前記記憶部が、作動を要求する前記車両の機能を示す機能情報を記憶し、
前記免許証側通信部が、前記車両または前記車載装置に、前記運転免許情報、および前記機能情報を通知することを特徴とする電子運転免許証。
【請求項１７】
前記免許証側通信部が、前記車両または車載装置に対する位置を示す位置情報を受信し、前記位置情報に対応する機能を前記車両または前記車載装置に通知することを特徴とする請求項１６に記載の電子運転免許証。
【請求項１８】
運転者識別情報を含む運転免許情報を記憶した記憶部と、車両または車両に載置された車載装置と通信する免許証側通信部とを備える電子運転免許証と、
前記電子運転免許証と通信する装置側通信部と、前記運転免許情報を認証する認証部と、車両の機能の作動を許可する機能許可部とを備える認証装置とを含む認証システムであって、
前記免許証側記憶部が、作動を要求する前記車両の機能を示す機能情報を記憶し、
前記免許証側通信部が、前記車両または前記車載装置に、前記運転免許情報、および前記機能情報を通知し、
前記装置側通信部が、前記運転免許情報、および作動を要求する前記車両の機能を示す機能情報を前記電子運転免許証から取得し、
前記認証部が、前記運転免許情報を正しく認証したときに、
前記機能許可部が、前記機能情報で示された機能の作動を許可することを特徴とする認証システム。
【請求項１９】
前記認証装置は、前記認証の結果を前記車載装置の使用予約認証結果として前記電子運転免許証に送信する請求項１８に記載の認証システム。
【請求項２０】
前記認証装置は、認証後に前記車載装置の使用許可が開始されたか否かを示す使用開始情報を前記電子運転免許証に送信する請求項１８に記載の認証システム。
【請求項２１】
前記認証装置は、前記車載装置が使用可能か否かを示す使用可能車載装置情報を電子運転免許証ごとに設定可能であり、電子運転免許証に応じて車載装置の使用を制限または許可する請求項１８から請求項２０のいずれかに記載の認証システム。
【請求項２２】
前記電子運転免許証が、非接触ＩＣカード型運転免許証である請求項１８から請求項２１のいずれかに記載の認証システム。
【請求項２３】
運転者識別情報を含む運転免許情報および前記運転免許情報を読み出すための暗証番号を記憶した免許証側記憶部と、車両または車両に載置された車載装置と通信する免許証側通信部と、前記運転免許情報の前記免許証側通信部からの送信を制御する暗証番号認証部とを備える電子運転免許証と、
前記電子運転免許証と通信する装置側通信部と、前記暗証番号を入力する暗証番号入力部と、前記暗証番号入力部から入力された前記暗証番号を記憶する装置側記憶部と、前記装置側記憶部に記憶された前記暗証番号を前記装置側通信部に送信する暗証番号送信部と、前記運転免許情報を認証して車両の機能の作動を許可する個人認証部とを備える認証装置とを含む認証システムであって、
前記免許証側記憶部が、作動を要求する前記車両の機能を示す機能情報を記憶し、
前記装置側通信部が、前記暗証番号送信部から送信された前記暗証番号を前記電子運転免許証に送信し、
前記暗証番号認証部が、前記認証装置から送信された暗証番号が前記免許証側記憶部に記憶されている暗証番号と一致しているか否かを判定して、一致していると判定したときには前記運転免許情報および前記機能情報を前記免許証側通信部から通知し、
前記装置側通信部が、前記運転免許情報、および作動を要求する前記車両の機能を示す機能情報を前記電子運転免許証から取得し、
前記個人認証部が、前記電子運転免許情報を正しく認証したときに、前記機能情報で示された機能の作動を許可することを特徴とする認証システム。
【請求項２４】
前記電子運転免許証を利用した前記車載機器の使用頻度をユーザーごとに取得して前記装置側記憶部に記憶させる使用頻度取得部を備え、前記暗証番号送信部が前記装置側記憶部に記憶された使用頻度に基づき、前記使用頻度の高いユーザー順に前記暗証番号を送信する請求項２３に記載の認証システム。
【請求項２５】
前記電子運転免許証を利用した前記車載機器の使用履歴をユーザーごとに取得して前記装置側記憶部に記憶させる使用履歴取得部を備え、前記暗証番号送信部が前記装置側記憶部に記憶された使用履歴に基づき、新たに使用したユーザーから過去に使用したユーザーの方へ順に遡って前記暗証番号を送信する請求項２３に記載の認証システム。
【請求項２６】
前記電子運転免許証が、前記装置側通信部から前記免許証側通信部に連続して送信された暗証番号が所定数を超えると暗証番号の前記免許証側通信部への再入力を拒否する再入力禁止部と、前記個人認証部が前記再入力禁止部による再入力拒否前に入力を制限するための報知を行う報知部を備える請求項２３から請求項２５のいずれかに記載の認証システム。
【請求項２７】
運転者識別情報を含む運転免許情報を記憶した電子運転免許証と、車両または車両に載置された車載装置とが通信して前記運転免許情報を認証する認証方法であって、
前記電子運転免許証が、前記車両または前記車載装置に、前記運転免許情報の認証を要求するステップと、
前記車両または前記車載装置が、前記運転免許情報を認証するステップと、
前記電子運転免許証が、前記車両または前記車載装置に、許可すべき前記車両の機能を通知するステップと、
前記運転免許情報が正しく認証されたとき、前記車両または前記車載装置が、前記機能の作動を許可するステップとを含むことを特徴とする認証方法。
【請求項２８】
前記車両または前記車載装置が、前記電子運転免許証に、前記電子運転免許証の前記車両または前記車載装置に対する位置を示す位置情報を送出するステップを含み、
前記電子運転免許証が、前記位置情報に対応した前記機能を前記車両または前記車載装置に通知することを特徴とする請求項２８に記載の認証方法。
【請求項２９】
運転者識別情報を含む運転免許情報および前記運転免許情報を読み出すための暗証番号を記憶した電子運転免許証と、車両または車両に載置された車載装置とが通信して前記運転免許情報を認証する認証方法であって、
前記車両または車載装置が前記暗証番号を前記電子運転免許証に送信するステップと、
前記電子運転免許証が、前記車両または車載装置から送信された暗証番号が前記電子運転免許証が記憶している暗証番号と一致しているか否かを判定し、一致していると判定したときには前記運転免許情報および前記機能情報を前記車両または車載装置に通知するステップと、
前記車両または車載装置が、前記運転免許情報、および作動を要求する前記車両の機能を示す機能情報を前記電子運転免許証から取得するステップと、
前記車両または車載装置が、前記電子運転免許情報を正しく認証したときに、前記機能情報で示された機能の作動を許可することを特徴とする認証方法。
【手続補正２】
【補正対象書類名】明細書
【補正対象項目名】全文
【補正方法】変更
【補正の内容】
【書類名】明細書
【技術分野】
【０００１】本発明は、認証装置、電子運転免許証および認証システムに関する。
【背景技術】
【０００２】
従来、電子運転免許証から取得した運転免許情報と装置内部に予め記憶した運転免許情報とを比較して、一致した場合には、車両のドアの解錠や、エンジンの始動をするものが開示されていた。
【０００３】
しかしながら、このような従来の認証装置では、電子運転免許証から取得した運転免許情報と装置内部に予め記憶した運転免許情報とが一致すればドア解錠やエンジン始動が許可されるようになっていたため、認証装置内部に運転免許情報が記憶されていれば、車両の機能が全て許可されてしまうという問題があった。例えば、特定の者については、ドアの解錠のみを許可し、運転はさせないようにしたい場合がある。また、車両の所有者以外の者には車両後部のトランク（荷室）を開けさせないようにしたい場合がある。また、ドア解錠とエンジン始動とを両方ともしてよい者であれば、ドアを解錠するときとエンジンを始動するときとで、２度も認証をするのは無駄がある。しかしながら、従来の認証装置では、車両の機能が全て許可されてしまっていた。
【０００４】
さらに、電子運転免許証は、その表面に印刷された運転者の氏名や住所等の他に、本籍等のプライベートな個人情報を記憶部に記憶している。
【０００５】
第三者がこの個人情報を容易にみることができないようにするため、ユーザー自身で設定した暗証番号を電子運転免許証に入力しないと個人情報が出力されないようにする場合もある。
【０００６】
その結果、車載機器使用の許可を個人情報に基づく認証で行うことによりセキュリティを高めようとしても、車載機器の使用を許可する電子運転免許証に記憶されている個人情報を自動車装置へ登録したり、自動車装置で読み取ったりすることができないという問題があった。
【発明の開示】
【発明が解決しようとする課題】
【０００７】
本発明はこのような問題を解決するためになされたもので、車両の機能の作動をその運転者が必要なものあるいは許されるもののみ許可することができる認証装置、電子運転免許証および認証システムを提供することを第１の目的とする。
【０００８】
さらに、本発明は、暗証番号を入力しないと内部に記憶している個人情報を出力できない電子運転免許証であっても、車両側で電子運転免許証から個人情報を取得して照合用の個人情報として登録し、登録後に電子運転免許証から取得した個人情報と照合用の個人情報とに基づき個人認証が得られた場合に車載機器の使用を許可することができるようにした認証装置、電子運転免許証および認証システムを提供することを第２の目的とする。
【課題を解決するための手段】
【０００９】
（クレーム１）
本発明に係る認証装置は、識別情報を含む運転免許情報を記憶した電子運転免許証と通信する装置側通信部と、前記運転免許情報を認証する認証部と、車両の機能の作動を許可する機能許可部とを備える認証装置であって、前記装置側通信部が、前記運転免許情報、および作動を要求する前記車両の機能を示す機能情報を前記電子運転免許証から取得し、前記認証部が、前記運転免許情報を正しく認証したときに前記機能許可部が、前記機能情報で示された機能の作動を許可する。
【００１０】
この構成により、電子運転免許証毎に予め記憶された機能情報が示す機能の作動のみが許可されることになり、車両の機能の作動をその運転者が必要なものあるいは許されるもののみ許可することができる。
(クレーム２)
また、本発明に係る認証装置は、前記装置側通信部が、前記運転免情報および前記機能情報を取得した前記車両の位置を示す位置情報を送出し、前記機能許可部が、前記位置情報に基づいて前記電子運転免許証から送信された前記機能情報が示す機能の作動を許可する。
【００１１】
この構成により、通信部から送出された位置情報に基づいて機能の作動が許可されることになり、位置毎に適切な機能の作動を許可することができる。
(クレーム３)
さらに、本発明に係る認証装置は、装置側通信部が、前記電子運転免許証が前記装置側通信部の近傍にあるときに前記位置情報を送出し、前記認証部は、前記電子運転免許証から認証要求があったときに、前記運転免許情報を認証する。
【００１２】
この構成により、電子運転免許証が近傍にあるときのみ電子運転免許証と通信することになり、認証装置における電力の消費を抑えることができる。
（クレーム４）
さらに、本発明に係る認証装置は、運転者識別情報を含む運転免許情報を記憶した電子運転免許証と通信する装置側通信部と、前記運転免許情報を認証する認証部と、車両の機能の作動を許可する機能許可部と、許可すべき車両の機能を運転者毎に前記運転免許情報に関連付けて記憶する記憶部とを備える認証装置であって、前記装置側通信部が前記運転免許情報を前記電子運転免許証から取得し、前記認証部が前記運転免許情報を正しく認証したときに、前記機能許可部が前記記憶部に記憶されている前記運転免許情報に関連付けされた前記車両の機能の作動を許可する。
【００１３】
この構成により、認証装置の記憶部に予め記憶された運転者毎の機能のみの作動が許可されることになり、車両の機能の作動をその運転者が必要なものあるいは許されるもののみ許可することができる。
（クレーム５）
さらに、本発明に係る認証装置は、前記機能許可部が、前記車両のエンジンを始動するエンジン制御装置に接続され、前記運転免許情報が正しく認証された場合、前記エンジンの始動を許可する。
【００１４】
この構成により、正規の電子運転免許証を携帯していないとエンジンを始動されないことになり、無免許運転や免許証不携帯運転を防止することができる。
（クレーム６）
さらに、本発明に係る認証装置は、前記機能許可部が、前記車両のドアを解錠するドア制御装置に接続され、前記運転免許情報が正しく認証された場合、前記ドアの解錠を許可する。
【００１５】
この構成により、正規の電子運転免許証を携帯していないとドアが解錠されないことになり、無免許運転や免許証不携帯運転を防止することができる。
（クレーム７）
さらに、本発明に係る認証装置は、前記機能許可部が、前記車両に搭載される車載電話装置に接続され、前記運転免許情報が正しく認証された場合、前記車載電話装置の使用を許可する。
【００１６】
この構成により、車載電話装置の使用権利を、電子運転免許証の持ち主に合わせて自在に設定することができる。また、車載電話装置を使用した情報について、電子運転免許証ごとに記録を残すことが可能となる。
（クレーム８）
さらに、本発明に係る認証装置は、前記機能許可部が、前記車両に搭載される車載オーディオ装置に接続され、前記運転免許情報が正しく認証された場合、前記車載オーディオ装置の使用を許可する。
【００１７】
この構成により、車載オーディオ装置の車載オーディオ機能の使用権利を、電子運転免許証の持ち主に合わせて自在に設定することができる。また、運転免許証の持ち主が使用したオーディオ使用情報（選曲、選択ラジオ局等）について、電子運転免許証ごとに記録を個別に残し、次回の使用の参考とすることが可能となって、カスタマイズすることができる。
（クレーム９）
さらに、本発明に係る認証装置は、前記機能許可部が、前記車両に搭載されるコンビネーション・メータ装置に接続され、前記運転免許情報が正しく認証された場合、前記コンビネーション・メータ装置の使用を許可する。
【００１８】
この構成により、コンビネーション・メータ装置の使用権利を、電子運転免許証の持ち主に合わせて自在に設定することができる。また、使用した情報について、電子運転免許証ごとに記録を個別に残すことが可能となる。そして、これらの記録した情報は、次回の運転の参考に使用することが可能となる。
（クレーム１０）
さらに、本発明に係る認証装置は、前記機能許可部が、前記車両に搭載される緊急通信装置に接続され、前記運転免許情報が正しく認証された場合、前記緊急通信装置の使用を許可する。
【００１９】
この構成により、電子運転免許証の持ち主に健康上等の緊急事態が発生したとき、このときの車両位置と緊急事態および電子運転免許証の持ち主の健康上情報を緊急通報センター等へ発信することができるとともに、緊急車両を緊急現場に向かわせる際に、電子運転免許証の持ち主の健康状態に即した対応を取ることが可能となって、より適切な処置を行うことができる。
（クレーム１１）
さらに、本発明に係る認証装置は、前記機能許可部が、前記車両に搭載される路車間通信装置に接続され、前記運転免許情報が正しく認証された場合、前記路車間通信装置の使用を許可する。
【００２０】
この構成により、路車間通信機能を電子運転免許証の持ち主の情報に基づいて適切に使用させることを実現できる。またドライブスルーの店舗での物品の購入情報、車検情報、車両の故障履歴情報、ディーラーでの車両整備情報などの情報を、電子運転免許証に記憶することができ、その情報を路車間通信機能によって、車室内の情報を車室外へ容易に、しかもセキュリティを確保しながら入出力することが可能となる。
（クレーム１２）
さらに、本発明に係る認証装置は、電子運転免許証側通信部と通信するための装置側通信部と、暗証番号および個人情報を記憶する装置側記憶部と、車載機器の使用を許可する暗証番号をユーザー入力するための暗証番号入力部と、前記暗証番号入力部で入力した暗証番号に対応する個人情報を前記電子運転免許証から読み出して暗証番号および個人情報を前記装置側記憶部に登録したり前記装置側記憶部に登録されている暗証番号および個人情報を削除したりする情報登録削除部と、前記装置側通信部との通信開始の際に、前記装置側記憶部に記憶された前記暗証番号を前記装置側通信部から前記免許証側通信部へ前記電子運転免許証で暗証番号による認証が得られるまで順次送信する暗証番号送信部と、前記装置側通信部で受信した個人情報と前記装置側記憶部に記憶された個人情報とを照合して個人認証が得られた場合に前記車載機器の使用を許可する個人認証部とを備える。
【００２１】
この構成により、暗証番号を入力しないと内部に記憶している個人情報を出力できない電子運転免許証であっても、車両側で暗証番号を入力して電子運転免許証に送信することにより電子運転免許証から個人情報を取得して照合用の個人情報として登録し、登録後に暗証番号を送信して電子運転免許証から取得した個人情報と照合用の個人情報に基づき個人認証が得られた場合に車載機器の使用を許可することができるようにした認証装置を提供することが可能となる。
（クレーム１３）
さらに、本発明に係る認証装置は、前記電子運転免許証を利用した前記車載機器の使用頻度をユーザーごとに取得して前記装置側記憶部に記憶させる使用頻度取得部を備え、前記暗証番号送信部が前記装置側記憶部に記憶された使用頻度に基づき、前記使用頻度の高いユーザー順に前記暗証番号を送信する。
【００２２】
この構成により、電子運転免許証への暗証番号の送信開始から暗証番号認証手段での認証にかかる時間の短縮を図ることが可能となる。
（クレーム１４）
さらに、本発明に係る認証装置は、前記電子運転免許証を利用した前記車載機器の使用履歴をユーザーごとに取得して前記装置側記憶部に記憶させる使用履歴取得部を備え、前記暗証番号送信部が前記装置側記憶部に記憶された使用履歴に基づき、新たに使用したユーザーから過去に使用したユーザーの方へ順に遡って前記暗証番号を送信する。
【００２３】
この構成により、電子運転免許証への暗証番号の送信開始から暗証番号認証手段での認証にかかる時間の短縮を図ることが可能となる。
（クレーム１５）
さらに、本発明に係る認証装置は、前記装置側通信部から前記免許証側通信部に連続して送信された前記暗証番号が所定数を超え、暗証番号の前記免許証側通信部への再入力を拒否する旨の情報を前記電子運転免許証から前記装置側通信部が受信した場合に、再入力拒否の前に入力を制限するための報知を行う報知部を備える。
【００２４】
この構成により、電子運転免許証への認証が得られない暗証番号の連続した入力を禁止してセキュリティを高めることができるとともに、再入力拒否となる前に入力制限の報知を行うことで暗証番号を確認して入力したり、確実に認証を得ることができる人に依頼してその人の電子運転免許証を用いて認証を得るようにしたりするなどして、セキュリティを確保しながらより確実に車載機器の使用許可が得られるようにすることができる。
（クレーム１６）
本発明に係る電子運転免許証は、運転者識別情報を含む運転免許情報を記憶した記憶部と、車両または車両に載置された車載装置と通信する免許証側通信部とを備える電子運転免許証であって、前記記憶部が作動を要求する前記車両の機能を示す機能情報を記憶し、前記免許証側通信部が前記車両または前記車載装置に前記運転免許情報および前記機能情報を通知する。
【００２５】
この構成により、電子運転免許証毎に予め記憶された機能情報が示す機能の作動のみが許可されることになり、車両の機能の作動をその運転者が必要なものあるいは許されるもののみ許可することができる。
（クレーム１７）
また、本発明に係る電子運転免許証は、前記免許証側通信部が、前記車両または車載装置に対する位置を示す位置情報を受信し、前記位置情報に対応する機能を前記車両または前記車載装置に通知する。
【００２６】
この構成により、受信した位置情報に基づいた機能の作動が許可されることになり、位置毎に適切な機能の作動を許可することができる。
（クレーム１８）
本発明に係る認証システムは、運転者識別情報を含む運転免許情報を記憶した記憶部と、車両または車両に載置された車載装置と通信する免許証側通信部とを備える電子運転免許証と、前記電子運転免許証と通信する装置側通信部と、前記運転免許情報を認証する認証部と、車両の機能の作動を許可する機能許可部とを備える認証装置とを含む認証システムであって、前記免許証側記憶部が作動を要求する前記車両の機能を示す機能情報を記憶し、前記免許証側通信部が前記車両または前記車載装置に前記運転免許情報および前記機能情報を通知し、前記装置側通信部が前記運転免許情報および作動を要求する前記車両の機能を示す機能情報を前記電子運転免許証から取得し、前記認証部が前記運転免許情報を正しく認証したときに、前記機能許可部が前記機能情報で示された機能の作動を許可する。
【００２７】
この構成により、電子運転免許証毎に予め記憶された機能情報が示す機能の作動のみが許可されることになり、車両の機能の作動をその運転者が必要なものあるいは許されるもののみ許可することができる。
（クレーム１９）
また、本発明に係る認証システムは、前記認証装置が、前記認証の結果を前記車載装置の使用予約認証結果として前記電子運転免許証に送信する。
【００２８】
この構成により、車載装置の使用が許可されたか否かを電子運転免許証により使用希望者ごとに通知することができるとともに、使用希望者に認証装置の認証結果を通知することができる。
（クレーム２０）
さらに、本発明に係る認証システムは、前記認証装置が、認証後に前記車載装置の使用許可が開始されたか否かを示す使用開始情報を前記電子運転免許証に送信する。
【００２９】
この構成により、車載装置の使用が許可されたか否かを電子運転免許証により使用希望者ごとに通知することができるとともに、使用希望者に認証装置の使用が開始されたか否かを通知することができる。
（クレーム２１）
さらに、本発明に係る認証システムは、前記認証装置が、前記車載装置が使用可能か否かを示す使用可能車載装置情報を電子運転免許証ごとに設定可能であり、電子運転免許証に応じて車載装置の使用を制限または許可する。
【００３０】
この構成により、電子運転免許証ごとに使用可能な車載機器に関する使用許可情報を個別に記憶することが可能となり、車載装置の使用許可設定を電子運転免許証ごとに行うことができ、カスタマイズが可能となる。
（クレーム２２）
さらに、本発明に係る認証システムは、電子運転免許証がＩＣカード型運転免許証である。
【００３１】
この構成により、外部機器と接続するための端子が不要となって完全非接触型の電子運転免許証とすることが可能となり、また情報の入出力をすべて非接触で通信することができるだけでなく、駆動電力を高周波電波で供給することが可能となる。
（クレーム２３）
また、本発明に係る認証システムは、運転者識別情報を含む運転免許情報および前記運転免許情報を読み出すための暗証番号を記憶した免許証側記憶部と、車両または車両に載置された車載装置と通信する免許証側通信部と、前記運転免許情報の前記免許証側通信部からの送信を制御する暗証番号認証部とを備える電子運転免許証と、前記電子運転免許証と通信する装置側通信部と、前記暗証番号を入力する暗証番号入力部と、前記暗証番号入力部から入力された前記暗証番号を記憶する装置側記憶部と、前記装置側記憶部に記憶された前記暗証番号を前記装置側通信部に送信する暗証番号送信部と、前記運転免許情報を認証して車両の機能の作動を許可する個人認証部とを備える認証装置とを含む認証システムであって、前記免許証側記憶部が作動を要求する前記車両の機能を示す機能情報を記憶し、前記装置側通信部が前記暗証番号送信部から送信された前記暗証番号を前記電子運転免許証に送信し、前記暗証番号認証部が前記認証装置から送信された暗証番号が前記免許証側記憶部に記憶されている暗証番号と一致しているか否かを判定して一致していると判定したときには前記運転免許情報および前記機能情報を前記免許証側通信部から通知し、前記装置側通信部が前記運転免許情報および作動を要求する前記車両の機能を示す機能情報を前記電子運転免許証から取得し、前記個人認証部が前記電子運転免許情報を正しく認証したときに前記機能情報で示された機能の作動を許可する。
【００３２】
この構成により、暗証番号を入力しないと内部に記憶している個人情報を出力できない電子運転免許証であっても、車両側で暗証番号を入力して電子運転免許証に送信することにより電子運転免許証から個人情報を取得して照合用の個人情報として登録し、登録後に暗証番号を送信して電子運転免許証から取得した個人情報と照合用の個人情報に基づき個人認証が得られた場合に車載機器の使用を許可することができるようにした車載機器使用許可システムを提供することが可能となる。
（クレーム２４）
さらに、本発明に係る認証システムは、前記電子運転免許証を利用した前記車載機器の使用頻度をユーザーごとに取得して前記装置側記憶部に記憶させる使用頻度取得部を備え、前記暗証番号送信部が前記装置側記憶部に記憶された使用頻度に基づき、前記使用頻度の高いユーザー順に前記暗証番号を送信する。
【００３３】
この構成により、電子運転免許証への暗証番号の送信開始から暗証番号認証手段での認証にかかる時間の短縮を図ることが可能となる。
（クレーム２５）
さらに、本発明に係る認証システムは、前記電子運転免許証を利用した前記車載機器の使用履歴をユーザーごとに取得して前記装置側記憶部に記憶させる使用履歴取得部を備え、前記暗証番号送信部が前記装置側記憶部に記憶された使用履歴に基づき、新たに使用したユーザーから過去に使用したユ」
ーザーの方へ順に遡って前記暗証番号を送信する。
【００３４】
この構成により、電子運転免許証への暗証番号の送信開始から暗証番号認証手段での認証にかかる時間の短縮を図ることが可能となる。
（クレーム２６）
さらに、本発明に係る認証システムは、前記電子運転免許証が、前記装置側通信部から前記免許証側通信部に連続して送信された暗証番号が所定数を超えると暗証番号の前記免許証側通信部への再入力を拒否する再入力禁止部と、前記個人認証部が前記再入力禁止部による再入力拒否前に入力を制限するための報知を行う報知部を備える。
【００３５】
この構成により、電子運転免許証への認証が得られない暗証番号の連続した入力を禁止してセキュリティを高めることができるとともに、再入力拒否となる前に入力制限の報知を行うことで暗証番号を確認して入力したり、確実に認証を得ることができる人に依頼してその人の電子運転免許証を用いて認証を得るようにしたりするなどして、セキュリティを確保しながらより確実に車載機器の使用許可が得られるようにすることができる。
【発明を実施するための最良の形態】
【００３６】
以下、本発明の実施形態について、図面を用いて説明する。
【実施例１】
第１の実施形態において、第１の通信部１１１１、第２の通信部１１１２、および第３の通信部１１１３は、装置側通信部と同意である。
【００３７】
第１図は、本発明に係る第１の実施形態の認証装置（車載装置）を示すブロック図である。第１図において、認証装置１１００は、車両に載置され、運転者毎の運転免許情報を記憶した電子運転免許証１０１０と非接触で通信し、運転免許情報を認証するようになっている。
【００３８】
認証装置１１００は、電子運転免許証１０１０と通信する複数の通信部（第１の通信部１１１１、第２の通信部１１１２、第３の通信部１１１３）と、電子運転免許証１０１０から受信された運転免許情報、機能情報、その他の情報を復号化する暗号処理部１１２１と、車両の機能を利用することができる運転者の運転免許情報を予め記憶する記憶部１１２２と、電子運転免許証１０１０の運転免許情報を認証する認証部１１２３と、運転免許情報が正しく認証された場合に電子運転免許証１０１０から受信された機能情報が示す機能の作動を許可する機能許可部１１２４と、現在日時を計時する時計部１１２５と、記憶部１１２２に情報を設定操作するための操作部１１２６とを備える。
【００３９】
電子運転免許証１０１０は、第２図に示すように、運転者毎の運転免許情報、機能情報、その他の情報を記憶する記憶部１０１１と、記憶部１０１１に記憶された運転免許情報、機能情報、その他の情報を暗号化する暗号処理部１０１２と、暗号化された運転免許情報、機能情報、その他の情報を認証装置１１００に送信する通信部１０１３とを備える。
【００４０】
また、通信部１０１３が、認証装置１１００から位置情報、その他の情報を受信し、暗号処理部１０１２が、認証装置１１００から受信した情報を復号化するようになっている。
【００４１】
なお、運転免許情報は、運転者氏名、運転者生年月日、運転者住所、運転免許有効期限、運転免許番号、運転免許車種、運転者の写真データ、運転者の交通違反点数、などの運転者識別情報を含む。
【００４２】
また、機能情報は、車両の許可すべき機能を示す情報であり、車両の居室のドアを解錠する機能、エンジンを始動する機能、車両後部の荷室を解錠する機能、などを含む。
【００４３】
また、位置情報は、電子運転免許証１０１０の車両に対する位置を示す情報であり、電子運転免許証１０１０が、居室のドアの近傍、運転席の近傍、荷室の近傍などにあることを示す。
【００４４】
認証装置１１００の第１の通信部１１１１は、車両の運転席近傍のドアに配置され、電子運転免許証１０１０が車両外で運転席ドア近傍にあるとき、電子運転免許証１０１０の位置が車両外であって運転席のドア近傍であることを示す位置情報を送出するようになっている。この位置情報は、例えば、運転者が車両のドアまたはドアのノブに接触したときに送出されるようになっていてもよく、運転者が車両のドアもしくはドア近傍の所定の位置に近づいたことを検知したときに送出されるようになっていてもよく、電子運転免許証１０１０が車両のドアもしくはドア近傍の所定の位置に接触したことを検知したときに送出されるようになっていてもよい。
【００４５】
認証装置１１００の第２の通信部１１１２は、車両の運転席の前方に配置され、電子運転免許証１０１０が車両内で運転席近傍にあるとき、電子運転免許証１０１０の位置が車両内であって運転席近傍であることを示す位置情報を送出するようになっている。この位置情報は、例えば、電子運転免許証１０１０が運転席の前方に配置された所定のホルダに装着されたときに送出されるようになっていてもよく、運転者が運転席にいることを検知したときに送出されるようになっていてもよい。
【００４６】
認証装置１１００の第３の通信部１１１３は、車両後部の荷室に配置され、電子運転免許証１０１０が車両外で荷室の近傍にあるとき、電子運転免許証１０１０の位置が車両外であって荷室近傍であることを示す位置情報を送出するようになっている。この位置情報は、例えば、運転者が荷室を開くためのノブに接触したときに送出されるようになっていてもよく、運転者が荷室もしくは荷室近傍の所定の位置に近づいたことを検知したときに送出されるようになっていてもよく、電子運転免許証１０１０が荷室もしくは荷室近傍の所定の位置に接触したことを検知したときに送出されるようになっていてもよい。
【００４７】
認証装置１１００の暗号処理部１１２１は、電子運転免許証１０１０に送信する情報を暗号化するとともに、電子運転免許証１０１０から受信した情報を復号化するようになっている。
【００４８】
認証装置１１００の記憶部１１２２は、運転免許情報が運転者毎に記憶されている。ここで、運転者には、ドア解錠のみが許可される運転者、居室ドアの解錠とエンジンの始動とが許可される運転者、居室ドアの解錠とエンジン始動と荷室解錠の全てが許可される運転者がある。なお、本実施形態においては、車両の機能として、居室ドアの解錠とエンジンの始動と荷室の解錠とを例として示したが、その他の機能、例えば車載の移動電話による通信など、が含まれていてもよい。
【００４９】
認証装置１１００の認証部１１２３は、電子運転免許証１０１０から受信された運転免許情報と認証装置１１００の記憶部１１２２に予め記憶された運転免許情報とを比較することにより、電子運転免許証１０１０の運転免許情報を認証するようになっている。なお、認証は、運転免許情報の全ての項目について電子運転免許証１０１０から受信された情報と認証装置１１００の記憶部１１２２に記憶された情報とを比較してもよいが、運転者氏名のみで認証するようになっていてもよく、運転免許番号のみで認証するようになっていてもよく、複数の項目の組み合わせであってもよい。
【００５０】
また、認証装置１１００の認証部１１２３は、さらに、電子運転免許証１０１０から受信した交通違反点数が予め決められた点数以下であるか否かを判定してもよい。さらに、電子運転免許証１０１０から受信した運転免許車種が車両に適合するか否かを判定してもよい。さらに、電子運転免許証１０１０から受信した運転免許有効期限と運転者生年月日とに基づいて現在年月日が運転免許有効期限内であるか否かを判定するようになっていてもよい。
【００５１】
認証装置１１００の機能許可部１１２４は、電子運転免許証１０１０から受信した機能情報が示す機能の作動を許可するようになっている。具体的には、電子運転免許証１０１０からドア解錠を示す機能情報を受信した場合には、ドア制御装置１０２１にドア解錠許可信号を出力する。また、電子運転免許証１０１０からエンジン始動を示す機能情報を受信した場合には、エンジン制御装置１０２２にエンジン始動許可信号を出力する。また、電子運転免許証１０１０から荷室解錠を示す機能情報を受信した場合には、ドア制御装置１０２１に荷室解錠許可信号を出力する。
【００５２】
以下、第１の実施形態の電子運転免許証１０１０および認証装置１１００の動作について、第３図を用いて説明する。
【００５３】
電子運転免許証１０１０を携帯した運転者が車両の運転席のドアに近づいたとき、電子運転免許証１０１０の位置が車両外であって運転席のドア近傍であることを示す位置情報が、車両のドアに配置された第１の通信部１１１１から送出される（Ｓ１３１１）。電子運転免許証１０１０は、位置情報を受信すると、認証装置１１００に認証要求を送信する（Ｓ１３１２）。この認証要求は、本実施形態において、暗号化された運転免許情報を含む。そして、電子運転免許証１０１０からの運転免許情報は、認証装置１１００の第１の通信部１１１１によって受信され、認証装置１１００の暗号処理部１１２１によって復号化され、認証装置１１００の認証部１１２３によって認証される。ここで認証は、認証装置１１００の第１の通信部１１１１から受信された運転免許情報と認証装置１１００の記憶部１１２２に予め記憶された運転免許情報とが比較されることによって行なわれる。運転免許情報が正しく認証された場合には、認証装置１１００の第１の通信部１１１１から正しく認証されたことを示す認証完了が送信される（Ｓ１３１３）。電子運転免許証１０１０は、認証完了を受信すると、位置が車両外であって運転席のドア近傍なので、ドア解錠を示す機能通知を送信する（Ｓ１３１４）。機能通知は、認証装置１１００の第１の通信部１１１１によって受信され、認証装置１１００の暗号処理部１１２１によって復号化され、認証装置１１００の機能許可部１１２４によってドア解錠許可信号がドア制御装置１０２１に出力される（Ｓ１３１５）。そして、ドア解錠許可信号を受け取ったドア制御装置１０２１においてドアの解錠がされ、応答が、認証装置１１００を介して、電子運転免許証１０１０に到達する（Ｓ１３１６、Ｓ１３１７）。したがって、運転者が車両のドアを開けることができるようになる。
【００５４】
また、電子運転免許証１０１０を携帯した運転者が運転席に位置したとき、電子運転免許証１０１０の位置が車両内であって運転席近傍であることを示す位置情報が、車両の運転席前に配置された第２の通信部１１１２から送出される（Ｓ１３２１）。電子運転免許証１０１０は、位置情報を受信すると、認証装置１１００に認証要求を送信する（Ｓ１３２２）。電子運転免許証１０１０からの運転免許情報は、認証装置１１００の第２の通信部１１１２によって受信され、認証装置１１００の暗号処理部１１２１によって復号化され、認証装置１１００の認証部１１２３によって認証される。運転免許情報が正しく認証された場合には、認証装置１１００の第２の通信部１１１２から正しく認証されたことを示す認証完了が送信される（Ｓ１３２３）。電子運転免許証１０１０は、認証完了を受信すると、位置が車両内であって運転席近傍なので、エンジン始動を示す機能通知を送信する（Ｓ１３２４）。機能通知は、認証装置１１００の第２の通信部１１１２によって受信され、認証装置１１００の暗号処理部１１２１によって復号化され、認証装置１１００の機能許可部１１２４によってエンジン始動許可信号がエンジン制御装置１０２２に出力される（Ｓ１３２５）。そして、エンジン始動許可信号を受け取ったエンジン制御装置１０２２においてエンジン始動が許可され、応答が、認証装置１１００を介して、電子運転免許証１０１０に到達する（Ｓ１３２６、Ｓ１３２７）。したがって、運転者がエンジンを始動させることができるようになる。
【００５５】
以上説明したように、第１の実施形態の認証装置１１００は、複数の通信部１１１１、１１１２、１１１３が、車両の許可すべき機能を示す機能情報を電子運転免許証１０１０から取得し、運転免許情報が正しく認証されたとき、機能許可部１１２４が、前記機能情報で示された機能の作動を許可するようになっているので、電子運転免許証１０１０毎に予め記憶された機能情報が示す機能の作動のみが許可されることになり、車両の機能をその運転者が必要なものあるいは許されるもののみ許可することができる。
【００５６】
また、第１の実施形態の認証装置１１００は、複数の通信部１１１１、１１１２、１１１３が、電子運転免許証の車両に対する位置を示す位置情報をそれぞれ送出し、機能許可部１１２４が、前記位置情報に基づいて電子運転免許証１０１０から送信された機能情報が示す機能の作動を許可するようになっているので、通信部１１１１、１１１２、１１１３から送出された位置情報に基づいた機能の作動が許可されることになり、運転者が持つ電子運転免許証の位置毎に適切な機能を許可することができる。
【００５７】
また、第１の実施形態の認証装置１１００は、複数の通信部１１１１、１１１２、１１１３が、位置情報を電子運転免許証１０１０が通信部１１１１、１１１２、１１１３いずれかの近傍にあるときに送出し、電子運転免許証１０１０から認証要求が送信されたとき、認証部１１２３が、前記運転免許情報を認証するようになっているので、電子運転免許証１０１０が近傍にあるときのみ電子運転免許証１０１０と通信することになり、認証装置１１００における電力の消費を抑えることができる。
【００５８】
また、第１の実施形態においては、電子運転免許証１０１０がアクティブに機能を選択するようになっているため、スムースな認証および機能許可をすることができる。例えば、２度目に運転席に近づいたとき、電子運転免許証１０１０が前回認証を受け再び機能許可がされることを電子運転免許証１０１０が認識することができるので、認証が簡単に済む。運転者が様々なカードを複数所持し、複数のカードの中から対象カードを探す必要もない。
【実施例２】
次に、本発明の第２の実施形態の電子運転免許証および認証装置について説明する。
【００５９】
本実施形態において、第１の通信部１１１１、第２の通信部１１１２、および第３の通信部１１１３は、装置側通信部と同意である。
【００６０】
第２の実施形態において、第２図に示す電子運転免許証１０１０は、認証された運転免許情報に複数の機能が関連付けされていたとき、関連付けされた全ての機能の作動が示される機能情報を認証装置１１００に送信するようになっている。また、第２の実施形態において、第１図に示す認証装置１１００は、電子運転免許証１０１０から複数の機能が通知されたとき、通知された複数の機能の作動を同時に許可するようになっている。
【００６１】
以下、第２の実施形態の電子運転免許証１０１０および認証装置１１００の動作について、第４図を用いて説明する。
【００６２】
電子運転免許証１０１０を携帯した運転者が車両の運転席のドアに近づいたとき、電子運転免許証１０１０の位置が車両外であって運転席のドア近傍であることを示す位置情報が、車両のドアに配置された認証装置１１００の第１の通信部１１１１から送出される（Ｓ１４１１）。電子運転免許証１０１０は、位置情報を受信すると、認証装置１１００に認証要求を送信する（Ｓ１４１２）。この認証要求は、本実施形態において、暗号化された運転免許情報を含む。そして、電子運転免許証１０１０からの運転免許情報は、認証装置１１００の第１の通信部１１１１によって受信され、認証装置１１００の暗号処理部１１２１によって復号化され、認証装置１１００の認証部１１２３によって認証され、運転免許情報が正しく認証された場合には、認証装置１１００の第１の通信部１１１１から正しく認証されたことを示す認証完了が送信される（Ｓ１４１３）。電子運転免許証１０１０は、電子運転免許証１０１０の記憶部１０１１にドア解錠機能とエンジン始動機能とが予め登録されていた場合、ドア解錠およびエンジン始動の両方の機能を示す機能通知を送信する（Ｓ１４１４）。機能通知は、認証装置１１００の第１の通信部１１１１によって受信され、認証装置１１００の暗号処理部１１２１によって復号化され、認証装置１１００の機能許可部１１２４によってドア解錠許可信号がドア制御装置１０２１に出力される（Ｓ１４１５）とともにエンジン始動許可信号がエンジン制御装置１０２２に出力される（Ｓ１４１６）。ドア解錠許可信号を受け取ったドア制御装置１０２１においてドアの解錠がされて、応答がドア制御装置１０２１から出力される（Ｓ１４１７）。また、エンジン始動許可信号を受け取ったエンジン制御装置１０２２においてエンジン始動が許可されて、応答がエンジン制御装置１０２２から出力される（Ｓ１４１８）。応答は、認証装置１１００を介して、電子運転免許証１０１０に到達する（Ｓ１４１９）。したがって、運転者が車両のドアを開けることができるようになるとともに、運転者がエンジンを始動させることができるようになる。
【実施例３】
本実施形態において、第１の通信部１１１１、第２の通信部１１１２、第３の通信部１１１３は、装置側通信部と同意である。
【００６３】
次に、本発明の第３の実施形態の電子運転免許証および認証装置について説明する。
【００６４】
第３の実施形態において、第２図に示す電子運転免許証１０１０は、認証装置１１００から所定の電磁波を受信したとき、応答を認証装置１１００に送信するようになっている。また、第１図に示す認証装置１１００は、記憶部１１２２が、車両の許可すべき機能を示す機能情報を運転者毎に記憶するようになっており、運転免許情報が正しく認証された場合、機能許可部１１２４が、機能情報に基づいて複数の機能の作動を同時に許可するようになっている。
【００６５】
以下、第３の実施形態の電子運転免許証１０１０および認証装置１１００の動作について、第１図および第２図を用いて説明する。
【００６６】
電子運転免許証１０１０を携帯した運転者が車両のドアに近づいたとき、所定の電磁波が、車両のドアに配置された第１の通信部１１１１から送出される。ここで電磁波は、例えば、運転者が車両のドアまたはドアのノブに接触したときに送出されるようになっていてもよく、運転者が車両のドアもしくはドア近傍の所定の位置に近づいたことを検知したときに送出されるようになっていてもよく、電子運転免許証１０１０が車両のドアもしくはドア近傍の所定の位置に接触したことを検知したときに送出されるようになっていてもよい。電子運転免許証１０１０は、認証装置１１００から電磁波を受信すると、認証装置１１００からの電磁波に対する応答を認証装置１１００に送信する。そして、認証装置１１００の第１の通信部１１１１によって、電子運転免許証１０１０に運転免許情報要求が送信され、電子運転免許証１０１０からの運転免許情報が受信される。電子運転免許証１０１０からの運転免許情報は、認証装置１１００の暗号処理部１１２１によって復号化され、認証装置１１００の認証部１１２３によって認証される。運転免許情報が正しく認証された場合には、機能許可部１１２４によって、認証装置１１００の記憶部１１２２に予め記憶された運転者毎の機能情報が参照され、どの機能の作動を許可するかが判定される。正しく認証された運転免許情報に対してドア解錠とエンジン始動とが関連付けて記憶されていた場合には、認証装置１１００の機能許可部１１２４によってドア解錠許可信号がドア制御装置１０２１に出力されるとともに、エンジン始動許可信号がエンジン制御装置１０２２に出力され、ドア解錠許可信号を受け取ったドア制御装置１０２１においてドアの解錠がされ、エンジン始動許可信号を受け取ったエンジン制御装置１０２２においてエンジン始動が許可される。
【００６７】
以上説明したように、第３の実施形態の認証装置１１００は、運転者識別情報を含む運転免許情報を記憶した電子運転免許証１０１０と通信する複数の通信部１１１１、１１１２、１１１３と、前記運転免許情報を認証する認証部１１２３と、車両の機能の作動を許可する機能許可部１１２４と、車両の許可すべき機能を運転者毎に運転免許情報に関連付けて記憶する記憶部１１２２とを備え、機能許可部１１２４が、正しく認証された前記運転免許情報に関連付けされた機能の作動を許可するようになっている。これにより、認証装置１１００の記憶部１１２２に予め記憶された運転者毎の機能のみが許可されることになり、車両の機能をその運転者が必要なものあるいは許されるもののみ許可することができる。
【００６８】
なお、前述の第１から第３までの実施形態において、車両の機能として、居室のドア解錠と、エンジンの始動と、荷室の解錠とを例に説明したが、本発明はこれらの機能に限定されるものではなく、その他の機能が車両の機能に含まれていてもよい。例えば、車両に移動電話が実装され、移動通信網を介した通信の提供が可能である場合、運転者毎に通信機能を許可するようになっていてもよい。また、例えば、車両にナビゲーション装置が実装され、ナビゲーションの提供が可能である場合、運転者毎にナビゲーション機能を許可するようになっていてもよい。また、運転免許情報の認証を行うことによって、緊急通報をするための認証を併せて行ってもよい。
【００６９】
また、第１および第２の実施形態において、複数の通信部１１１１、１１１２、１１１３がそれぞれ配置された位置に対応して位置情報を送出する例を説明したが、本発明はこれに限るものではない。例えば、単純に車内であるか車外であるかを示す位置情報を送出するようになっていてもよい。
【００７０】
また、各実施形態において、認証装置１１００を車両に載置した場合について説明したが、車両自体が各実施形態で説明した構成要素を備えるようにしても、同様な効果が得られる。
【００７１】
さらに、前述の実施形態においては、様々な効果を奏するようになっており、電子運転免許証を携帯していないと車両の運転をすることができないので、運転免許証不携帯や無免許運転を防ぐことができる。また、運転者を制限することができるので、事故が多い運転者や運転を殆どしない運転者を排除することもでき、事故を抑制することができる。また、運転免許情報や機能情報は暗号化して通信されるので、セキュリティ性が高い。
【実施例４】
本実施形態において、記憶装置（記憶手段）２１３０は、免許証側記憶部と同意である。
【００７２】
本実施形態において、通信装置（通信手段）２１１０は、免許証側通信部と同意である。
【００７３】
本実施形態において、通信部２２１０は、装置側通信部と同意である。
【００７４】
本実施形態において、記憶装置２２３０は、記憶部と同意である。
【００７５】
第５図に示すように、本発明の第４の実施形態の電子運転免許システム２００１は、少なくとも運転免許に関する情報を記憶した携帯可能な電子運転免許証２１００と、車両２０１０に搭載された車体側制御装置２２００およびオーディオ装置などの車載装置２３００とを有する。
【００７６】
電子運転免許証２１００は、少なくとも運転免許に関する情報等を記憶する記憶装置（記憶手段）２１３０と、外部へ運転免許に関する情報等を送信可能な片方向通信の通信装置（通信手段）２１１０と、通信装置２１１０や記憶装置２１３０などの電子運転免許証２１００の内部にあるものの制御を行う電子運転免許証内部制御装置２１２０とを有する。
【００７７】
車体側制御装置２２００は、電子運転免許証２１００の通信装置２１１０から送信された信号を受信可能な通信装置（通信手段）２２１０と、読み書きが可能な記憶装置（記憶手段）２２３０と、通信装置２２１０や記憶装置２２３０などを制御し、かつ車載装置２３００と情報入出力装置（図示せず）を介して情報のやりとりを制御するシステム制御部２２２０とを有する。
【００７８】
車載装置２３００は、例えば車載オーディオ装置、車載電話装置等の複数の異なる車載装置２３１０、車載装置２３２０などからなり、車体側制御装置２２００に接続されている。なお、これらの車載装置２３００は、すべて電子運転免許証２１００の情報で認証されたときだけ動作するように設計されている。
【００７９】
上記第４の実施形態の電子運転免許システム２００１の動作を、第６図に基づき説明する。
【００８０】
最初に、電子運転免許証２１００にて車両２０１０と通信を行う。この通信の起動は、車両乗車解錠動作時、または電子運転免許証２１００を車両側に設けた所定のホルダに置いた時などに実行されるようになっている。そして、その通信により、電子運転免許証２１００が有している自身のＩＤ情報とあらかじめ登録している各種車載装置２３００の使用許可情報とが合わせて、電子運転免許証２１００がその通信装置２１１０から車体側制御装置２２００の通信装置２２１０へ送信される（Ｓ２１００）。
【００８１】
車体側制御装置２２００は、その通信部２２１０で受信した上記ＩＤ情報や各種車載装置２３００の使用許可情報を記憶装置２２３０に記憶する。このようにして記憶装置２２３０に記憶されたＩＤ情報や各種車載装置２３００の使用許可情報は、当該電子運転免許証２１００が車両内部に存在しなくなるまで記憶し続けられる。
【００８２】
その後、車載装置２３００を使用する際には、まず車載装置２３００から車体側制御装置２２００へ使用許可要求を発する（Ｓ２１０１）。この使用許可要求を受けてシステム制御装置（システム制御手段）２２２０が記憶装置２２３０に記憶しているデータ情報をチェックして電子運転免許証２１００からの情報が存在するか否かを確認する。
【００８３】
上記確認の結果、電子運転免許証２１００からの情報が存在していなければ、システム制御装置２２２０は、電子運転免許証２１００からの情報を得るために、車載装置２３００の使用者に対して電子運転免許証２１００の情報の送信を促す。この送信の催促は、車両２０１０に存在する、例えば車載オーディオ装置による音声などを利用して車載装置使用者へ伝達することにより行われる。
【００８４】
一方、電子運転免許証２１００からの情報が車体側制御装置２２００の記憶装置２２３０内に存在する場合は、システム制御装置２２２０が電子運転免許証２１００からの車載装置使用許可情報と使用許可要求の出ている車載装置２３００の情報とを確認して、該当車載装置２３００が使用可能か否かを判断し、認証のための確認を行う（Ｓ２１０２）。
【００８５】
そして、その結果を、使用許可または使用拒否の情報として当該車載装置２３００に送信し（Ｓ２１０３）、車載装置２３００でその結果に基づいて動作を開始する（Ｓ２１０４）。すなわち、判断結果が使用許可するものであれば、当該車載装置２３００が使用可能な状態となってその各種のコントロール等が可能なるが、判断結果が使用拒否されたものであれば、当該車載装置２３００を使用することができなくなる。
【００８６】
以上説明したように、本発明の第４の実施形態の電子運転免許システム２００１によれば、電子運転免許証２１００に記憶された車載装置２３００の使用許可情報により、車載装置２３００を使用する権利を持つ人のみが使用することができるようになり、また車載装置２３００の中に存在する個人情報を保護するとともに、車載装置２３００等の盗難防止に貢献することができるようになる。
【実施例５】
本実施形態において、通信装置２１１０は、免許証側通信部と同意である。
【００８７】
本実施形態において、通信部２２１０は、装置側通信部と同意である。
【００８８】
本実施形態において、記憶装置２１３０は、免許証側記憶部と同意である。
【００８９】
以下第５の実施形態の電子運転免許システムにつき、説明する。この電子運転免許システムは、基本的には第５図の電子運転免許システム２００１と同じであり、第４の実施形態の電子運転免許システム２００１では、電子運転免許証２１００の通信装置２１１０が送信のみで片方向通信であったのに対し、本電子運転免許システムでは、通信装置２１１０と通信装置２２１０とが双方向通信対応型となるようにした点が相違するだけである。
【００９０】
上記第５の実施形態の電子運転免許システムの動作を図面に基づき説明する。
【００９１】
まず、車載装置２３００の使用を希望する場合につき、第７図のタイムチャートにより説明する。
【００９２】
車載装置２３００の使用を希望する際は、はじめに車載装置２３００から車体側制御装置２２００へ使用許可要求を出す（Ｓ２２００）。車体側制御装置２２００は、電子運転免許証２１００の存在を確認し、電子運転免許証２１００が存在していたら、電子運転免許証２１００に対して当該車載装置２３００の使用許可要求(ＩＤ要求)を送信する（Ｓ２２０１）。これに対し、電子運転免許証２１００が存在しない場合は、車載装置２３００の使用者に対して電子運転免許証２１００が存在しない旨を、車載オーディオ装置による音声などを利用してその車載装置２３００の使用希望者へ伝達する。
【００９３】
ＩＤ要求を受けた電子運転免許証２１００は、電子運転免許証内部制御装置２１２０が上記ＩＤ要求にこたえて記憶装置２１３０内の該当車載装置２３００に対する使用許可情報を認証情報として車体側制御装置２２００へ返信する（Ｓ２２０２）。車体側制御装置２２００は、この返信情報など、収集した情報をもとに認証動作を行う（Ｓ２２０３）。そしてその認証結果をもとに当該車載装置２３００に使用許可情報または使用拒否情報を返信する（Ｓ２２０４）。車載装置２３００はその返信情報に基づいて動作を開始する（Ｓ２２０５）。すなわち、判断結果が使用許可するものであれば、当該車載装置２３００が使用可能な状態となってその各種のコントロール等が可能なるが、判断結果が使用拒否するものであれば、当該車載装置２３００を使用することができなくなる。
【００９４】
以上説明したように、第５の実施形態の電子運転免許システム２００１によれば、車載装置２３００の使用要求が発生したときに、電子運転免許証２１００に記憶された情報に基づいて使用許可を決定し、車載装置２３００の使用を許可することができるようになる。また、本発明の第４の実施形態の電子運転免許システム２００１よりもさらに高度に車両の中に存在する個人情報を保護することが可能となるほか、常時自動認証により利便性が向上するとともに、車載装置２３００の盗難防止に貢献することが可能となる。
【００９５】
次に、上記第５の実施形態の電子運転免許システム２００１において、車載装置２３００の使用を予約した場合に、その使用の認証結果が使用希望者に分かるようにするための動作を説明する。
【００９６】
車載装置２３００の使用要求があったとき、車体側制御装置２２００は、電子運転免許証２１００と双方向通信を行い、上記使用許可を得る場合で説明したのと同様な使用許可認証の動作をする。このとき、認証後、当該車載装置２３００の使用が許可されたときに、車体側制御装置２２００から電子運転免許証２１００に対して、当該車載装置２３００の使用予約がなされた旨を通信により通知する。この通知によって、電子運転免許証２１００は、電子運転免許証２１００の持ち主に対して、例えばアラーム音とか、ランプの点滅等の情報伝達手段を用いて、車載装置２３００の使用が予約されたことを伝えることが可能となる。
【００９７】
次に、上記第５の実施形態の電子運転免許システム２００１において、車載装置２３００の使用を予約した場合に、その使用開始が使用希望者に分かるようにするための動作を説明する。
【００９８】
車載装置２３００の使用要求があったとき、車体側制御装置２２００は、電子運転免許証２１００と双方向通信を行い、使用許可認証の動作をする。このとき、認証後、使用が許可されたときに、車体側制御装置２２００は、当該車載装置２３００に対して使用許可を与える。この後、車載装置２３００の使用が開始されたとき、その情報を車体側制御装置２２００が受け取り、電子運転免許証２１００に対して、車載装置２３００の使用が開始された旨を通知する。この通知は、例えばアラーム音とか、ランプの明滅等の情報伝達手段によって行う。これにより、使用希望者は、希望した車載装置２３００が使用開始状態になったことが理解でき、ただちに使用を開始することが可能となる。
【実施例６】
次に、第６の実施形態の電子運転免許システムにつき説明する。
【００９９】
この電子運転免許システムは、車載電話装置の使用権利の許可または使用拒否を行うようにした電子運転免許システムである。
【０１００】
第８図に示すように、電子運転免許システム２００２は、車載装置としてマン・マシン・インターフェイスを有する車載電話制御装置２３１１と外部と通話が可能な車載電話装置２３１２とが用いられている点が、第５図の双方向型の電子運転免許システム２００１と相違する。
【０１０１】
上記電子運転免許システム２００２の動作を第９図に基づき説明する。
【０１０２】
電子運転免許証２１００の持ち主が車両２０１０に搭載されている車載電話装置２３１２の使用を希望したときは、はじめに電話使用要求を車載電話制御装置２３１１に対して行う（Ｓ２３００）。車載電話制御装置２３１１は、車載電話装置２３１２の使用許可の有無につき車体側制御装置２２００に対して確認する（Ｓ２３０１）。
【０１０３】
この確認の問い合わせを受けると、車体側制御装置２２００は、電子運転免許証２１００に対して車載電話使用許可情報(ＩＤ情報)を要求し（Ｓ２３０２）、電子運転免許証２１００から記憶されているＩＤ情報を受け取る（Ｓ２３０３）。車体側制御装置２２００は、この受け取ったＩＤ情報をもとに認証動作を行う（Ｓ２３０４）。
【０１０４】
認証動作により得た結果は、車載電話装置２３１２の使用許可又は使用拒否の情報として車載電話制御装置２３１１へ返信する（Ｓ２３０５）。そして、許可されたときだけ車載電話装置２３１２の使用を許可し（Ｓ２３０６）、はじめてユーザーが車載電話装置２３１２を使用することができるようになる。
【０１０５】
車載電話装置２３１２の使用後は、車載電話制御装置２３１１が、車載電話装置２３１２を使用した際の使用情報(例えば、通信時間や通信先等の情報)を車体側制御装置２２００に送信する（Ｓ２３０７）。車体側制御装置２２００は、さらにその車載電話使用情報を電子運転免許証２１００に送信し（Ｓ２３０８）、電子運転免許証２１００に記録する（Ｓ２３０９）。この情報の記録が終了したら、電子運転免許証２１００が情報記録終了通知を車体側制御装置２２００に送信して（Ｓ２３１０）、一連の処理が完了する。
【０１０６】
以上説明したように、第６の実施形態の電子運転免許システム２００２によれば、車載電話装置２３１２の使用権利を、電子運転免許証２１００の持ち主に合わせて自在に設定することが可能となり、また、車載電話装置２３１２を使用した情報について、電子運転免許証２１００ごとに記録を残すことが可能となる。
【実施例７】
次に、第７の実施形態の電子運転免許システムにつき説明する。
【０１０７】
この電子運転免許システムは、車載オーディオ装置の車載オーディオ機能（いずれかの他の車載装置の使用が拒否されたときや電子運転免許証２１００の存在を確認するときに、ユーザーへ車載オーディオ装置により音声で報知する機能を除く）の使用権利の許可又は拒否を行うことができるようにした電子運転免許システムである。
【０１０８】
第１０図に示すように、電子運転免許システム２００３は、車載装置として車載オーディオ装置２３１３が用いられている点が第５図の双方向型の電子運転免許システム２００１と相違する。なお、車載装置としては、上記車載オーディオ装置２３１３とは別に他の車載装置２３２０も搭載されている。
【０１０９】
上記電子運転免許システム２００３の動作を第１１図のタイムチャートに基づき説明する。
【０１１０】
電子運転免許証２１００の持ち主が車両に搭載されている車載オーディオ装置２３１３の車載オーディオ機能の使用を希望するときは、はじめに電子運転免許証２１００の持ち主が車載オーディオ機能の使用要求を車載オーディオ装置２３１３に対して行う（Ｓ２４００）。車載オーディオ装置２３１３は、車載オーディオ機能の使用許可の有無につき車体側制御装置２２００に対して確認する（Ｓ２４０１）。
【０１１１】
この確認の問い合わせがあると、車体側制御装置２２００は、電子運転免許証２１００に対して車載オーディオ機能使用許可情報(ＩＤ情報)を要求し（Ｓ２４０２）、電子運転免許証２１００からＩＤ情報の返信を受ける（Ｓ２４０３）。車体側制御装置２２００は、受け取ったＩＤ情報をもとに認証動作を行う（Ｓ２４０４）。この認証動作で得た結果を車載オーディオ装置２３１３に対して車載オーディオ機能の使用許可または拒否の情報として返信し（Ｓ２４０５）、許可されたときだけ車載オーディオ装置２３１３の車載オーディオ機能の使用を許可する。これにより、はじめてユーザーは車載オーディオ装置２３１３の車載オーディオ機能を使用することができるようになる。
【０１１２】
車載オーディオ装置２３１３の使用後は、車載オーディオ装置２３１３は、車載オーディオ機能を使用した際の使用情報(例えば、電子運転免許証２１００の持ち主がドライブ時によく聞いていたラジオ局の周波数や、音楽のジャンル等の情報、あるいは、よく聞くＣＤやＭＤなどの種別や曲順などの情報)を電子運転免許証２１００に記録するために、車体側制御装置２２００に上記使用情報を送信する（Ｓ２４０６）。
【０１１３】
車体側制御装置２２００は、この使用情報を電子運転免許証２１００に送信して（Ｓ２４０７）、電子運転免許証２１００に記録する（Ｓ２４０８）。電子運転免許証２１００での記録が終了すると、この情報記録終了通知が車体側制御装置２２００に送信され（Ｓ２４０９）、一連の処理が完了する。
【０１１４】
以上説明したように、本発明の第７の実施形態の電子運転免許システム２００３によれば、車載オーディオ装置２３１３の車載オーディオ機能の使用権利を、電子運転免許証２１００の持ち主に合わせて自在に設定することができる。また、電子運転免許証２１００の持ち主が使用したオーディオ使用情報について、電子運転免許証２１００ごとに記録を個別に残すことができ、カスタマイズが可能となる。
【実施例８】
次に、第８の実施形態の電子運転免許システムにつき説明する。
【０１１５】
この電子運転免許システムは、車載のコンビネーション・メータ装置および運転走行制御装置の使用権利の許可または拒否を行うことができるようにした電子運転免許システムである。
【０１１６】
第１２図に示すように、電子運転免許システム２００４は、車載装置としてコンビネーション・メータ装置２３１４と運転走行制御装置２３１５とが用いられている点が第５図の双方向型の電子運転免許システム２００１と相違する。
【０１１７】
上記第８の実施形態の電子運転免許システム２００４の動作を第１３図のタイムチャートに基づき説明する。
【０１１８】
電子運転免許証２１００の持ち主が車両に搭乗し、車両のエンジンをスタートさせると、コンビネーション・メータ装置２３１４は、そのエンジンスタート情報を掴み（Ｓ２５００）、車体側制御装置２２００に対してコンビネーション・メータ装置２３１４および運転走行制御装置２３１５の使用許可の有無を確認する（Ｓ２５０１）。
【０１１９】
この確認の問い合わせがあると、車体側制御装置２２００は、電子運転免許証２１００に対してコンビネーション・メータ装置２３１４および運転走行制御装置２３１５の使用許可情報及び運転情報等(ＩＤ情報)を要求し（Ｓ２５０２）、電子運転免許証２１００からＩＤ情報等の返信を受ける（Ｓ２５０３）。車体側制御装置２２００は、電子運転免許証２１００から受け取った情報をもとに認証動作を行う（Ｓ２５０４）。
【０１２０】
車体側制御装置２２００は、コンビネーション・メータ装置２３１４および運転走行制御装置２３１５に対して、上記認証動作で得た結果をコンビネーション・メータ装置２３１４および運転走行制御装置２３１５の許可または拒否の情報として返信し（Ｓ２５０５）、許可されたときだけコンビネーション・メータ装置２３１４および運転走行制御装置２３１５を使用することが可能となる。これに対し、拒否された場合はコンビネーション・メータ装置２３１４および運転走行制御装置２３１５を使用できない。これらの許可または拒否の情報は、コンビネーション・メータ装置２３１４と運転走行制御装置２３１５とで共有され（Ｓ２５０６）、運転情報(例えば、走行距離とか加速・ブレーキ制御タイミング情報など)とともにそれぞれに記憶される。
【０１２１】
車両の運転を終了したとき、すなわちエンジンを切ったときに、運転走行制御装置２３１５からコンビネーション・メータ装置２３１４へそれまで蓄積した運転情報を送信し（Ｓ２５０７）、次いで、コンビネーション・メータ装置２３１４が、上記運転情報と自身がそれまで蓄積していた運転情報とを、電子運転免許証２１００に記録するために車体側制御装置２２００に送信する（Ｓ２５０８）。そして、車体側制御装置２２００は、この運転情報を電子運転免許証２１００に送信して（Ｓ２５０９）、電子運転免許証２１００に記録する（Ｓ２５１０）。電子運転免許証２１００は、情報記録終了通知を車体側制御装置２２００に送信して（Ｓ２５１１）、一連の処理が完了する。
【０１２２】
以上説明したように、第８の実施形態の電子運転免許システム２００４によれば、コンビネーション・メータ装置２３１４および運転走行制御装置２３１５の使用権利を、電子運転免許証２１００の持ち主に合わせて自在に設定することが可能となる。また、本電子運転免許システム２００４では、コンビネーション・メータ装置２３１４から走行記録等の運転情報を受けて、車体側制御装置２２００を経由し、電子運転免許証２１００ごとに個別に記憶することが可能となる。これによって、従来使用されていた走行記録計を廃止し、電子運転免許証２１００の内部に運転情報を蓄え、次回の運転等の参考情報として利用することも可能となる。
【０１２３】
また、電子運転免許証２１００からは、別途読取装置を準備することによって、走行情報を収集することが可能となって、業務車両等の運行管理が容易に行えるようになる。さらに、運転走行制御装置２３１５と連携することによって、ドライバーの運転の癖を情報として蓄積し、この情報に合わせて、運転走行制御装置２３１５がドライバーをアシストすることによって、より安全な走行を実現することができるようになる。また、この運転情報を他の車両に展開することによって、あまり乗車することがない、言い換えれば慣れていない車両の運転に対しても、その車両の運転走行制御装置２３１５と、電子運転免許証２１００に記録された情報が連携されることによって、より安全な運転を実現することが可能となる。
【実施例９】
本実施形態において、緊急通報装置２３１６は、緊急通信装置と同意である。
【０１２４】
次に、本発明の第９の実施形態の電子運転免許システムにつき説明する。
【０１２５】
この電子運転免許システムは、緊急通報装置の使用権利の許可または拒否を行うことができるようにした電子運転免許システムである。
【０１２６】
第１４図に示すように、電子運転免許システム２００５は、車載装置として緊急通報装置２３１６が用いられている点、および電子運転免許証２１００の記憶装置２１３０に、あらかじめ電子運転免許証２１００の持ち主の健康情報(例えば既往歴、現在かかっている病気、通院している病院情報、血液型など)を記憶させてある点が、第５図の双方向型の電子運転免許システム２００１と相違する。
【０１２７】
上記第９の実施形態の電子運転免許システム２００５の動作を第１５図のタイムチャートに基づき説明する。
【０１２８】
はじめに車両に運転者が搭乗すると（Ｓ２６００）、緊急通報装置２３１６は、車体側制御装置２２００に対して緊急通報装置２３１６の使用許可確認を行う（Ｓ２６０１）。車体側制御装置２２００は、電子運転免許証２１００に対して緊急通報装置２３１６の使用許可情報(ＩＤ情報)を問い合わせ（Ｓ２６０２）、電子運転免許証２１００からＩＤ情報と持ち主の健康情報とを合わせて受け取り（Ｓ２６０３）、その情報をもとに認証動作を行う（Ｓ２６０４）。
【０１２９】
車体側制御装置２２００は、認証動作で得た結果と電子運転免許証２１００から受け取った電子運転免許証２１００の持ち主の健康情報とを、緊急通報装置２３１６に対して緊急通報装置２３１６の使用許可または拒否の情報として返信し（Ｓ２６０５）、許可されたときだけ、緊急通報装置２３１６を使用することができるようになる。
【０１３０】
そして、緊急時、例えば衝突事故とか、体の具合が悪くなったとき等において、緊急通報装置２３１６から緊急通報を緊急通報センターへ発信する際、その緊急時の地点と電子運転免許証２１００の持ち主の健康情報とを合わせて送信する（Ｓ２６０６）。この送信に際しては、例えば、電子運転免許証２１００より読み出した電子運転免許証２１００の持ち主の健康情報中、特定の情報（例えば、病院の既往歴とか、現在治療中の病気とか、血液型とか、服用中の薬の一覧とかなど）を、車両位置情報などと合わせて、緊急通報センターに通報できるようにする。
【０１３１】
以上説明したように、第９の実施形態の電子運転免許システム２００５によれば、電子運転免許証２１００の持ち主に健康上等の緊急事態が発生したとき、このときの車両位置と緊急事態および電子運転免許証２１００の持ち主の健康上情報を緊急通報センター等へ発信することができる。また、緊急車両をその緊急現場へ向かわせる際に、上記電子運転免許証２１００の持ち主の健康上情報を参照することで電子運転免許証の持ち主の健康状態に即した対応を取ることができ、より適切な処置を行うことが可能となる。
【実施例１０】
本実施形態において、車両側路車間通信装置２３１７は、車両に搭載される路車間通信装置と同意である。
【０１３２】
次に、第１０の実施形態の電子運転免許システムにつき説明する。
【０１３３】
この電子運転免許システムは、路車間通信機能の使用許可または拒否を行うことができるようにした電子運転免許証である。
【０１３４】
第１６図に示すように、電子運転免許システム２００６は、車載装置として車両側路車間通信装置２３１７が用いられている点、この車両側路車間通信装置２３１７が路側路車間通信装置２６００を介して店舗２４００に設置された路側端末装置２５００と通信可能である点が、第５図の双方向型の電子運転免許システム２００１と相違する。
【０１３５】
上記第１０の実施形態の電子運転免許システム２００６の動作を第１７図のタイムチャートに基づき説明する。
【０１３６】
はじめに運転者が車両に搭乗すると（Ｓ２７００）、車両側路車間通信装置２３１７は、路車間通信機能の使用確認のために、車体側制御装置２２００に対して路車間通信機能の使用許可確認を行う（Ｓ２７０１）。車体側制御装置２２００は、電子運転免許証２１００に対して路車間通信機能の使用許可情報(ＩＤ情報)および個人情報を問い合わせ（Ｓ２７０２）、電子運転免許証２１００からＩＤ情報及び個人情報を受け取り（Ｓ２７０３）、その情報をもとに認証動作を行う（Ｓ２７０４）。
【０１３７】
認証動作で得た結果を、車両側路車間通信装置２３１７に対して路車間通信機能の使用許可または拒否の情報および個人情報として返信し（Ｓ２７０５）、許可されたときだけ、路車間通信機能を使用することができるようになる（Ｓ２７０６）。また、この個人情報によって、ドライブスルーの店舗２４００に行って買い物をする際に、過去に購入したリストを電子運転免許証２１００に記憶しておくことによって、店舗２４００側でこの情報を利用して顧客の購買履歴の参照が可能となり、より細かいサービスを本電子運転免許証２１００の持ち主に提供することが可能となる。
【０１３８】
以上説明したように、第１０の実施形態の電子運転免許システム２００６によれば、路車間通信機能を電子運転免許証２１００の所持者の情報に基づいて適切に使用させることができる。また、ドライブスルーの店舗での物品の購入情報に限らず、車検情報や、車両の故障履歴情報、ディーラーでの車両整備情報などの情報を、電子運転免許証２１００に記憶することができ、その情報を路車間通信機能によって、車室内の情報を車室外へ容易に、しかもセキュリティを確保しながら入出力することが可能となる。
【実施例１１】
次に、第１１の実施形態の電子運転免許システムにつき、説明する。
【０１３９】
この電子運転免許システムは、使用可能車載装置情報を異なる電子運転免許証ごとに設定することができるようにした電子運転免許システムである。
【０１４０】
第１８図に示すように、電子運転免許システム２００７は、電子運転免許証２１００として第１電子運転免許証２１０１、第２電子運転免許証２１０２といった異なる複数の電子運転免許証がある点、車体側制御装置２２００に第１電子運転免許証２１０１に対して使用許諾された第１車載装置群２３３０と、第２電子運転免許証２１０２に対して使用許諾された第２車載装置群２３４０とがある点が、第５図の双方向型の電子運転免許システム２００１と相違する。なお、第１電子運転免許証２１０１と第２電子運転免許証２１０２とは、通信装置２１１１（通信手段）と通信装置２１１２（通信手段）とをそれぞれ有するが、その他の記憶装置等は図示を省略している。
【０１４１】
なお、電子運転免許証２１０１と電子運転免許証２１０２とは、その内部の各記憶装置（図示せず）に車載装置の使用許可情報を個別に記憶しており、この例では第１車載装置群２３３０と第２車載装置群２３４０との一部が共通した車載装置２３００となっている。また、電子運転免許証２１０１と電子運転免許証２１０２との各電子運転免許証内部制御装置も図を省略してある。
【０１４２】
上記第１１の実施形態の電子運転免許システム２００７の動作を、第１９図のタイムチャートに基づき説明する。
【０１４３】
まず第１電子運転免許証２１００を所持する運転者が、第１車載装置群２３３０のうちのいずれかの車載装置の使用を希望した場合（Ｓ２８００）、第１車載装置群２３３０は、車体側制御装置２２００に対して、第１車載装置群２３３０の使用許可確認を行う（Ｓ２８０１）。この確認要求を受けて、車体側制御装置２２００は、第１電子運転免許証２１０１に対して、第１車載装置群２３３０の使用許可情報(ＩＤ情報)の有無につき確認を行う（Ｓ２８０２）。
【０１４４】
この確認の問い合わせに応じて、第１電子運転免許証２１０１は、第１電子運転免許証２１０１に登録されているＩＤ情報を車体側制御装置２２００へ返信する（Ｓ２８０３）。車体側制御装置２２００は、この返信された情報をもとに認証動作を行い（Ｓ２８０４）、第１車載装置群２３３０に対して、第１電子運転免許証２１０１に許可されている内容に基づいた許可情報を第１車載装置群２３３０の使用許可の情報として返信する（Ｓ２８０５）。この許可情報を受け取った第１車載装置群２３３０は、第１車載装置群２３３０の情報に登録された車載装置のみ使用の許可を行う。
【０１４５】
その後、第２電子運転免許証２１０２を所持する別の運転者が第２車載装置群２３４０のうちのいずれかの車載装置の使用を要求したとき（Ｓ２８１０）、第２車載装置群２３４０は、先ほどの第１車載装置群２３３０の場合と同様に、車体側制御装置２２００に対して第２車載装置群２３４０の使用許可確認を行い（Ｓ２８１１）、車体側制御装置２２００が再び第２電子運転免許証２１０２に対して第２車載装置群２３４０の使用許可情報(ＩＤ情報)の有無につき確認を行う（Ｓ２８１２）。
【０１４６】
この確認の問い合わせがあると、第２電子運転免許証２１０２は、第２電子運転免許証２１０２に登録されているＩＤ情報を車体側制御装置２２００へ返信する（Ｓ２８１３）。車体側制御装置２２００は、この情報をもとに認証動作を行い（Ｓ２８１４）、第２車載装置群２３４０に対して、今度は第２電子運転免許証２１０２に許可されている内容に基づいた許可情報を第２車載装置群２３４０の使用許可の情報として返信する（Ｓ２８１５）。この許可情報を受け取った第２車載装置群２３４０は、第２車載装置群２３４０の情報に登録された車載装置のみ使用の許可を行う。
【０１４７】
以上説明したように、第１１の実施形態の電子運転免許システム２００７によれば、各電子運転免許証（第１電子運転免許証２１０１、第２電子運転免許証２１０２など）に車載装置２３００（第１車載装置群２３３０、第２車載装置群２３４０など）の使用許可情報を個別に記憶できる。これにより、車載装置２３００の使用許可設定を電子運転免許証２１００ごとに個別に行うことが実現され、カスタマイズが可能となる。
【０１４８】
次に、上記各実施形態の電子運転免許システムで使用する電子運転免許証２１００を非接触ＩＣカード型電子運転免許証とした場合につき第２０図に基づき説明する。
【０１４９】
第２０図に示すように、この非接触ＩＣカード型電子運転免許証２１５０は、内部の各装置の制御を行う制御回路２１２２と、読み書き可能な記憶装置（記憶手段）２１２３と、外部と情報の入出力する際のセキュリティを確保するための暗号化装置２１２１と、外部と情報を通信にて入出力するための通信装置２１１０と、通信装置２１１０の通信用アンテナ２１６０と、本非接触ＩＣカード型電子運転免許証２１５０の動作を確保するための電源回路２１３０と、データバックアップ用の１次電池２１４０と、通常動作用の２次電池２１５０と、本非接触ＩＣカード型電子運転免許証２１５０の動作電源を外部より供給するための電力供給用アンテナ２１７０とから構成され、外部機器と接続するための端子を持たないＩＣカード型の形状のケース２１５１に入れられている。
【０１５０】
上記構成によって、本非接触ＩＣカード型電子運転免許証２１５０と外部装置（車体側制御装置２２００など）との間での情報の入出力をすべて無線通信にて実現し、動作電源の供給についても、無線にて高周波電力を供給し、電源回路２１３０にて平滑安定化し、２次電池２１５０を用いることによって安定的に動作させることができ、制御回路２１２２、記憶装置２１２３、暗号化装置２１２１、通信装置２１１０等を含む電子運転免許証部分２１２０へ電力供給することが可能となる。このような非接触ＩＣカード型電子運転免許証２１５０によれば、電子運転免許証２１００から外部機器接続用の端子を廃止し、完全非接触型のＩＣカードとすることが可能となる。
【実施例１２】
第１２の実施形態の車載機器使用許可システムを第２１図に示す。
【０１５１】
本実施形態において、車載機器３００４は、車両に載置された車載装置と同意である。
【０１５２】
本実施形態において、第１通信手段３０２１は、免許証側通信部と同意である。
【０１５３】
本実施形態において、暗証番号認証手段３０２２は、暗証番号認証部と同意である。
【０１５４】
本実施形態において、第１記憶手段３０２３は、免許証側記憶部と同意である。
【０１５５】
本実施形態において、第２通信手段３０３１は、装置側通信部と同意である。
【０１５６】
本実施形態において、個人認証手段３０３２は、個人認証部と同意である。
【０１５７】
本実施形態において、第２記憶手段３０３３は、装置側記憶部と同意である。
【０１５８】
本実施形態において、暗証番号入力手段３０３５は、暗証番号入力部と同意である。
【０１５９】
本実施形態において、暗証番号送信手段３０３６は、暗証番号送信部と同意である。
【０１６０】
本発明の実施形態に係る車載機器使用許可システムは、外部から入力された暗証番号が認証された場合のみ記憶している個人情報を出力する電子運転免許証と、電子運転免許証との間で通信可能でありユーザーによる暗証番号の入力で電子運転免許証に記憶されている個人情報をその暗証番号とともに登録し、登録した暗証番号を電子運転免許証での認証が得られるまで順次電子運転免許証へ送信し、電子運転免許証から個人情報が送られてきたら登録している照合用の個人情報と照合して認証が得られた場合にのみ車載機器の使用を許容する車載機器使用許可装置とを有する。
【０１６１】
第２１図において、車載機器使用許可システム３００１は、暗証番号が入力されると内部に記憶されている運転者の個人情報を出力可能な電子運転免許証３００２と、内部に記憶されている車載機器の使用が予め許可された暗証番号を電子運転免許証３００２に順次送信して電子運転免許証３００２で暗証番号の認証が得られた場合に電子運転免許証３００２から送信してきた個人情報を内部に記憶している個人情報と照合して認証が得られたら車載機器３００４の使用を許可する車載機器使用許可装置３００３とを有する。
【０１６２】
電子運転免許証３００２は、車載機器使用許可装置３００３との間で通信するための第１通信手段３０２１と、運転者の個人情報および当該個人情報を読み出すための暗証番号を記憶する第１記憶手段３０２３と、第１記憶手段３０２３に記憶された暗証番号と第１通信手段３０２１で受信した暗証番号とを照合して暗証番号が合致するとの認証を得た場合には第１通信手段３０２１から第１記憶手段３０２３に記憶した個人情報を送信するのを許容し、暗証番号の認証が得られない場合には第１通信手段３０２１からの個人情報の送信を禁止する暗証番号認証手段３０２２とを有する。
【０１６３】
車載機器使用許可装置３００３は、電子運転免許証３００２の第１通信手段３０２１と通信するための第２通信手段３０３１と、暗証番号および個人情報を記憶する第２記憶手段３０３３と、暗証番号をユーザー入力するための暗証番号入力手段３０３５と、暗証番号入力手段３０３５で入力された暗証番号に対応する個人情報を電子運転免許証３００２から読み出してその暗証番号と個人情報とを第２記憶手段３０３３に登録したり第２記憶手段３０３３に登録されている暗証番号と個人情報とを削除したりする情報登録削除手段３０３４と、電子運転免許証３００２の第１通信手段３０２１との通信開始の際に、第２記憶手段３０３３に蓄積記憶された暗証番号を第２通信手段３０３１から第１通信手段３０２１へ電子運転免許証３００２の暗証番号認識手段３０２２で認証が得られるまで順次送信する暗証番号送信手段３０３６と、第２通信手段３０３１で受信した第１通信手段３０２１からの個人情報と第２記憶手段３０３３に記憶された個人情報とを照合して認証が得られた場合に車載機器３００４の使用を許可する個人認証手段３０３２とを備えている。
【０１６４】
なお、車載機器使用許可装置３００３の第２通信手段３０３１は、たとえば車両のインストメントパネルの運転者側部分に設けられ、電子運転免許証３００２が近づけられると第１通信手段３０２１との間で通信が実行されるようにしてある。
【０１６５】
以上のように構成された車載機器使用許可システム３００１について、第２２図のタイムチャートを用いてその動作を説明する。
【０１６６】
まず、ユーザーが車載機器３００４の使用を許可する暗証番号を車載機器使用許可装置３００３の第２記憶手段３０３３に登録をする（Ｓ３００１）。すなわち、この登録にあっては、ユーザーが暗証番号入力手段３０３５に車載機器３００４の使用を許可する暗証番号を入力することにより、第２記憶手段３０３３に暗証番号を入力して記憶させる。この暗証番号が登録されると、第２通信手段３０３１から電子運転免許証３００２へ暗証番号が送信され、電子運転免許証３００２で認証を得て第１通信手段３０２１から送られてきた第１記憶手段３０２３に記憶された個人情報を情報登録削除手段３０３４で取得し、情報登録削除手段３０３４がこの受信した個人情報を照合用の個人情報として対応する暗証番号とリンクさせて第２記憶手段３０３３に記憶する。
【０１６７】
この登録は、当該車両の車載機器３００４の使用を許可する者ごとにその人数分行われる。なお、この場合、使用を許可する車載機器３００４の種類をユーザーごとに異ならせて登録するようにしてもよい。
【０１６８】
登録後は、車載機器３００４の使用を希望してユーザーが電子運転免許証３００２を第２通信手段３０３１に近づけると、個人認証手段３０３２がこれを感知して電子運転免許証３００２へ第２記憶手段３０３３に記憶してある暗証番号の送信開始を決定し（Ｓ３００２）、暗証番号送信手段３０３６に送信開始を指示する（Ｓ３００３）。暗証番号送信手段３０３６は、第２記憶手段３０３３に記憶された暗証番号を読み出し、読み出した暗証番号を第２通信手段３０３１から電子運転免許証３００２の第１通信手段３０２１へ送信する（Ｓ３００４）。
【０１６９】
電子運転免許証３００２では、第１通信手段３０２１で受信した暗証番号と第１記憶手段３０２３から読み出した暗証番号とを基に暗証番号認証手段３０２２が暗証番号の照合を行う（Ｓ３００５）。
【０１７０】
この照合で認証が得られない場合は、その旨の情報を第１通信手段３０２１から第２通信手段３０３１に送信する。この情報を受けた暗証番号送信手段３０３６は、第２記憶手段３０３３から次の暗証番号を読み出して、第２通信手段３０３１から第１通信手段３０２１へ送信する。この暗証番号送信手段３０３６による暗証番号の送信は、電子運転免許証３００２の暗証番号認証手段３０２２で暗証番号の認証が得られるまで別の暗証番号を順次送信していく（Ｓ３００６）。電子運転免許証３００２では、その都度、暗証番号送信手段３０３６で暗証番号の照合が行われる（Ｓ３００７）。
【０１７１】
暗証番号送信手段３０３６で暗証番号を照合して（Ｓ３００５、Ｓ３００７）暗証番号の認証が得られると、認証情報が第１通信手段３０２１から第２通信手段３０３１に送信される。この認証情報の受信により、暗証番号送信手段３０３６による以降の暗証番号の送信が停止されるとともに、個人認証手段３０３２が第２記憶手段３０３３からその暗証番号に相当する照合用の個人情報を読み出し個人認証手段３０３２に転送させる（Ｓ３００８）。
【０１７２】
一方、電子運転免許証３００２は、第１記憶手段３０２３に記憶されている個人情報を第２通信手段３０３１に第１通信手段３０２１から送信して個人認証手段３０３２に入力する（Ｓ３００９）。
【０１７３】
なお、上記Ｓ３００７からＳ３００９にあっては、上記認証情報を受信したら第２記憶手段３０３３から照合用の個人情報を読み出し第１通信手段３０２１から個人情報が送信されるようにしているが、これに代え、暗証番号認証手段３０２２で認証が得られたら、第１通信手段３０２１が第２通信手段３０３１に最初から個人情報を送信するようにし、個人認証手段３０３２は個人情報を受信したら認証を得たと判断して、第２記憶手段３０３３から照合用の個人情報を転送させるようにしてもよい。
【０１７４】
個人認証手段３０３２は、電子運転免許証３００２から送信されてきた個人情報と第２記憶手段３０３３から読み出した照合用の個人情報とを照合し、個人認証が得られた場合（Ｓ３０１０）は車載機器３００４の使用許可を指示する使用許可信号を車載機器３００４に入力する（Ｓ３０１１）。使用許可信号を入力された車載機器３００４は、使用許可動作可能な状態となる（Ｓ３０１２）。
【０１７５】
なお、第２２図のタイムチャートでは省略したが、Ｓ３０１０で個人認証が得られなかった場合は、個人認証手段３０３２が車載機器３００４の使用許可信号を出力しないので、車載機器３００４を使用することはできない。
【０１７６】
以上のように構成した本発明の第１２の実施形態の車載機器使用許可システム３００１によれば、暗証番号を入力しないと内部に記憶している個人情報を出力できない電子運転免許証であっても、車両側で電子運転免許証から個人情報を取得し、照合用の個人情報を登録して、電子運転免許証から取得した個人情報に基づき個人認証が得られた場合に車載機器の使用を許可することができるようになる。
【実施例１３】
本発明の第１３の実施形態の車載機器使用許可システム３００５を第２３図に示す。
【０１７７】
本実施形態において、第１通信手段３０２１は、免許証側通信部と同意である。
【０１７８】
本実施形態において、暗証番号認証手段３０２２は、暗証番号認証部と同意である。
【０１７９】
本実施形態において、第１記憶手段３０２３は、免許証側記憶部と同意である。
【０１８０】
本実施形態において、第２通信手段３０３１は、装置側通信部と同意である。
【０１８１】
本実施形態において、個人認証手段３０３２は、個人認証部と同意である。
【０１８２】
本実施形態において、第２記憶手段３０３３は、装置側記憶部と同意である。
【０１８３】
本実施形態において、暗証番号送信手段３０３６は、暗証番号送信部と同意である。
【０１８４】
本実施形態において、使用頻度取得手段３０３７は、使用頻度取得部と同意である。
【０１８５】
第２３図において、車載機器使用許可システム３００５は、第２１図に示した第１２の実施形態の車載機器使用許可システム３００１の構成に、電子運転免許証３００２を利用した車載機器３００４の使用頻度をユーザーごとに取得して第２記憶手段３０３３に記憶させる使用頻度取得手段３０３７と、第２記憶手段３０３３に記憶されたユーザーごとの使用頻度に基づき使用頻度の高い順から小さい順に暗証番号をソートし、使用頻度順位を決定し第２記憶手段３０３３に暗証番号とその使用頻度順位とをリンクさせて記憶するソート手段３０３８とをさらに追加した構成を備え、暗証番号送信手段３０３６がソート手段３０３８でソートした使用頻度の高い順の暗証番号を第２記憶手段３０３３から読み出し第２通信手段３０３１から電子運転免許証３００２へ送信するように構成した点が第１２の実施形態の車載機器使用許可システム３００１と異なる。なお、その他の構成は、第１２の実施形態の車載機器使用許可システム３００１と実質的に同じであるので、同じ番号を付してその説明を省略する。
【０１８６】
以上のように構成した車載機器使用許可システム３００５について、第２４図のタイムチャートを用いてその動作を説明する。
【０１８７】
車載機器３００４の使用を許可する者の車両機器使用許可装置３００３への登録は、第２２図のタイムチャートのＳ３００１と同様に実行される（Ｓ３０２１）。
【０１８８】
この登録後、ユーザーが電子運転免許証３００２を車両機器使用許可装置３００３の第２通信手段３０３１に近づけると、個人認証手段３０３２が暗証番号送信手段３０３６に対して電子運転免許証３００２へ暗証番号を送信するように通信開始を決定し（Ｓ３０２２）、暗証番号送信手段３０３６へ暗証番号送信開始の指示を行う（Ｓ３０２３）。
【０１８９】
暗証番号送信手段３０３６は、第２記憶手段３０３３に記憶された暗証番号のうち使用頻度に応じて、使用頻度が最も高い暗証番号を読み出し第２通信手段３０３１から電子運転免許証３００２へ送信する（Ｓ３０２４）。なお、暗証番号の第２記憶手段３０３３への登録が行われ車載機器３００４が一度も使用されたことがない場合には、まだ使用頻度がまったく決まっていないので、たとえばユーザー名のアイウエオ順あるいは登録順等にしたがって暗証番号を出力するようにしてある。
【０１９０】
電子運転免許証３００２では、第１通信手段３０２１で受信した暗証番号と第１記憶手段３０２３に記憶されている暗証番号とを暗証番号認証手段３０２２が照合する（Ｓ３０２５）。この照合により暗証番号の認証が得られない場合、第１通信手段３０２１から車両機器使用許可装置３００３の第２通信手段３０３１へ認証不可情報を送信する。
【０１９１】
第２通信手段３０３１が認証不可情報を受信すると、暗証番号送信手段３０３６は、第２記憶手段３０３３に記憶された暗証番号のうち使用頻度の高い順にユーザーの暗証番号を読み出して第２通信手段３０３１から電子運転免許証３００２へと順次送信していく（Ｓ３０２６）。
【０１９２】
電子運転免許証３００２では、暗証番号認証手段３０２２が、第１通信手段３０２１で新たに受信した暗証番号と第１記憶手段３０２３に記憶されている暗証番号とを照合する（Ｓ３０２７）。この照合の結果、認証することができない場合は、認証不可情報を第１通信手段３０２１から送信し、車載機器使用許可装置３００３でその都度新たな暗証番号を使用頻度順に送信する動作を暗証番号認証手段３０２２で認証が得られた旨の認証情報を電子運転免許証３００２から受信するまで繰り返す（Ｓ３０２６）。
【０１９３】
一方、電子運転免許証３００２の暗証番号認証手段３０２２で認証が得られると、認証情報が第１通信手段３０２１から第２通信手段３０３１に送信される。この結果、暗証番号送信手段３０３６による以降の暗証番号の送信が停止されるとともに、第２記憶手段３０３３から個人認証手段３０３２に照合用の個人情報が転送される（Ｓ３０２８）。また、電子運転免許証３００２の第１通信手段３０２１から第１記憶手段３０２３に記憶してある個人情報が車載機器使用許可装置３００３へ送信される（Ｓ３０２９）。
【０１９４】
車載機器使用許可装置３００３では、第２２図のタイムチャートと同様に個人認証手段３０３２で個人認証を実行し、認証が得られれば（Ｓ３０３０）、車載機器使用許可の指示を車載機器３００４に入力し（Ｓ３０３０）、車載機器３００４を使用許可動作状態にして当該ユーザーによる使用を許容する（Ｓ３０３６）。
【０１９５】
なお、個人認証手段３０３２で個人認証が得られた場合（Ｓ３０３０）、使用頻度取得手段３０３７が車載機器３００４を使用したユーザー名および使用日時といった内容の使用履歴情報を個人認証手段３０３２から送信させて（Ｓ３０３１）、第２記憶手段３０３３に入力して記憶させ、第２記憶手段３０３３内のそのユーザーの使用頻度を書き換える。
【０１９６】
この使用履歴の入力がなされたら、個人認証手段３０３２により動作させられたソート手段３０３８が第２記憶手段３０３３に記憶された暗証番号とその使用頻度とを読み出し（Ｓ３０３２）、暗証番号を使用頻度の高い順にソート動作を行って順位を決定し（Ｓ３０３３）、暗証番号とその使用頻度の順位を第２記憶手段３０３３に入力して記憶させる（Ｓ３０３４）。
【０１９７】
その後、ユーザーが車載機器３００４の使用を希望して、電子運転免許証３００２を第２通信手段３０３１に近づけた場合に、車載機器使用許可装置３００３から電子運転免許証３００２へ暗証番号を送信するが、この暗証番号の送信は、上記ソート手段３０３８で決定した使用頻度の高い順から順に実行されることになる。以後、車載機器３００４の使用があるごとに、上記使用頻度が変更され変更された使用頻度にしたがって暗証番号の送信が実行される。
【０１９８】
以上のように構成した第１３の実施形態の車載機器使用許可システム３００５によれば、電子運転免許証３００２で暗証番号の認証を行うにあたって、車載機器使用許可装置３００３からユーザーの使用頻度順に電子運転免許証３００２へ暗証番号が送信されるようにしたので、第１２の実施形態の車載機器使用許可システム３００１の効果に加え、車載機器使用許可装置３００３からの暗証番号の送信回数を少なくして、車載機器使用許可装置３００３から暗証番号の送信が開始されてから電子運転免許証３００２が暗証番号を認証するまでの時間の短縮を図ることができるという効果が得られる。
【０１９９】
なお、第１３の実施形態の車載機器使用許可システム３００５では、使用頻度取得手段３０３７を設け、ソート手段３０３８にて使用頻度順に暗証番号をソートする構成としたが、使用頻度取得手段３０３７に代えて電子運転免許証３００２を使用した日時の使用履歴をユーザーごとに取得して第２記憶手段３０３３に記憶させる使用履歴取得部を設け、ソート手段３０３８が第２記憶手段３０３３に記憶された使用履歴に基づき新たに（例えば最も直近）使用したユーザーから過去に使用したユーザーの方へ順に遡って暗証番号をソートし、この順に第２通信手段３０３１から送信するようにしてもよい。
【０２００】
この場合にも、車載機器使用許可装置３００３からの暗証番号の送信回数を少なくして、車載機器使用許可装置３００３から暗証番号の送信が開始されてから電子運転免許証３００２が暗証番号を認証するまでの時間の短縮を図ることができる効果が得られる。
【実施例１４】
第１４の実施形態の車載機器使用許可システム３００６を第２５図に示す。
【０２０１】
本実施形態において、第１通信手段３０２１は、免許証側通信部と同意である。
【０２０２】
本実施形態において、暗証番号認証手段３０２２は、暗証番号認証部と同意である。
【０２０３】
本実施形態において、再入力禁止手段３０２４は、再入力禁止部と同意である。
【０２０４】
本実施形態において、第２通信手段３０３１は、装置側通信部と同意である。
【０２０５】
本実施形態において、個人認証手段３０３２は、個人認証部と同意である。
【０２０６】
本実施形態において、第２記憶手段３０３３は、装置側記憶部と同意である。
【０２０７】
本実施形態において、暗証番号送信手段３０３６は、暗証番号送信部と同意である。
【０２０８】
本実施形態において、報知手段３０３９は、報知部と同意である。
【０２０９】
第２５図において、車載機器使用許可システム３００６は、第２１図に示した第１２の実施形態の車載機器使用許可システム３００１の構成に、車載機器使用許可装置３００３の第２通信手段３０３１から送信され第１通信手段３０２１で受信した暗証番号が暗証番号認証手段３０２２で連続して認証されない入力回数が所定数を超えると続く暗証番号の第１通信手段３０２１への再入力を拒否する再入力禁止手段３０２４を電子運転免許証３００２がさらに備え、電子運転免許証３００２での再入力拒否前、すなわち暗証番号の認証が得られない連続した入力回数が上記所定数より少ない設定数になったときに入力を制限するための報知を行う報知手段３０３９を車載機器使用許可装置３００３がさらに備えた構成を有する。その他の構成は、第２１図に示した第１２の実施形態の車載機器使用許可システム３００１の構成と同様なので同じ番号を付し、それらの説明を省略する。
【０２１０】
以上のように構成した車載機器使用許可システム３００６について、第２６図のタイムチャートを用いてその動作を説明する。
【０２１１】
暗証番号の登録（Ｓ３０４１）、個人認証手段３０３２による電子運転免許証３００２への通信の決定（Ｓ３０４２）や送信開始の指示（Ｓ３０４３）、暗証番号送信手段３０３６による電子運転免許証３００２への暗証番号の送信（Ｓ３０４４）、暗証番号認証手段３０２２による暗証番号の照合（Ｓ３０４５）、および暗証番号認証手段３０２２で暗証番号の認証が得られない場合における暗証番号送信手段３０３６による暗証番号の順次送信（Ｓ３０４６）の各動作は、第２２図のタイムチャートのＳ３００１、Ｓ３００２、Ｓ３００３、Ｓ３００４、Ｓ３００５、およびＳ３００６の場合と同様に行われるので、ここではそれらの説明は省略する。
【０２１２】
暗証番号認証手段３０２２で暗証番号の認証が得られず暗証番号送信手段３０３６から順次暗証番号が送信されていくと（Ｓ３０４６）、暗証番号認証手段３０２２がその都度暗証番号の照合を行うとともに、再入力禁止手段３０２４にて暗証番号送信手段３０３６から電子運転免許証３００２へ入力された暗証番号の入力回数をカウントしており、このカウントした入力回数が電子運転免許証３００２の再入力禁止手段３０２４で再入力拒否となる入力回数（所定数であり、ここではたとえば３とする）より少ない入力回数（設定数であり、ここではたとえば２とする）となるか否かを判定する（Ｓ３０４７）。
【０２１３】
上記Ｓ３０４５あるいはＳ３０４７で電子運転免許証３００２の暗証番号認証手段３０２２が暗証番号を認証した場合は、第２記憶手段３０３３から個人認証手段３０３２への照合用の個人情報の転送（Ｓ３０５３）、個人認証手段３０３２での個人認証（Ｓ３０５５）、個人認証手段３０３２から車載機器３００４への車載機器使用許可の指示（Ｓ３０５６）、および車載機器３００４の車載機器使用許可動作（Ｓ３０５７）が、第２２図のタイムチャートのＳ３００８、Ｓ３００９、Ｓ３０１０、Ｓ３０１１、およびＳ３０１２の場合と同様に行われるので、ここではそれらの説明は省略する。
【０２１４】
一方、電子運転免許証３００２の暗証番号認証手段３０２２が２回続けて暗証番号を認証しない場合は、再入力禁止手段が第1通信手段３０２１から第２通信手段３０３１への通信で入力制限の報知を指示する（Ｓ３０４８）。報知の指示を受けたら、報知手段３０３９が音声、光の点滅、文字や記号の表示等により入力を制限する旨の報知動作をユーザーに対して行う（Ｓ３０４９）とともに、ユーザーに対し暗証番号を暗証番号入力手段３０３５より入力するように指示する（Ｓ３０５０）。
【０２１５】
この指示によりユーザーが暗証番号を暗証番号入力手段３０３５から入力すると（Ｓ３０５１）、その暗証番号が第２通信手段３０３１から第１通信手段３０２１へ送信され（Ｓ３０５２）、暗証番号認証手段３０２２で照合される。照合の結果、暗証番号の認証が得られると、電子運転免許証３００２の再入力禁止手段３０２４でカウントしていた入力回数をリセットしてゼロとするとともに、個人情報が車載機器使用許可装置３００３の第１通信手段３０３１へ送信され個人認証手段３０３２で第２記憶手段３０３３から読み出した認証用の個人情報と照合されて個人認証が得られれば、車載機器３００４の使用許可の指示が出力される。
【０２１６】
一方、報知後に暗証番号を入力しても暗証番号の認証が得られないときは、車載機器３００４の使用はできなくなり、たとえば所定の機関（警察署等）へ行って対処してもらうことになる。
【０２１７】
以上のように構成した第１４の実施形態の車載機器使用許可システム３００６によれば、電子運転免許証３００２への認証が得られない暗証番号の連続した入力を禁止してセキュリティを高めることができるとともに、電子運転免許証への再入力拒否となる確率を下げることができる。また再入力拒否となる前に入力制限の報知を行うことで暗証番号を確認して入力したり、確実に認証を得ることができる人に依頼してその人の電子運転免許証３００２を用いて認証を得るようにしたりするなどして、セキュリティを確保しながらより確実に車載機器３００４の使用許可が得られるようにすることができる。
【０２１８】
なお、本実施形態では、報知手段３０３９を動作させるのに電子運転免許証３００２の再入力禁止手段３０２４が入力回数をカウントして報知信号を出力するようにしたが、これに限られることなく、たとえば暗証番号送信手段３０３６から暗証番号を送信する回数を車載使用許可装置３００３側でカウントして報知信号を報知手段３０３９に出力するようにしてもよい。
【図面の簡単な説明】
【０２１９】
【図１】
図１は、本発明に係る第１の実施形態の認証装置を示すブロック図である。
【図２】
図２は、第１の実施形態で使用される電子運転免許証を示すブロック図である。
【図３】
図３は、第１の実施形態における電子運転免許証および認証装置の動作を示すシーケンス図である。
【図４】
図４は、本発明に係る第２の実施形態の電子運転免許証および認証装置の動作を示すシーケンス図である。
【図５】
図５は、本発明に係る第４および第５の実施形態の電子運転免許システムの構成を示すブロック図である。
【図６】
図６は、本発明に係る第４の実施形態の電子運転免許システムの動作を説明するタイムチャートである。
【図７】
図７は、本発明に係る第５の実施形態の電子運転免許システムの動作を説明するタイムチャートである。
【図８】
図８は、本発明に係る第６の実施形態の電子運転免許システムの構成を示すブロック図である。
【図９】
図９は、本発明に係る第６の実施形態の電子運転免許システムの動作を説明するタイムチャートである。
【図１０】
図１０は、本発明に係る第７の実施形態の電子運転免許システムの構成を示すブロック図である。
【図１１】
図１１は、本発明に係る第７の実施形態の電子運転免許システムの動作を説明するタイムチャートである。
【図１２】
図１２は、本発明に係る第８の実施形態の電子運転免許システムの構成を示すブロック図である。
【図１３】
図１３は、本発明に係る第８の実施形態の電子運転免許システムの動作を説明するタイムチャートである。
【図１４】
図１４は、本発明に係る第９の実施形態の電子運転免許システムの構成を示すブロック図である。
【図１５】
図１５は、本発明に係る第９の実施形態の電子運転免許システムの動作を説明するタイムチャートである。
【図１６】
図１６は、本発明に係る第１０の実施形態の電子運転免許システムの構成を示すブロック図である。
【図１７】
図１７は、本発明に係る第１０の実施形態の電子運転免許システムの動作を説明するタイムチャートである。
【図１８】
図１８は、本発明に係る第１１の実施形態の電子運転免許システムの構成を示すブロック図である。
【図１９】
図１９は、本発明に係る第１１の実施形態の電子運転免許システムの動作を説明するタイムチャートである。
【図２０】
図２０は、非接触ＩＣカード型電子運転免許証の構成を示すブロック図である。
【図２１】
図２１は、第１２に係る実施形態の車載機器使用許可システムの構成を示すブロック図である。
【図２２】
図２２は、第１２に係る実施形態の車載機器使用許可システムの動作を示すタイムチャートである。
【図２３】
図２３は、第１３に係る実施形態の車載機器使用許可システムの構成を示すブロック図である。
【図２４】
図２４は、第１３に係る実施形態の車載機器使用許可システムの動作を示すタイムチャートである。
【図２５】
図２５は、第１４に係る実施形態の車載機器使用許可システムの構成を示すブロック図である。
【図２６】
図２６は、第１４に係る実施形態の車載機器使用許可システムの動作を示すタイムチャートである。
【手続補正３】
【補正対象書類名】図面
【補正対象項目名】全図
【補正方法】変更
【補正の内容】
【図１】
2004050437.tif 000029
【図２】
2004050437.tif 000030
【図３】
2004050437.tif 000031
【図４】
2004050437.tif 000032
【図５】
2004050437.tif 000033
【図６】
2004050437.tif 000034
【図７】
2004050437.tif 000035
【図８】
2004050437.tif 000036
【図９】
2004050437.tif 000037
【図１０】
2004050437.tif 000038
【図１１】
2004050437.tif 000039
【図１２】
2004050437.tif 000040
【図１３】
2004050437.tif 000041
【図１４】
2004050437.tif 000042
【図１５】
2004050437.tif 000043
【図１６】
2004050437.tif 000044
【図１７】
2004050437.tif 000045
【図１８】
2004050437.tif 000046
【図１９】
2004050437.tif 000047
【図２０】
2004050437.tif 000048
【図２１】
2004050437.tif 000049
【図２２】
2004050437.tif 000050
【図２３】
2004050437.tif 000051
【図２４】
2004050437.tif 000052
【図２５】
2004050437.tif 000053
【図２６】
2004050437.tif 000054
【国際調査報告】
2004050437.tif 000055
2004050437.tif 000056
2004050437.tif 000057
2004050437.tif 000058